(57)【要約】  本発明は、メッセージ処理方法、ノード装置、及びユーザ機器を開示する。本発明では、第２のノードが第１のメッセージを判定する。この第１のメッセージは、第１のノードセルのシステムメッセージを受信するようにユーザ機器に指示するために、又は第１のノードセルのシステムメッセージが更新されていることを示すために、使用される。第２のノードは第１のメッセージをユーザ機器へ送信する。本発明によって、ユーザ機器は、第２のノードに存在すること、及び第２のノードによりページングされることができ、第１のノードがページングを行う必要がなく、それによってエアインタフェースリソースを節減する。
2018500850.tif 000002
【特許請求の範囲】
【請求項１】
ノード装置であって、
第１のメッセージを判定するように構成された判定ユニットであって、前記第１のメッセージが、第１のノードセルのシステムメッセージを受信するようにユーザ機器に指示するために使用されるか、又は第１のノードセルのシステムメッセージが更新されていることを示すために使用される、判定ユニットと、
前記判定ユニットによって判定された前記第１のメッセージを前記ユーザ機器へ送信するように構成された送信ユニットと
を備える、ノード装置。
【請求項２】
前記第１のメッセージが、下記の
前記第１のノードセルのページング構成パラメータ、第１のノードの識別子、前記第１のノードセルの識別子、前記第１のノードセルのシステムメッセージインジケータ、前記第１のノードセルのシステムメッセージコンテンツ、又は前記第１のノードセルの更新されたシステムメッセージコンテンツ、のうちの少なくとも１つを含む、請求項１に記載のノード装置。
【請求項３】
前記第１のメッセージが、構成メッセージ、ページングメッセージ、又はシステムメッセージである、請求項１又は２に記載のノード装置。
【請求項４】
前記第１のメッセージがページングメッセージであり、前記ページングメッセージが、下記の
第１のノードの識別子、前記第１のノードセルの識別子、又は前記第１のノードセルのシステムメッセージインジケータ、のうちの少なくとも１つを含む、請求項１に記載のノード装置。
【請求項５】
前記第１のメッセージがページングメッセージであり、
前記送信ユニットがさらに、前記第１のメッセージを前記ユーザ機器へ送信する前に、第４のメッセージを前記ユーザ機器へ送信するように構成され、前記第４のメッセージがページング構成パラメータを含む、請求項１から４のいずれか一項に記載のノード装置。
【請求項６】
前記第１のメッセージが構成メッセージ又はシステムメッセージであり、前記構成メッセージ又は前記システムメッセージが前記第１のノードセルのページング構成パラメータを含む、請求項１に記載のノード装置。
【請求項７】
前記第１のメッセージがさらに、
当該ノード装置に対応する第２のノードセルのシステムメッセージが更新されていることを示すために使用されるか、又は当該ノード装置に対応する第２のノードセルのシステムメッセージを受信するように前記ユーザ機器に指示するために使用される、請求項１に記載のノード装置。
【請求項８】
当該ノード装置がさらに、
前記判定ユニットが前記第１のメッセージを判定する前に、前記第１のノードによって送信された第３のメッセージを受信するように構成された受信ユニットを備え、前記第３のメッセージが、前記第１のノードセルの前記システムメッセージが更新されていることを示すために使用されるか、又は前記第１のノードセルの前記システムメッセージを受信するように前記ユーザ機器に指示するために使用される、請求項１から７のいずれか一項に記載のノード装置。
【請求項９】
前記第３のメッセージが、前記第１のノードセルの前記ページング構成パラメータ、前記第１のノードの前記識別子、前記第１のノードセルの前記識別子、前記第１のノードセルの前記システムメッセージインジケータ、前記第１のノードセルの前記システムメッセージコンテンツ、又は前記第１のノードセルの前記更新されたシステムメッセージコンテンツ、のうちの少なくとも１つを含む、請求項８に記載のノード装置。
【請求項１０】
前記ユーザ機器が、当該ノード装置に対応する前記第２のノードセルにとどまる、請求項１から９のいずれか一項に記載のノード装置。
【請求項１１】
前記ユーザ機器がページングメッセージを、当該ノード装置に対応する前記第２のノードセルからのみ受信するか、又は
前記ユーザ機器がページングメッセージを当該ノード装置に対応する前記第２のノードセル内で受信し、また前記ユーザ機器がページングメッセージを前記第１のノードセル内で受信し、
前記ユーザ機器によって前記第１のノードセル内で受信される前記ページングメッセージが、下記の
第１の地震津波警報システムＥＴＷＳ関連通報及び／又は第２のＥＴＷＳ関連通報を通知するために使用されるページングメッセージ、又は
商業モバイル警報サービスＣＭＡＳ通報を知らせるために使用されるページングメッセージ、のうちの少なくとも１つを含む、請求項１から１０のいずれか一項に記載のノード装置。
【請求項１２】
前記ユーザ機器が前記第１のノードセルの前記システムメッセージを受信するか、かつ／又は
前記ユーザ機器が前記第１のノードセルを測定する、請求項１、１０、又は１１に記載のノード装置。
【請求項１３】
ノード装置であって、
第１のノード情報及び第５のメッセージを判定するように構成された判定ユニットであって、前記第５のメッセージが、ユーザ機器をページングするために使用されるか、又はネットワークにアクセスするようにユーザ機器に指示するために使用されるか、又は無線リソース制御ＲＲＣ接続を確立するようにユーザ機器に指示するために使用され、また前記第１のノード情報が、第１のノードについての情報を前記ユーザ機器に提供するために使用される、判定ユニットと、
前記判定ユニットによって判定された前記第１のノード情報及び前記第５のメッセージを前記ユーザ機器へ送信するように構成された送信ユニットと
を備える、ノード装置。
【請求項１４】
前記第１のノード情報が、第１のノードセルの識別子、前記第１のノードの識別子、第１のノードセルのアクセス構成、前記第１のノードのＲＲＣ構成、前記第１のノードのパケットデータコンバージェンスプロトコルＰＤＣＰ構成、前記第１のノードの無線リンク制御層プロトコルＲＬＣ構成、前記第１のノードのメディアアクセス制御ＭＡＣ構成、又は前記第１のノードの物理層構成、のうちの少なくとも１つを含む、請求項１３に記載のノード装置。
【請求項１５】
前記第１のノード情報が、第１のノードセルの識別子、又は前記第１のノードの識別子を含み、また前記第１のノード情報が第２のメッセージに含まれる、請求項１３に記載のノード装置。
【請求項１６】
前記第１のノード情報が前記第１のノードのアクセス構成を含み、前記第１のノードの前記アクセス構成が、当該ノード装置により前記ユーザ機器へ送信される前記第２のメッセージに含まれる、請求項１３又は１５に記載のノード装置。
【請求項１７】
前記第２のメッセージが前記第５のメッセージである、請求項１５又は１６に記載のノード装置。
【請求項１８】
前記第５のメッセージがページングメッセージである、請求項１３から１７のいずれか一項に記載のノード装置。
【請求項１９】
前記第２のメッセージが、
無線リソース制御ＲＲＣ接続再構成メッセージ又はシステムメッセージを含む、請求項１５又は１６に記載のノード装置。
【請求項２０】
前記ユーザ機器が、当該ノード装置に対応する第２のノードセルにとどまる、請求項１３から１９のいずれか一項に記載のノード装置。
【請求項２１】
前記ユーザ機器がページングメッセージを、当該ノード装置に対応する前記第２のノードセルからのみ受信するか、又は
前記ユーザ機器がページングメッセージを当該ノード装置に対応する前記第２のノードセル内で受信し、また前記ユーザ機器がページングメッセージを前記第１のノードセル内で受信し、
前記ユーザ機器によって前記第１のノードセル内で受信される前記ページングメッセージが、下記の
第１の地震津波警報システムＥＴＷＳ関連通報及び／又は第２のＥＴＷＳ関連通報を通知するために使用されるページングメッセージ、又は
商業モバイル警報サービスＣＭＡＳ通報を知らせるために使用されるページングメッセージ、のうちの少なくとも１つを含む、請求項１３から２０のいずれか一項に記載のノード装置。
【請求項２２】
前記ユーザ機器が前記第１のノードセルのシステムメッセージを受信するか、かつ／又は
前記ユーザ機器が前記第１のノードセルを測定する、請求項１３、２０、又は２１に記載のノード装置。
【請求項２３】
ユーザ機器であって、
第２のノードによって送信された第１のメッセージを受信するように構成された第１の受信ユニットであって、前記第１のメッセージが、第１のノードセルのシステムメッセージを受信するように当該ユーザ機器に指示するために使用されるか、又は第１のノードセルの更新されたシステムメッセージを受信するように当該ユーザ機器に指示するために使用される、第１の受信ユニットと、
前記第１の受信ユニットで受信された前記第１のメッセージに応じて、前記第１のノードセルの前記システムメッセージを受信するように、又は前記第１のノードセルの前記更新されたシステムメッセージを受信するように構成された第２の受信ユニットと
を備える、ユーザ機器。
【請求項２４】
前記第１のメッセージが、前記第１のノードセルのページング構成パラメータ、第１のノードの識別子、前記第１のノードセルの識別子、前記第１のノードセルのシステムメッセージインジケータ、前記第１のノードセルのシステムメッセージコンテンツ、又は前記第１のノードセルの更新されたシステムメッセージコンテンツ、のうちの少なくとも１つを含む、請求項２３に記載のユーザ機器。
【請求項２５】
前記第１のメッセージが、構成メッセージ、ページングメッセージ、又はシステムメッセージである、請求項２３又は２４に記載のユーザ機器。
【請求項２６】
前記第１のメッセージがページングメッセージであり、前記ページングメッセージが下記の、第１のノードの識別子、前記第１のノードセルの識別子、又は前記第１のノードセルのシステムメッセージインジケータ、のうちの少なくとも１つを含み、
前記第２の受信ユニットが具体的には、
前記第１のノードセルの前記システムメッセージ又は前記第１のノードセルの前記更新されたシステムメッセージを前記第１のノードセル内で、前記ページングメッセージに応じて受信するように構成される、請求項２３に記載のユーザ機器。
【請求項２７】
前記第１のメッセージがページングメッセージであり、
前記第１の受信ユニットがさらに、
前記第２の受信ユニットが、前記第１のメッセージに応じて、前記第１のノードセルの前記システムメッセージを受信するか、又は前記第１のノードセルの前記更新されたシステムメッセージを受信する前に、前記第２のノードによって送信された第４のメッセージを受信するように構成され、前記第４のメッセージが、前記第１のノードセルの前記ページング構成パラメータを含み、
当該ユーザ機器がさらに、
ページング時間を前記第１のノードセルの前記ページング構成パラメータに応じて判定するように構成された判定ユニットを備え、
前記第１の受信ユニットがさらに、
ページングメッセージを第２のノードセル内で、前記判定ユニットによって判定された前記ページング時間内に受信するように構成され、前記ページングメッセージが、前記第１のノードのシステムメッセージが更新されていることを示すために使用されるか、又は前記第１のノードセルの前記システムメッセージを受信するように当該ユーザ機器に指示するために使用される、請求項２３から２６のいずれか一項に記載のユーザ機器。
【請求項２８】
前記第１のメッセージが構成メッセージ又はシステムメッセージであり、前記構成メッセージ又は前記システムメッセージが、前記第１のノードセルのページング構成パラメータを含み、
当該ユーザ機器がさらに、
前記第２の受信ユニットが、前記第１のメッセージに応じて、前記第１のノードセルの前記システムメッセージを受信するか、又は前記第１のノードセルの前記更新されたシステムメッセージを受信する前に、ページング時間を前記第１のノードセルの前記ページング構成パラメータに応じて判定するように構成された判定ユニットを備え、
前記第１の受信ユニットがさらに、
ページングメッセージを第１のノードセル内で、前記判定ユニットによって判定された前記ページング時間内に受信するように構成され、前記ページングメッセージが、第１のノードのシステムメッセージが更新されていることを示すために使用されるか、又は前記第１のノードセルの前記システムメッセージを受信するように当該ユーザ機器に指示するために使用される、請求項２３に記載のユーザ機器。
【請求項２９】
前記第２の受信ユニットがさらに、
前記第２のノードセルの更新されたシステムメッセージ又は前記第２のノードセルのシステムメッセージを前記第２のノードセル内で、前記第１のメッセージに応じて受信するように構成される、請求項２３から２８のいずれか一項に記載のユーザ機器。
【請求項３０】
当該ユーザ機器が、前記第２のノードに対応する前記第２のノードセルにとどまる、請求項２３から２９のいずれか一項に記載のユーザ機器。
【請求項３１】
当該ユーザ機器がページングメッセージを前記第２のノードに対応する前記第２のノードセルからのみ受信するか、又は
当該ユーザ機器がページングメッセージを前記第２のノードに対応する前記第２のノードセル内で受信し、また当該ユーザ機器がページングメッセージを前記第１のノードセル内で受信し、
当該ユーザ機器によって前記第１のノードセル内で受信される前記ページングメッセージが、下記の
第１の地震津波警報システムＥＴＷＳ関連通報及び／又は第２のＥＴＷＳ関連通報を通知するために使用されるページングメッセージ、又は
商業モバイル警報サービスＣＭＡＳ通報を知らせるために使用されるページングメッセージ、のうちの少なくとも１つを含む、請求項２３から３０のいずれか一項に記載のユーザ機器。
【請求項３２】
当該ユーザ機器が前記第１のノードセルの前記システムメッセージを受信するか、かつ／又は
当該ユーザ機器が前記第１のノードセルを測定する、請求項２３、３０、又は３１に記載のユーザ機器。
【請求項３３】
ユーザ機器であって、
第２のノードによって送信された第５のメッセージと、第１のノード情報とを受信するように構成された受信ユニットであって、前記第５のメッセージが、ユーザ機器をページングするために使用されるか、又はネットワークにアクセスするように当該ユーザ機器に指示するために使用されるか、又は無線リソース制御ＲＲＣ接続を確立するように当該ユーザ機器に指示するために使用され、前記第１のノード情報が、第１のノードについての情報を当該ユーザ機器に提供するために使用される、受信ユニットと、
前記受信ユニットで受信された前記第１のノード情報及び前記第５のメッセージに応じて前記第１のノードにアクセスするように構成されたアクセスユニットと
を備える、ユーザ機器。
【請求項３４】
前記第１のノード情報が、第１のノードセルの識別子、前記第１のノードの識別子、前記第１のノードのアクセス構成、前記第１のノードのＲＲＣ構成、前記第１のノードのパケットデータコンバージェンスプロトコルＰＤＣＰ構成、前記第１のノードの無線リンク制御層プロトコルＲＬＣ構成、前記第１のノードのメディアアクセス制御ＭＡＣ構成、又は前記第１のノードの物理層構成、のうちの少なくとも１つを含む、請求項３３に記載のユーザ機器。
【請求項３５】
前記第１のノード情報が、第１のノードセルの識別子、又は前記第１のノードの識別子を含み、また前記第１のノード情報が第２のメッセージに含まれる、請求項３３に記載のユーザ機器。
【請求項３６】
前記アクセスユニットが具体的には、前記第５のメッセージ及び前記第１のノード情報に応じて、下記の
前記第５のメッセージに含まれる前記第１のノードの前記識別子又は前記第１のノードセルの前記識別子に応じて、前記第１のノードセルを判定する、
前記第１のノードセルのシステムメッセージを前記第１のノードセル内でリッスンする、
前記第１のノードのアクセス構成を、前記第１のノードセルの前記受信されたシステムメッセージに応じて取得する、かつ
前記第１のノードの前記取得されたアクセス構成に応じて前記第１のノードにアクセスする
方式で前記第１のノードにアクセスするように構成される、請求項３５に記載のユーザ機器。
【請求項３７】
前記第１のノード情報が前記第１のノードの前記アクセス構成を含み、前記第１のノードの前記アクセス構成が前記第２のメッセージに含まれる、請求項３４又は３５に記載のユーザ機器。
【請求項３８】
前記アクセスユニットが具体的には、前記第５のメッセージ及び前記第１のノード情報に応じて、下記の
前記第５のメッセージに応じて当該ユーザ機器がページングされること、又はページングされてネットワークにアクセスすること、又はページングされてＲＲＣ接続を確立することを判定する、かつ
前記第２のメッセージに含まれる前記第１のノードの前記アクセス構成に応じて前記第１のノードにアクセスする
方式で前記第１のノードにアクセスするように構成される、請求項３７に記載のユーザ機器。
【請求項３９】
前記アクセスユニットが具体的には、前記第５のメッセージ及び前記第１のノード情報に応じて、下記の
前記第５のメッセージに含まれる前記第１のノードセルの前記識別子又は前記第１のノードの前記識別子に応じて、当該ユーザ機器がアクセスする必要があるノードが、前記第１のノードセルの前記識別子又は前記第１のノードの前記識別子に対応する前記第１のノードであることを判定する、かつ
前記第２のメッセージに含まれる前記第１のノードの前記アクセス構成に応じて前記第１のノードにアクセスする
方式で前記第１のノードにアクセスするように構成される、請求項３７に記載のユーザ機器。
【請求項４０】
前記アクセスユニットが具体的には、前記第５のメッセージ及び前記第１のノード情報に応じて、下記の
前記第５のメッセージに応じて、当該ユーザ機器がページングされること、又はページングされてネットワークにアクセスすること、又はページングされてＲＲＣ接続を確立することを判定する、
前記第１のノードの前記アクセス構成を含む前記第２のメッセージを受信する、かつ
前記第２のメッセージに含まれる前記第１のノードの前記アクセス構成に応じて前記第１のノードにアクセスする
方式で前記第１のノードにアクセスするように構成される、請求項３７に記載のユーザ機器。
【請求項４１】
前記第２のメッセージが前記第５のメッセージである、請求項３５又は３７に記載のユーザ機器。
【請求項４２】
前記第５のメッセージがページングメッセージである、請求項３３から４１のいずれか一項に記載のユーザ機器。
【請求項４３】
前記第２のメッセージが当該ユーザ機器へ、前記第１のノード、前記第２のノード、又は第３のノードによって送信される、請求項３５又は３７に記載のユーザ機器。
【請求項４４】
当該ユーザ機器が、前記第２のノードに対応する第２のノードセルにとどまる、請求項３３から４３のいずれか一項に記載のユーザ機器。
【請求項４５】
当該ユーザ機器がページングメッセージを前記第２のノードに対応する前記第２のノードセルからのみ受信するか、又は
当該ユーザ機器がページングメッセージを前記第２のノードに対応する前記第２のノードセル内で受信し、また当該ユーザ機器がページングメッセージを前記第１のノードセル内で受信し、
当該ユーザ機器によって前記第１のノードセル内で受信される前記ページングメッセージが、下記の
第１の地震津波警報システムＥＴＷＳ関連通報及び／又は第２のＥＴＷＳ関連通報を通知するために使用されるページングメッセージ、又は
商業モバイル警報サービスＣＭＡＳ通報を知らせるために使用されるページングメッセージ、のうちの少なくとも１つを含む、請求項３３から４４のいずれか一項に記載のユーザ機器。
【請求項４６】
当該ユーザ機器が前記第１のノードセルの前記システムメッセージを受信するか、かつ／又は
当該ユーザ機器が前記第１のノードセルを測定する、請求項３３、４４、又は４５に記載のユーザ機器。
【請求項４７】
メッセージ処理方法であって、
第２のノードにより、第１のメッセージを判定するステップであって、前記第１のメッセージが、第１のノードセルのシステムメッセージを受信するようにユーザ機器に指示するために使用されるか、又は第１のノードセルのシステムメッセージが更新されていることを示すために使用される、ステップと、
前記第２のノードにより、前記第１のメッセージを前記ユーザ機器へ送信するステップと
を含む、方法。
【請求項４８】
前記第１のメッセージが、下記の
前記第１のノードセルのページング構成パラメータ、第１のノードの識別子、前記第１のノードセルの識別子、前記第１のノードセルのシステムメッセージインジケータ、前記第１のノードセルのシステムメッセージコンテンツ、又は前記第１のノードセルの更新されたシステムメッセージコンテンツ、のうちの少なくとも１つを含む、請求項４７に記載の方法。
【請求項４９】
前記第１のメッセージが、構成メッセージ、ページングメッセージ、又はシステムメッセージである、請求項４７又は４８に記載の方法。
【請求項５０】
前記第１のメッセージがページングメッセージであり、前記ページングメッセージが、下記の
第１のノードの識別子、前記第１のノードセルの識別子、又は前記第１のノードセルのシステムメッセージインジケータ、のうちの少なくとも１つを含む、請求項４７に記載の方法。
【請求項５１】
前記第１のメッセージがページングメッセージであり、
前記第２のノードにより、前記第１のメッセージを前記ユーザ機器へ送信する前記ステップの前に、当該方法がさらに、
前記第２のノードにより、第４のメッセージを前記ユーザ機器へ送信するステップを含み、前記第４のメッセージがページング構成パラメータを含む、請求項４７から５０のいずれか一項に記載の方法。
【請求項５２】
前記第１のメッセージが構成メッセージ又はシステムメッセージであり、前記構成メッセージ又は前記システムメッセージが前記第１のノードセルのページング構成パラメータを含む、請求項４７に記載の方法。
【請求項５３】
前記第１のメッセージがさらに、
第２のノードセルのシステムメッセージが更新されていることを示すために使用されるか、又は第２のノードセルのシステムメッセージを受信するように前記ユーザ機器に指示するために使用される、請求項４７に記載の方法。
【請求項５４】
第２のノードにより、第１のメッセージを判定する前記ステップの前に、当該方法がさらに、
前記第２のノードにより、前記第１のノードによって送信された第３のメッセージを受信するステップを含み、前記第３のメッセージが、前記第１のノードセルの前記システムメッセージが更新されていることを示すために使用されるか、又は前記第１のノードセルの前記システムメッセージを受信するように前記ユーザ機器に指示するために使用される、請求項４７から５３のいずれか一項に記載の方法。
【請求項５５】
前記第３のメッセージが、前記第１のノードセルの前記ページング構成パラメータ、前記第１のノードの前記識別子、前記第１のノードセルの前記識別子、前記第１のノードセルの前記システムメッセージインジケータ、前記第１のノードセルの前記システムメッセージコンテンツ、又は前記第１のノードセルの前記更新されたシステムメッセージコンテンツ、のうちの少なくとも１つを含む、請求項５４に記載の方法。
【請求項５６】
前記ユーザ機器が、前記第２のノードに対応する前記第２のノードセルにとどまる、請求項４７から５５のいずれか一項に記載の方法。
【請求項５７】
前記ユーザ機器がページングメッセージを前記第２のノードに対応する前記第２のノードセルからのみ受信するか、又は
前記ユーザ機器がページングメッセージを前記第２のノードに対応する前記第２のノードセル内で受信し、また前記ユーザ機器がページングメッセージを前記第１のノードセル内で受信し、
前記ユーザ機器によって前記第１のノードセル内で受信される前記ページングメッセージが、下記の
第１の地震津波警報システムＥＴＷＳ関連通報及び／又は第２のＥＴＷＳ関連通報を通知するために使用されるページングメッセージ、又は
商業モバイル警報サービスＣＭＡＳ通報を知らせるために使用されるページングメッセージ、のうちの少なくとも１つを含む、請求項４７から５６のいずれか一項に記載の方法。
【請求項５８】
前記ユーザ機器が前記第１のノードセルの前記システムメッセージを受信するか、かつ／又は
前記ユーザ機器が前記第１のノードセルを測定する、請求項４７、５６、又は５７に記載の方法。
【請求項５９】
メッセージ処理方法であって、
第２のノードにより、第１のノード情報及び第５のメッセージを判定するステップであって、前記第５のメッセージが、前記ユーザ機器をページングするために使用されるか、又はネットワークにアクセスするように前記ユーザ機器に指示するために使用されるか、又は無線リソース制御ＲＲＣ接続を確立するように前記ユーザ機器に指示するために使用され、また前記第１のノード情報が、第１のノードについての情報を前記ユーザ機器に提供するために使用される、ステップと、
前記第２のノードにより、前記第１のノード情報及び前記第５のメッセージを前記ユーザ機器へ送信するステップと
を含む、方法。
【請求項６０】
前記第１のノード情報が、第１のノードセルの識別子、前記第１のノードの識別子、第１のノードセルのアクセス構成、前記第１のノードのＲＲＣ構成、前記第１のノードのパケットデータコンバージェンスプロトコルＰＤＣＰ構成、前記第１のノードの無線リンク制御層プロトコルＲＬＣ構成、前記第１のノードのメディアアクセス制御ＭＡＣ構成、又は前記第１のノードの物理層構成、のうちの少なくとも１つを含む、請求項５９に記載の方法。
【請求項６１】
前記第１のノード情報が、第１のノードセルの識別子、又は前記第１のノードの識別子を含み、また前記第１のノード情報が第２のメッセージに含まれる、請求項５９に記載の方法。
【請求項６２】
前記第１のノード情報が前記第１のノードのアクセス構成を含み、前記第１のノードの前記アクセス構成が、前記第２のノードにより前記ユーザ機器へ送信される前記第２のメッセージに含まれる、請求項５９又は６１に記載の方法。
【請求項６３】
前記第２のメッセージが前記第５のメッセージである、請求項６１又は６２に記載の方法。
【請求項６４】
前記第５のメッセージがページングメッセージである、請求項５９から６３のいずれか一項に記載の方法。
【請求項６５】
前記第２のメッセージが、
無線リソース制御ＲＲＣ接続再構成メッセージ又はシステムメッセージを含む、請求項６１又は６２に記載の方法。
【請求項６６】
前記ユーザ機器が、前記第２のノードに対応する第２のノードセルにとどまる、請求項５９から６５のいずれか一項に記載の方法。
【請求項６７】
前記ユーザ機器がページングメッセージを前記第２のノードに対応する前記第２のノードセルからのみ受信するか、又は
前記ユーザ機器がページングメッセージを前記第２のノードに対応する前記第２のノードセル内で受信し、また前記ユーザ機器がページングメッセージを前記第１のノードセル内で受信し、
前記ユーザ機器によって前記第１のノードセル内で受信される前記ページングメッセージが、下記の
第１の地震津波警報システムＥＴＷＳ関連通報及び／又は第２のＥＴＷＳ関連通報を通知するために使用されるページングメッセージ、又は
商業モバイル警報サービスＣＭＡＳ通報を知らせるために使用されるページングメッセージ、のうちの少なくとも１つを含む、請求項５９から６６のいずれか一項に記載の方法。
【請求項６８】
前記ユーザ機器が前記第１のノードセルのシステムメッセージを受信するか、かつ／又は
前記ユーザ機器が前記第１のノードセルを測定する、請求項５９、６６、又は６７に記載の方法。
【請求項６９】
メッセージ処理方法であって、
ユーザ機器により、第２のノードによって送信された第１のメッセージを受信するステップであって、前記第１のメッセージが、第１のノードセルのシステムメッセージを受信するように前記ユーザ機器に指示するために使用される、ステップと、
前記ユーザ機器により、前記第１のノードセルの前記システムメッセージを前記第１のメッセージに応じて受信するステップとを含むか、又は
ユーザ機器により、第２のノードによって送信された第１のメッセージを受信するステップであって、前記第１のメッセージが、第１のノードセルの更新されたシステムメッセージを受信するように前記ユーザ機器に指示するために使用される、ステップと、
前記ユーザ機器により、前記第１のノードセルの前記更新されたシステムメッセージを前記第１のメッセージに応じて受信するステップとを含む、方法。
【請求項７０】
前記第１のメッセージが、前記第１のノードセルのページング構成パラメータ、第１のノードの識別子、前記第１のノードセルの識別子、前記第１のノードセルのシステムメッセージインジケータ、前記第１のノードセルのシステムメッセージコンテンツ、又は前記第１のノードセルの更新されたシステムメッセージコンテンツ、のうちの少なくとも１つを含む、請求項６９に記載の方法。
【請求項７１】
前記第１のメッセージが、構成メッセージ、ページングメッセージ、又はシステムメッセージである、請求項６９又は７０に記載の方法。
【請求項７２】
前記第１のメッセージがページングメッセージであり、前記ページングメッセージが下記の、第１のノードの識別子、前記第１のノードセルの識別子、又は前記第１のノードセルのシステムメッセージインジケータ、のうちの少なくとも１つを含み、
前記ユーザ機器が、前記第１のノードセルの前記システムメッセージ又は前記第１のノードセルの前記更新されたシステムメッセージを前記第１のノードセル内で、前記ページングメッセージに応じて受信する、請求項６９に記載の方法。
【請求項７３】
前記第１のメッセージがページングメッセージであり、
前記ユーザ機器により、前記第１のメッセージに応じて、前記第１のノードセルの前記システムメッセージを受信するか、又は前記第１のノードセルの前記更新されたシステムメッセージを受信する前に、当該方法がさらに、
前記ユーザ機器により、前記前記第２のノードによって送信された第４のメッセージを受信するステップであって、前記第４のメッセージが前記第１のノードセルの前記ページング構成パラメータを含む、ステップと、
ページング時間を前記第１のノードセルの前記ページング構成パラメータに応じて判定するステップと、
前記ユーザ機器により、ページングメッセージを第２のノードセル内で、前記ページング時間内に受信するステップであって、前記ページングメッセージが、前記第１のノードのシステムメッセージが更新されていることを示すために使用されるか、又は前記第１のノードセルの前記システムメッセージを受信するように前記ユーザ機器に指示するために使用される、ステップとを含む、請求項６９から７２のいずれか一項に記載の方法。
【請求項７４】
前記第１のメッセージが構成メッセージ又はシステムメッセージであり、前記構成メッセージ又は前記システムメッセージが、前記第１のノードセルのページング構成パラメータを含み、
前記ユーザ機器により、前記第１のメッセージに応じて、前記第１のノードセルの前記システムメッセージを受信するか、又は前記第１のノードセルの前記更新されたシステムメッセージを受信する前に、当該方法がさらに、
ページング時間を前記第１のノードセルの前記ページング構成パラメータに応じて判定するステップと、
前記ユーザ機器により、ページングメッセージを第１のノードセル内で、前記ページング時間内に受信するステップであって、前記ページングメッセージが、第１のノードのシステムメッセージが更新されていることを示すために使用されるか、又は前記第１のノードセルの前記システムメッセージを受信するように前記ユーザ機器に指示するために使用される、ステップとを含む、請求項６９に記載の方法。
【請求項７５】
当該方法がさらに、
前記ユーザ機器により、前記第２のノードセルの更新されたシステムメッセージ又は前記第２のノードセルのシステムメッセージを前記第２のノードセル内で、前記第１のメッセージに応じて受信するステップを含む、請求項６９から７４のいずれか一項に記載の方法。
【請求項７６】
前記ユーザ機器が、前記第２のノードに対応する前記第２のノードセルにとどまる、請求項６９から７５のいずれか一項に記載の方法。
【請求項７７】
前記ユーザ機器がページングメッセージを前記第２のノードに対応する前記第２のノードセルからのみ受信するか、又は
前記ユーザ機器がページングメッセージを前記第２のノードに対応する前記第２のノードセル内で受信し、また前記ユーザ機器がページングメッセージを前記第１のノードセル内で受信し、
前記ユーザ機器によって前記第１のノードセル内で受信される前記ページングメッセージが、下記の
第１の地震津波警報システムＥＴＷＳ関連通報及び／又は第２のＥＴＷＳ関連通報を通知するために使用されるページングメッセージ、又は
商業モバイル警報サービスＣＭＡＳ通報を知らせるために使用されるページングメッセージ、のうちの少なくとも１つを含む、請求項６９から７６のいずれか一項に記載の方法。
【請求項７８】
前記ユーザ機器が前記第１のノードセルの前記システムメッセージを受信するか、かつ／又は
前記ユーザ機器が前記第１のノードセルを測定する、請求項６９、７６、又は７７に記載の方法。
【請求項７９】
メッセージ処理方法であって、
ユーザ機器により、第２のノードによって送信された第５のメッセージと、第１のノード情報とを受信するステップであって、前記第５のメッセージが、前記ユーザ機器をページングするために使用されるか、又はネットワークにアクセスするように前記ユーザ機器に指示するために使用されるか、又は無線リソース制御ＲＲＣ接続を確立するように前記ユーザ機器に指示するために使用され、前記第１のノード情報が、第１のノードについての情報を前記ユーザ機器に提供するために使用される、ステップと、
前記ユーザ機器により、前記第１のノード情報及び前記第５のメッセージに応じて前記第１のノードにアクセスするステップと
を含む、方法。
【請求項８０】
前記第１のノード情報が、第１のノードセルの識別子、前記第１のノードの識別子、前記第１のノードのアクセス構成、前記第１のノードのＲＲＣ構成、前記第１のノードのパケットデータコンバージェンスプロトコルＰＤＣＰ構成、前記第１のノードの無線リンク制御層プロトコルＲＬＣ構成、前記第１のノードのメディアアクセス制御ＭＡＣ構成、又は前記第１のノードの物理層構成、のうちの少なくとも１つを含む、請求項７９に記載の方法。
【請求項８１】
前記第１のノード情報が、第１のノードセルの識別子、又は前記第１のノードの識別子を含み、また前記第１のノード情報が第２のメッセージに含まれる、請求項７９に記載の方法。
【請求項８２】
前記ユーザ機器により、前記第５のメッセージ及び前記第１のノード情報に応じて前記第１のノードにアクセスする前記ステップが、
前記ユーザ機器により、前記第１のノードセルを、前記第５のメッセージに含まれる前記第１のノードの前記識別子又は前記第１のノードセルの前記識別子に応じて判定するステップと、
前記ユーザ機器により、前記第１のノードセルのシステムメッセージを前記第１のノードセル内でリッスンするステップと、
前記ユーザ機器により、前記第１のノードのアクセス構成を、前記第１のノードセルの前記受信されたシステムメッセージに応じて取得するステップと、
前記ユーザ機器により、前記第１のノードの前記取得されたアクセス構成に応じて前記第１のノードにアクセスするステップとを含む、請求項８１に記載の方法。
【請求項８３】
前記第１のノード情報が前記第１のノードの前記アクセス構成を含み、前記第１のノードの前記アクセス構成が前記第２のメッセージに含まれる、請求項８０又は８１に記載の方法。
【請求項８４】
前記ユーザ機器により、前記第５のメッセージ及び前記第１のノード情報に応じて前記第１のノードにアクセスする前記ステップが、
前記ユーザ機器により、前記第５のメッセージに応じて、前記ユーザ機器がページングされること、又はページングされてネットワークにアクセスすること、又はページングされてＲＲＣ接続を確立することを判定するステップと、
前記ユーザ機器により、前記第２のメッセージに含まれる前記第１のノードの前記アクセス構成に応じて前記第１のノードにアクセスするステップとを含む、請求項８３に記載の方法。
【請求項８５】
前記ユーザ機器により、前記第５のメッセージ及び前記第１のノード情報に応じて前記第１のノードにアクセスする前記ステップが、
前記ユーザ機器により、前記第５のメッセージに含まれる前記第１のノードセルの前記識別子又は前記第１のノードの前記識別子に応じて、前記ユーザ機器がアクセスする必要のあるノードが前記第１のノードセルの前記識別子又は前記第１のノードの前記識別子に対応する前記第１のノードであることを判定するステップと、
前記ユーザ機器により、前記第２のメッセージに含まれる前記第１のノードの前記アクセス構成に応じて前記第１のノードにアクセスするステップとを含む、請求項８３に記載の方法。
【請求項８６】
前記ユーザ機器により、前記第５のメッセージ及び前記第１のノード情報に応じて前記第１のノードにアクセスする前記ステップが、
前記ユーザ機器により、前記第５のメッセージに応じて、前記ユーザ機器がページングされること、又はページングされてネットワークにアクセスすること、又はページングされてＲＲＣ接続を確立することを判定するステップと、
前記ユーザ機器により、前記第２のノードによって送信された前記第２のメッセージを受信するステップであって、前記第２のメッセージが前記第１のノードの前記アクセス構成を含む、ステップと、
前記ユーザ機器により、前記第２のメッセージに含まれる前記第１のノードの前記アクセス構成に応じて前記第１のノードにアクセスするステップとを含む、請求項８３に記載の方法。
【請求項８７】
前記第２のメッセージが前記第５のメッセージである、請求項８１又は８３に記載の方法。
【請求項８８】
前記第５のメッセージがページングメッセージである、請求項７９から８７のいずれか一項に記載の方法。
【請求項８９】
前記第２のメッセージが前記ユーザ機器へ、前記第１のノード、前記第２のノード、又は第３のノードによって送信される、請求項８１又は８３に記載の方法。
【請求項９０】
前記ユーザ機器が、前記第２のノードに対応する第２のノードセルにとどまる、請求項７９から８９のいずれか一項に記載の方法。
【請求項９１】
前記ユーザ機器がページングメッセージを前記第２のノードに対応する前記第２のノードセルからのみ受信するか、又は
前記ユーザ機器がページングメッセージを前記第２のノードに対応する前記第２のノードセル内で受信し、また前記ユーザ機器がページングメッセージを前記第１のノードセル内で受信し、
前記ユーザ機器によって前記第１のノードセル内で受信される前記ページングメッセージが、下記の
第１の地震津波警報システムＥＴＷＳ関連通報及び／又は第２のＥＴＷＳ関連通報を通知するために使用されるページングメッセージ、又は
商業モバイル警報サービスＣＭＡＳ通報を知らせるために使用されるページングメッセージ、のうちの少なくとも１つを含む、請求項７９から９０のいずれか一項に記載の方法。
【請求項９２】
前記ユーザ機器が前記第１のノードセルの前記システムメッセージを受信するか、かつ／又は
前記ユーザ機器が前記第１のノードセルを測定する、請求項７９、９０、又は９１に記載の方法。
【発明の詳細な説明】
【技術分野】
【０００１】
本発明は通信技術の分野に関し、詳細にはメッセージ処理方法、ノード装置、及びユーザ機器に関する。
【背景技術】
【０００２】
ロングタームエボリューション（Ｌｏｎｇ  Ｔｅｒｍ  Ｅｖｏｌｕｔｉｏｎ，ＬＴＥ）技術の持続的な発展により、基地局間の協調サービスは、多様な異なるサービス要件を満たすように見受けられる。
【０００３】
新規ネットワーク配置としての異種ネットワーク（ＨｅｔＮｅｔ）配置が、次世代先進無線ネットワークに徐々に導入されている。ＨｅｔＮｅｔでは、いくつかの低出力ノードが、マクロセル（Ｍａｃｒｏ  ｃｅｌｌ）が属するマクロ基地局のカバレッジ内又はカバレッジの縁に配置され、これら低出力ノードのカバレッジは、マクロ基地局のカバレッジよりも小さい。低出力ノードとは、たとえば、遠隔無線ヘッド（Ｒｅｍｏｔｅ  Ｒａｄｉｏ  Ｈｅａｄ，ＲＲＨ）、小型基地局（Ｐｉｃｏ  ｅＮｏｄｅＢ，Ｐｉｃｏ  ｅＮＢ）、ホーム基地局（Ｈｏｍｅ  ｅＮｏｄｅＢ，Ｈ  ｅＮＢ）、中継装置（Ｒｅｌａｙ  Ｎｏｄｅ，ＲＮ）、アクセスポイント（Ａｃｃｅｓｓ  Ｐｏｉｎｔ，ＡＰ）、又は端末のことである。これらの低出力ノードのカバレッジは、マクロ基地局のカバレッジよりも小さいので、低出力局はまた、異種ネットワーク内のミニ基地局又はマイクロ基地局と呼ばれることもある。ＨｅｔＮｅｔでは、マイクロ基地局とマクロ基地局は、共同でユーザ機器（Ｕｓｅｒ  Ｅｑｕｉｐｍｅｎｔ，ＵＥ）向けのサービスを提供することができる。
【０００４】
マイクロ基地局もマクロ基地局も配置される異種ネットワーク内では、ＵＥがマイクロ基地局に存在する可能性が非常に高い。２つ以上のマイクロ基地局がトラッキングエリア（Ｔｒａｃｋｉｎｇ  Ａｒｅａ，ＴＡ）内にある。アイドル状態のＵＥをページングするには、全トラッキングエリア（Ｔｒａｃｋｉｎｇ  Ａｒｅａ，ＴＡ）内のすべてのマクロ基地局及びマイクロ基地局がページングメッセージを送信する必要がある。したがって、大量のメッセージがエアインタフェースを介して送信される必要があり、結果としてエアインタフェースリソースの浪費をもたらし、またネットワーク負荷が増大する。
【発明の概要】
【発明が解決しようとする課題】
【０００５】
本発明の実施形態は、エアインタフェースリソースを節減するメッセージ処理方法、ノード装置、及びユーザ機器を提供する。
【課題を解決するための手段】
【０００６】
第１の態様によれば、ノード装置が、送信機、メモリ、及びプロセッサを含めて提供され、
メモリは、プロセッサにより実行されるプログラムコードを記憶するように構成され、
プロセッサは、メモリに記憶されたプログラムを呼び出して、第１のメッセージを判定すると共に、送信機を制御して第１のメッセージをユーザ機器へ送信するように構成され、第１のメッセージは、第１のノードセルのシステムメッセージを受信するようにユーザ機器に指示するために使用されるか、又は第１のノードセルのシステムメッセージが更新されていることを示すために使用される。
【０００７】
第１の態様に関連して、第１の実現方式では、第１のメッセージは、下記の
第１のノードセルのページング構成パラメータ、第１のノードの識別子、第１のノードセルの識別子、第１のノードセルのシステムメッセージインジケータ、第１のノードセルのシステムメッセージコンテンツ、又は第１のノードセルの更新されたシステムメッセージコンテンツ、のうちの少なくとも１つを含む。
【０００８】
第１の態様又は第１の態様の第１の実現方式に関連して、第２の実現方式では、第１のメッセージは、構成メッセージ、ページングメッセージ、又はシステムメッセージである。
【０００９】
第１の態様に関連して、第３の実現方式では、第１のメッセージはページングメッセージであり、このページングメッセージは、下記の
第１のノードの識別子、第１のノードセルの識別子、又は第１のノードセルのシステムメッセージインジケータ、のうちの少なくとも１つを含む。
【００１０】
第１の態様、又は第１の態様の第１の実現方式から第１の態様の第３の実現方式までのいずれか１つに関連して、第４の実現方式では、第１のメッセージはページングメッセージであり、
プロセッサはさらに、送信機を制御して、第１のメッセージをユーザ機器へ送信する前に、第４のメッセージをユーザ機器へ送信するように構成され、第４のメッセージはページング構成パラメータを含む。
【００１１】
第１の態様に関連して、第５の実現方式では、第１のメッセージは構成メッセージ又はシステムメッセージであり、構成メッセージ又はシステムメッセージは、第１のノードセルのページング構成パラメータを含む。
【００１２】
第１の態様に関連して、第６の実現方式では、第１のメッセージはさらに、
ノード装置に対応する第２のノードセルのシステムメッセージが更新されていることを示すために使用されるか、又はノード装置に対応する第２のノードセルのシステムメッセージを受信するようにユーザ機器に指示するために使用される。
【００１３】
第１の態様、又は第１の態様の第１の実現方式から第１の態様の第６の実現方式までのいずれか１つに関連して、第７の実現方式では、プロセッサはさらに、第１のメッセージが判定される前に、第１のノードによって送信された第３のメッセージを受信するように構成され、この第３のメッセージは、第１のノードセルのシステムメッセージが更新されていることを示すために使用されるか、又は第１のノードセルのシステムメッセージを受信するようにユーザ機器に指示するために使用される。
【００１４】
第１の態様の第７の実現方式に関連して、第８の実現方式では、第３のメッセージは、第１のノードセルのページング構成パラメータ、第１のノードの識別子、第１のノードセルの識別子、第１のノードセルのシステムメッセージインジケータ、第１のノードセルのシステムメッセージコンテンツ、又は第１のノードセルの更新されたシステムメッセージコンテンツ、のうちの少なくとも１つを含む。
【００１５】
第１の態様、又は第１の態様の第１の実現方式から第１の態様の第８の実現方式までのいずれか１つに関連して、第９の実現方式では、ユーザ機器は、ノード装置に対応する第２のノードセルにとどまる。
【００１６】
第１の態様、又は第１の態様の第１の実現方式から第１の態様の第９の実現方式までのいずれか１つに関連して、第１０の実現方式では、ユーザ機器はページングメッセージをノード装置に対応する第２のノードセルからのみ受信するか、又は
ユーザ機器はページングメッセージをノード装置に対応する第２のノードセル内で受信し、またユーザ機器はページングメッセージを第１のノードセル内で受信し、
ユーザ機器によって第１のノードセル内で受信されるこのページングメッセージは、下記の
第１の地震津波警報システムＥＴＷＳ関連通報及び／又は第２のＥＴＷＳ関連通報を通知するために使用されるページングメッセージ、又は
商業モバイル警報サービスＣＭＡＳ通報を知らせるために使用されるページングメッセージ、のうちの少なくとも１つを含む。
【００１７】
第１の態様、第１の態様の第９の実現方式、又は第１の態様の第１０の実現方式に関連して、第１１の実現方式では、
ユーザ機器は第１のノードセルのシステムメッセージを受信するか、かつ／又は
ユーザ機器は第１のノードセルを測定する。
【００１８】
第２の態様によれば、ノード装置が、送信機、メモリ、及びプロセッサを含めて提供され、
メモリは、プロセッサにより実行されるプログラムコードを記憶するように構成され、
プロセッサは、メモリに記憶されたプログラムを呼び出して、第１のノード情報及び第５のメッセージを判定すると共に、送信機を制御して第１のノード情報及び第５のメッセージをユーザ機器へ送信するように構成される。この第５のメッセージは、ユーザ機器をページングするために使用されるか、又はネットワークにアクセスするようにユーザ機器に指示するために使用されるか、又は無線リソース制御ＲＲＣ接続を確立するようにユーザ機器に指示するために使用され、また第１のノード情報は、第１のノードについての情報をユーザ機器に提供するために使用される。
【００１９】
第２の態様に関連して、第１の実現方式では、第１のノード情報は、第１のノードセルの識別子、第１のノードの識別子、第１のノードセルのアクセス構成、第１のノードのＲＲＣ構成、第１のノードのパケットデータコンバージェンスプロトコルＰＤＣＰ構成、第１のノードの無線リンク制御層プロトコルＲＬＣ構成、第１のノードのメディアアクセス制御ＭＡＣ構成、又は第１のノードの物理層構成、のうちの少なくとも１つを含む。
【００２０】
第２の態様に関連して、第２の実現方式では、第１のノード情報は、第１のノードセルの識別子、又は第１のノードの識別子を含み、また第１のノード情報は第２のメッセージに含まれる。
【００２１】
第２の態様、又は第２の態様の第２の実現方式に関連して、第３の実現方式では、第１のノード情報は第１のノードのアクセス構成を含み、第１のノードのアクセス構成は、ノード装置によりユーザ機器へ送信される第２のメッセージに含まれる。
【００２２】
第２の態様の第２の実現方式、又は第２の態様の第３の実現方式に関連して、第４の実現方式では、第２のメッセージは第５のメッセージである。
【００２３】
第２の態様、又は第２の態様の第１の実現方式から第２の態様の第４の実現方式までのいずれか１つに関連して、第５の実現方式では、第５のメッセージはページングメッセージである。
【００２４】
第２の態様の第２の実現方式、又は第２の態様の第３の実現方式に関連して、第６の実現方式では、第２のメッセージは、
無線リソース制御ＲＲＣ接続再構成メッセージ又はシステムメッセージを含む。
【００２５】
第２の態様、又は第２の態様の第１の実現方式から第２の態様の第６の実現方式までのいずれか１つに関連して、第７の実現方式では、ユーザ機器は、ノード装置に対応する第２のノードセルにとどまる。
【００２６】
第２の態様、又は第２の態様の第１の実現方式から第２の態様の第７の実現方式までのいずれか１つに関連して、第８の実現方式では、ユーザ機器はページングメッセージをノード装置に対応する第２のノードセルからのみ受信するか、又は
ユーザ機器はページングメッセージをノード装置に対応する第２のノードセル内で受信し、またユーザ機器はページングメッセージを第１のノードセル内で受信し、
ユーザ機器によって第１のノードセル内で受信されるこのページングメッセージは、下記の
第１の地震津波警報システムＥＴＷＳ関連通報及び／又は第２のＥＴＷＳ関連通報を通知するために使用されるページングメッセージ、又は
商業モバイル警報サービスＣＭＡＳ通報を知らせるために使用されるページングメッセージ、のうちの少なくとも１つを含む。
【００２７】
第２の態様、第２の態様の第７の実現方式、又は第２の態様の第８の実現方式に関連して、第９の実現方式では、
ユーザ機器は第１のノードセルのシステムメッセージを受信するか、かつ／又は
ユーザ機器は第１のノードセルを測定する。
【００２８】
第３の態様によれば、ユーザ機器が、受信機、メモリ、及びプロセッサを含めて提供され、
メモリは、プロセッサにより実行されるプログラムコードを記憶するように構成され、
プロセッサは、メモリに記憶されたプログラムを呼び出して、受信機を使用することにより、第２のノードによって送信された第１のメッセージを受信するように、かつ、受信機を使用することにより、第１のノードセルのシステムメッセージ又は第１のノードセルの更新されたシステムメッセージを、第１のメッセージに応じて受信するように構成される。この第１のメッセージは、第１のノードセルのシステムメッセージを受信するようにユーザ機器に指示するために使用されるか、又は第１のノードセルの更新されたシステムメッセージを受信するようにユーザ機器に指示するために使用される。
【００２９】
第３の態様に関連して、第１の実現方式では、第１のメッセージは、第１のノードセルのページング構成パラメータ、第１のノードの識別子、第１のノードセルの識別子、第１のノードセルのシステムメッセージインジケータ、第１のノードセルのシステムメッセージコンテンツ、又は第１のノードセルの更新されたシステムメッセージコンテンツ、のうちの少なくとも１つを含む。
【００３０】
第３の態様、又は第３の態様の第１の実現方式に関連して、第２の実現方式では、第１のメッセージは、構成メッセージ、ページングメッセージ、又はシステムメッセージである。
【００３１】
第３の態様に関連して、第３の実現方式では、第１のメッセージはページングメッセージであり、このページングメッセージは、下記の、第１のノードの識別子、第１のノードセルの識別子、又は第１のノードセルのシステムメッセージインジケータ、のうちの少なくとも１つを含み、
プロセッサは、具体的には、
第１のノードセルのシステムメッセージ又は第１のノードセルの更新されたシステムメッセージを第１のノードセル内で、ページングメッセージに応じて受信するように構成される。
【００３２】
第３の態様、又は第３の態様の第１の実現方式から第３の態様の第３の実現方式までのいずれか１つに関連して、第４の実現方式では、第１のメッセージはページングメッセージであり、
プロセッサはさらに、
第２の受信ユニットが、第１のメッセージに応じて、第１のノードセルのシステムメッセージを受信するか、又は第１のノードセルの更新されたシステムメッセージを受信する前に、第２のノードによって送信された第４のメッセージを受信するように構成され、この第４のメッセージは、第１のノードセルのページング構成パラメータを含み、
プロセッサさらに、ページング時間を第１のノードセルのページング構成パラメータに応じて判定するように、かつ
ページングメッセージを第２のノードセル内で、判定されたページング時間内に受信するように構成される。このページングメッセージは、第１のノードのシステムメッセージが更新されていることを示すために使用されるか、又は第１のノードセルのシステムメッセージを受信するようにユーザ機器に指示するために使用される。
【００３３】
第３の態様に関連して、第５の実現方式では、第１のメッセージは構成メッセージ又はシステムメッセージであり、この構成メッセージ又はシステムメッセージは、第１のノードセルのページング構成パラメータを含み、
プロセッサはさらに、
第１のノードセルのシステムメッセージ又は第１のノードセルの更新されたシステムメッセージが、第１のメッセージに応じて受信される前に、ページング時間を第１のノードセルのページング構成パラメータに応じて判定するように構成され、
プロセッサはさらに、
ページングメッセージを第１のノードセル内で、判定されたページング時間内に受信するように構成される。このページングメッセージは、第１のノードのシステムメッセージが更新されていることを示すために使用されるか、又は第１のノードセルのシステムメッセージを受信するようにユーザ機器に指示するために使用される。
【００３４】
第３の態様、又は第３の態様の第１の実現方式から第３の態様の第５の実現方式までのいずれか１つに関連して、第６の実現方式では、プロセッサはさらに、
第２のノードセルの更新されたシステムメッセージ又は第２のノードセルのシステムメッセージを第２のノードセル内で、第１のメッセージに応じて受信するように構成される。
【００３５】
第３の態様、又は第３の態様の第１の実現方式から第３の態様の第６の実現方式までのいずれか１つに関連して、第７の実現方式では、
ユーザ機器は、第２のノードに対応する第２のノードセルにとどまる。
【００３６】
第３の態様、又は第３の態様の第１の実現方式から第３の態様の第７の実現方式までのいずれか１つに関連して、第８の実現方式では、ユーザ機器はページングメッセージを第２のノードに対応する第２のノードセルからのみ受信するか、又は
ユーザ機器はページングメッセージを第２のノードに対応する第２のノードセル内で受信し、またユーザ機器はページングメッセージを第１のノードセル内で受信し、
ユーザ機器によって第１のノードセル内で受信されるこのページングメッセージは、下記の
第１の地震津波警報システムＥＴＷＳ関連通報及び／又は第２のＥＴＷＳ関連通報を通知するために使用されるページングメッセージ、又は
商業モバイル警報サービスＣＭＡＳ通報を知らせるために使用されるページングメッセージ、のうちの少なくとも１つを含む。
【００３７】
第３の態様、第３の態様の第７の実現方式、又は第３の態様の第８の実現方式に関連して、第９の実現方式では、
ユーザ機器は第１のノードセルのシステムメッセージを受信するか、かつ／又は
ユーザ機器は第１のノードセルを測定する。
【００３８】
第４の態様によれば、ユーザ機器が、受信機、メモリ、及びプロセッサを含めて提供され、
メモリは、プロセッサにより実行されるプログラムコードを記憶するように構成され、
プロセッサは、メモリに記憶されたプログラムを呼び出して、受信機を使用することにより、第２のノードによって送信された第５のメッセージと、第１のノード情報とを受信するように、かつ、ユーザ機器を制御して、第１のノード情報及び第５のメッセージに応じて第１のノードにアクセスするように構成される。第５のメッセージは、ユーザ機器をページングするために使用されるか、又はネットワークにアクセスするようにユーザ機器に指示するために使用されるか、又は無線リソース制御ＲＲＣ接続を確立するようにユーザ機器に指示するために使用され、第１のノード情報は、第１のノードについての情報をユーザ機器に提供するために使用される。
【００３９】
第４の態様に関連して、第１の実現方式では、第１のノード情報は、第１のノードセルの識別子、第１のノードの識別子、第１のノードセルのアクセス構成、第１のノードのＲＲＣ構成、第１のノードのパケットデータコンバージェンスプロトコルＰＤＣＰ構成、第１のノードの無線リンク制御層プロトコルＲＬＣ構成、第１のノードのメディアアクセス制御ＭＡＣ構成、又は第１のノードの物理層構成、のうちの少なくとも１つを含む。
【００４０】
第４の態様に関連して、第２の実現方式では、第１のノード情報は、第１のノードセルの識別子、又は第１のノードの識別子を含み、また第１のノード情報は第２のメッセージに含まれる。
【００４１】
第４の態様の第２の実現方式に関連して、第３の実現方式では、プロセッサは、具体的にはユーザ機器を制御して、第５のメッセージ及び第１のノード情報に応じて、下記の
第５のメッセージに含まれる第１のノードの識別子又は第１のノードセルの識別子に応じて、第１のノードセルを判定する、
第１のノードセルのシステムメッセージを第１のノードセル内でリッスンする、
第１のノードのアクセス構成を、第１のノードセルの受信されたシステムメッセージに応じて取得する、かつ
第１のノードの取得されたアクセス構成に応じて、ユーザ機器を制御して第１のノードにアクセスする
方式で第１のノードにアクセスするように構成される。
【００４２】
第４の態様、又は第４の態様の第２の実現方式に関連して、第４の実現方式では、第１のノード情報は第１のノードのアクセス構成を含み、この第１のノードのアクセス構成は第２のメッセージに含まれる。
【００４３】
第４の態様の第４の実現方式に関連して、第５の実現方式では、プロセッサは、具体的にはユーザ機器を制御して、第５のメッセージ及び第１のノード情報に応じて、下記の
第５のメッセージに応じて、ユーザ機器がページングされること、又はページングされてネットワークにアクセスすること、又はページングされてＲＲＣ接続を確立することを判定する、かつ
第２のメッセージに含まれる第１のノードのアクセス構成に応じて、ユーザ機器を制御して第１のノードにアクセスする
方式で第１のノードにアクセスするように構成される。
【００４４】
第４の態様の第４の実現方式に関連して、第６の実現方式では、プロセッサは、具体的にはユーザ機器を制御して、第５のメッセージ及び第１のノード情報に応じて、下記の
第５のメッセージに含まれる第１のノードセルの識別子又は第１のノードの識別子に応じて、ユーザ機器がアクセスする必要があるノードが、第１のノードセルの識別子又は第１のノードの識別子に対応する第１のノードであることを判定する、かつ
第２のメッセージに含まれる第１のノードのアクセス構成に応じて第１のノードにアクセスする
方式で第１のノードにアクセスするように構成される。
【００４５】
第４の態様の第４の実現方式に関連して、第７の実現方式では、プロセッサは、具体的にはユーザ機器を制御して、第５のメッセージ及び第１のノード情報に応じて、下記の
第５のメッセージに応じて、ユーザ機器がページングされること、又はページングされてネットワークにアクセスすること、又はページングされてＲＲＣ接続を確立することを判定する、
第１のノードのアクセス構成を含む第２のメッセージを受信する、かつ
第２のメッセージに含まれる第１のノードのアクセス構成に応じて、ユーザ機器を制御して第１のノードにアクセスする
方式で第１のノードにアクセスするように構成される。
【００４６】
第４の態様の第２の実現方式、又は第４の態様の第４の実現方式に関連して、第８の実現方式では、第２のメッセージは第５のメッセージである。
【００４７】
第４の態様、又は第４の態様の第１の実現方式から第４の態様の第８の実現方式までのいずれか１つに関連して、第９の実現方式では、第５のメッセージはページングメッセージである。
【００４８】
第４の態様の第２の実現方式、又は第４の態様の第４の実現方式に関連して、第１０の実現方式では、第２のメッセージはユーザ機器へ、第１のノード、第２のノード、又は第３のノードによって送信される。
【００４９】
第４の態様、又は第４の態様の第１の実現方式から第４の態様の第１０の実現方式までのいずれか１つに関連して、第１１の実現方式では、ユーザ機器は、第２のノードに対応する第２のノードセルにとどまる。
【００５０】
第４の態様、又は第４の態様の第１の実現方式から第４の態様の第１１の実現方式までのいずれか１つに関連して、第１２の実現方式では、
ユーザ機器はページングメッセージを第２のノードに対応する第２のノードセルからのみ受信するか、又は
ユーザ機器はページングメッセージを第２のノードに対応する第２のノードセル内で受信し、またユーザ機器はページングメッセージを第１のノードセル内で受信し、
ユーザ機器によって第１のノードセル内で受信されるこのページングメッセージは、下記の
第１の地震津波警報システムＥＴＷＳ関連通報及び／又は第２のＥＴＷＳ関連通報を通知するために使用されるページングメッセージ、又は
商業モバイル警報サービスＣＭＡＳ通報を知らせるために使用されるページングメッセージ、のうちの少なくとも１つを含む。
【００５１】
第４の態様、第４の態様の第１１の実現方式、又は第４の態様の第１２の実現方式に関連して、第１３の実現方式では、
ユーザ機器は第１のノードセルのシステムメッセージを受信するか、かつ／又は
ユーザ機器は第１のノードセルを測定する。
【００５２】
第５の態様によれば、ノード装置が提供され、これは、
第１のメッセージを判定するように構成された判定ユニットであって、この第１のメッセージが、第１のノードセルのシステムメッセージを受信するようにユーザ機器に指示するために使用されるか、又は第１のノードセルのシステムメッセージが更新されていることを示すために使用される、判定ユニットと、
判定ユニットによって判定された第１のメッセージをユーザ機器へ送信するように構成された送信ユニットと
を含む。
【００５３】
第５の態様に関連して、第１の実現方式では、第１のメッセージは、下記の
第１のノードセルのページング構成パラメータ、第１のノードの識別子、第１のノードセルの識別子、第１のノードセルのシステムメッセージインジケータ、第１のノードセルのシステムメッセージコンテンツ、又は第１のノードセルの更新されたシステムメッセージコンテンツ、のうちの少なくとも１つを含む。
【００５４】
第５の態様、又は第５の態様の第１の実現方式に関連して、第２の実現方式では、第１のメッセージは、構成メッセージ、ページングメッセージ、又はシステムメッセージである。
【００５５】
第５の態様に関連して、第３の実現方式では、第１のメッセージはページングメッセージであり、このページングメッセージは、下記の
第１のノードの識別子、第１のノードセルの識別子、又は第１のノードセルのシステムメッセージインジケータ、のうちの少なくとも１つを含む。
【００５６】
第５の態様、又は第５の態様の第１の実現方式から第５の態様の第３の実現方式までのいずれか１つに関連して、第４の実現方式では、第１のメッセージはページングメッセージであり、
送信ユニットはさらに、第１のメッセージをユーザ機器へ送信する前に、第４のメッセージをユーザ機器へ送信するように構成され、この第４のメッセージはページング構成パラメータを含む。
【００５７】
第５の態様に関連して、第５の実現方式では、第１のメッセージは、構成メッセージ又はシステムメッセージであり、この構成メッセージ又はシステムメッセージは、第１のノードセルのページング構成パラメータを含む。
【００５８】
第５の態様に関連して、第６の実現方式では、第１のメッセージはさらに、
ノード装置に対応する第２のノードセルのシステムメッセージが更新されていることを示すために使用されるか、又はノード装置に対応する第２のノードセルのシステムメッセージを受信するようにユーザ機器に指示するために使用される。
【００５９】
第５の態様、又は第５の態様の第１の実現方式から第５の態様の第６の実現方式までのいずれか１つに関連して、第７の実現方式では、ノード装置はさらに、
判定ユニットが第１のメッセージを判定する前に、第１のノードによって送信された第３のメッセージを受信するように構成された受信ユニットを含む。この第３のメッセージは、第１のノードセルのシステムメッセージが更新されていることを示すために使用されるか、又は第１のノードセルのシステムメッセージを受信するようにユーザ機器に指示するために使用される。
【００６０】
第５の態様の第７の実現方式に関連して、第８の実現方式では、第３のメッセージは、第１のノードセルのページング構成パラメータ、第１のノードの識別子、第１のノードセルの識別子、第１のノードセルのシステムメッセージインジケータ、第１のノードセルのシステムメッセージコンテンツ、又は第１のノードセルの更新されたシステムメッセージコンテンツ、のうちの少なくとも１つを含む。
【００６１】
第５の態様、又は第５の態様の第１の実現方式から第５の態様の第８の実現方式までのいずれか１つに関連して、第９の実現方式では、ユーザ機器は、ノード装置に対応する第２のノードセルにとどまる。
【００６２】
第５の態様、又は第５の態様の第１の実現方式から第５の態様の第９の実現方式までのいずれか１つに関連して、第１０の実現方式では、
ユーザ機器はページングメッセージをノード装置に対応する第２のノードセルからのみ受信するか、又は
ユーザ機器はページングメッセージをノード装置に対応する第２のノードセル内で受信し、またユーザ機器はページングメッセージを第１のノードセル内で受信し、
ユーザ機器によって第１のノードセル内で受信されるこのページングメッセージは、下記の
第１の地震津波警報システムＥＴＷＳ関連通報及び／又は第２のＥＴＷＳ関連通報を通知するために使用されるページングメッセージ、又は
商業モバイル警報サービスＣＭＡＳ通報を知らせるために使用されるページングメッセージ、のうちの少なくとも１つを含む。
【００６３】
第５の態様、第５の態様の第９の実現方式、又は第５の態様の第１０の実現方式に関連して、第１１の実現方式では、
ユーザ機器は第１のノードセルのシステムメッセージを受信するか、かつ／又は
ユーザ機器は第１のノードセルを測定する。
【００６４】
第６の態様によれば、ノード装置が提供され、これは、
第１のノード情報及び第５のメッセージを判定するように構成された判定ユニットであって、この第５のメッセージが、ユーザ機器をページングするために使用されるか、又はネットワークにアクセスするようにユーザ機器に指示するために使用されるか、又は無線リソース制御ＲＲＣ接続を確立するようにユーザ機器に指示するために使用され、また第１のノード情報が、第１のノードについての情報をユーザ機器に提供するために使用される、判定ユニットと、
判定ユニットによって判定された第１のノード情報及び第５のメッセージをユーザ機器へ送信するように構成された送信ユニットと
を含む。
【００６５】
第６の態様に関連して、第１の実現方式では、第１のノード情報は、第１のノードセルの識別子、第１のノードの識別子、第１のノードセルのアクセス構成、第１のノードのＲＲＣ構成、第１のノードのパケットデータコンバージェンスプロトコルＰＤＣＰ構成、第１のノードの無線リンク制御層プロトコルＲＬＣ構成、第１のノードのメディアアクセス制御ＭＡＣ構成、又は第１のノードの物理層構成、のうちの少なくとも１つを含む。
【００６６】
第６の態様に関連して、第２の実現方式では、第１のノード情報は第１のノードセルの識別子、又は第１のノードの識別子を含み、また第１のノード情報は第２のメッセージに含まれる。
【００６７】
第６の態様、又は第６の態様の第２の実現方式に関連して、第３の実現方式では、第１のノード情報は第１のノードのアクセス構成を含み、この第１のノードのアクセス構成は、ノード装置によりユーザ機器へ送信される第２のメッセージに含まれる。
【００６８】
第６の態様の第２の実現方式、又は第６の態様の第３の実現方式に関連して、第４の実現方式では、第２のメッセージは第５のメッセージである。
【００６９】
第６の態様、又は第６の態様の第１の実現方式から第６の態様の第４の実現方式までのいずれか１つに関連して、第５の実現方式では、第５のメッセージはページングメッセージである。
【００７０】
第６の態様の第２の実現方式、又は第６の態様の第３の実現方式に関連して、第６の実現方式では、第２のメッセージは、
無線リソース制御ＲＲＣ接続再構成メッセージ又はシステムメッセージを含む。
【００７１】
第６の態様、又は第６の態様の第１の実現方式から第６の態様の第６の実現方式までのいずれか１つに関連して、第７の実現方式では、ユーザ機器は、ノード装置に対応する第２のノードセルにとどまる。
【００７２】
第６の態様、又は第６の態様の第１の実現方式から第６の態様の第７の実現方式までのいずれか１つに関連して、第８の実現方式では、ユーザ機器はページングメッセージをノード装置に対応する第２のノードセルからのみ受信するか、又は
ユーザ機器はページングメッセージをノード装置に対応する第２のノードセル内で受信し、またユーザ機器はページングメッセージを第１のノードセル内で受信し、
ユーザ機器によって第１のノードセル内で受信されるこのページングメッセージは、下記の
第１の地震津波警報システムＥＴＷＳ関連通報及び／又は第２のＥＴＷＳ関連通報を通知するために使用されるページングメッセージ、又は
商業モバイル警報サービスＣＭＡＳ通報を知らせるために使用されるページングメッセージ、のうちの少なくとも１つを含む。
【００７３】
第６の態様、第６の態様の第７の実現方式、又は第６の態様の第８の実現方式に関連して、第９の実現方式では、
ユーザ機器は第１のノードセルのシステムメッセージを受信するか、かつ／又は
ユーザ機器は第１のノードセルを測定する。
【００７４】
第７の態様によれば、ユーザ機器が提供され、これは、
第２のノードによって送信された第１のメッセージを受信するように構成された第１の受信ユニットであって、この第１のメッセージが、第１のノードセルのシステムメッセージを受信するようにユーザ機器に指示するために使用されるか、又は第１のノードセルの更新されたシステムメッセージを受信するようにユーザ機器に指示するために使用される、第１の受信ユニットと、
第１の受信ユニットで受信された第１のメッセージに応じて、第１のノードセルのシステムメッセージを受信するように、又は第１のノードセルの更新されたシステムメッセージを受信するように、構成された第２の受信ユニットと
を含む。
【００７５】
第７の態様に関連して、第１の実現方式では、第１のメッセージは、第１のノードセルのページング構成パラメータ、第１のノードの識別子、第１のノードセルの識別子、第１のノードセルのシステムメッセージインジケータ、第１のノードセルのシステムメッセージコンテンツ、又は第１のノードセルの更新されたシステムメッセージコンテンツ、のうちの少なくとも１つを含む。
【００７６】
第７の態様、又は第７の態様の第１の実現方式に関連して、第２の実現方式では、第１のメッセージは、構成メッセージ、ページングメッセージ、又はシステムメッセージである。
【００７７】
第７の態様に関連して、第３の実現方式では、第１のメッセージはページングメッセージであり、このページングメッセージは、下記の、第１のノードの識別子、第１のノードセルの識別子、又は第１のノードセルのシステムメッセージインジケータ、のうちの少なくとも１つを含み、
第２の受信ユニットは、具体的には、
第１のノードセルのシステムメッセージ又は第１のノードセルの更新されたシステムメッセージを第１のノードセル内で、ページングメッセージに応じて受信するように構成される。
【００７８】
第７の態様、又は第７の態様の第１の実現方式から第７の態様の第３の実現方式までのいずれか１つに関連して、第４の実現方式では、第１のメッセージはページングメッセージであり、
第１の受信ユニットはさらに、
第２の受信ユニットが、第１のメッセージに応じて、第１のノードセルのシステムメッセージを受信するか、又は第１のノードセルの更新されたシステムメッセージを受信する前に、第２のノードによって送信された第４のメッセージを受信するように構成される。この第４のメッセージは、第１のノードセルのページング構成パラメータを含み、
ユーザ機器はさらに、
ページング時間を第１のノードセルのページング構成パラメータに応じて判定するように構成された判定ユニットを含み、
第１の受信ユニットはさらに、
ページングメッセージを第２のノードセル内で、判定ユニットによって判定されたページング時間内に受信するように構成され、このページングメッセージは、第１のノードのシステムメッセージが更新されていることを示すために使用されるか、又は第１のノードセルのシステムメッセージを受信するようにユーザ機器に指示するために使用される。
【００７９】
第７の態様に関連して、第５の実現方式では、第１のメッセージは構成メッセージ又はシステムメッセージであり、この構成メッセージ又はシステムメッセージは、第１のノードセルのページング構成パラメータを含み、
ユーザ機器はさらに、
第２の受信ユニットが、第１のメッセージに応じて、第１のノードセルのシステムメッセージを受信するか、又は第１のノードセルの更新されたシステムメッセージを受信する前に、ページング時間を第１のノードセルのページング構成パラメータに応じて判定するように構成された判定ユニットを含み、
第１の受信ユニットはさらに、
ページングメッセージを第１のノードセル内で、判定ユニットによって判定されたページング時間内に受信するように構成される。このページングメッセージは、第１のノードのシステムメッセージが更新されていることを示すために使用されるか、又は第１のノードセルのシステムメッセージを受信するようにユーザ機器に指示するために使用される。
【００８０】
第７の態様、又は第７の態様の第１の実現方式から第７の態様の第５の実現方式までのいずれか１つに関連して、第６の実現方式では、第２の受信ユニットはさらに、
第２のノードセルの更新されたシステムメッセージ又は第２のノードセルのシステムメッセージを第２のノードセル内で、第１のメッセージに応じて受信するように構成される。
【００８１】
第７の態様、又は第７の態様の第１の実現方式から第７の態様の第６の実現方式までのいずれか１つに関連して、第７の実現方式では、
ユーザ機器は、第２のノードに対応する第２のノードセルにとどまる。
【００８２】
第７の態様、又は第７の態様の第１の実現方式から第７の態様の第７の実現方式までのいずれか１つに関連して、第８の実現方式では、ユーザ機器はページングメッセージを第２のノードに対応する第２のノードセルからのみ受信するか、又は
ユーザ機器はページングメッセージを第２のノードに対応する第２のノードセル内で受信し、またユーザ機器はページングメッセージを第１のノードセル内で受信し、
ユーザ機器によって第１のノードセル内で受信されるこのページングメッセージは、下記の
第１の地震津波警報システムＥＴＷＳ関連通報及び／又は第２のＥＴＷＳ関連通報を通知するために使用されるページングメッセージ、又は
商業モバイル警報サービスＣＭＡＳ通報を知らせるために使用されるページングメッセージ、のうちの少なくとも１つを含む。
【００８３】
第７の態様、第７の態様の第７の実現方式、また第７の態様の第８の実現方式に関連して、第９の実現方式では、
ユーザ機器は第１のノードセルのシステムメッセージを受信するか、かつ／又は
ユーザ機器は第１のノードセルを測定する。
【００８４】
第８の態様によれば、ユーザ機器が提供され、これは、
第２のノードによって送信された第５のメッセージと、第１のノード情報とを受信するように構成された受信ユニットであって、この第５のメッセージが、ユーザ機器をページングするために使用されるか、又はネットワークにアクセスするようにユーザ機器に指示するために使用されるか、又は無線リソース制御ＲＲＣ接続を確立するようにユーザ機器に指示するために使用され、第１のノード情報が、第１のノードについての情報をユーザ機器に提供するために使用される、受信ユニットと、
受信ユニットで受信された第１のノード情報及び第５のメッセージに応じて第１のノードにアクセスするように構成されたアクセスユニットと
を含む。
【００８５】
第８の態様に関連して、第１の実現方式では、第１のノード情報は、第１のノードセルの識別子、第１のノードの識別子、第１のノードのアクセス構成、第１のノードのＲＲＣ構成、第１のノードのパケットデータコンバージェンスプロトコルＰＤＣＰ構成、第１のノードの無線リンク制御層プロトコルＲＬＣ構成、第１のノードのメディアアクセス制御ＭＡＣ構成、又は第１のノードの物理層構成、のうちの少なくとも１つを含む。
【００８６】
第８の態様に関連して、第２の実現方式では、第１のノード情報は、第１のノードセルの識別子、又は第１のノードの識別子を含み、また第１のノード情報は第２のメッセージに含まれる。
【００８７】
第８の態様の第２の実現方式に関連して、第３の実現方式では、アクセスユニットは、具体的には、第５のメッセージ及び第１のノード情報に応じて、下記の
第５のメッセージに含まれる第１のノードの識別子又は第１のノードセルの識別子に応じて、第１のノードセルを判定する、
第１のノードセルのシステムメッセージを第１のノードセル内でリッスンする、
第１のノードのアクセス構成を、第１のノードセルの受信されたシステムメッセージに応じて取得する、かつ
第１のノードの取得されたアクセス構成に応じて第１のノードにアクセスする
方式で第１のノードにアクセスするように構成される。
【００８８】
第８の態様、又は第８の態様の第２の実現方式に関連して、第４の実現方式では、第１のノード情報は第１のノードのアクセス構成を含み、この第１のノードのアクセス構成は第２のメッセージに含まれる。
【００８９】
第８の態様の第４の実現方式に関連して、第５の実現方式では、アクセスユニットは、具体的には、第５のメッセージ及び第１のノード情報に応じて、下記の
第５のメッセージに応じて、ユーザ機器がページングされること、又はページングされてネットワークにアクセスすること、又はページングされてＲＲＣ接続を確立することを判定する、かつ
第２のメッセージに含まれる第１のノードのアクセス構成に応じて第１のノードにアクセスする
方式で第１のノードにアクセスするように構成される。
【００９０】
第８の態様の第４の実現方式に関連して、第６の実現方式では、アクセスユニットは、具体的には、第５のメッセージ及び第１のノード情報に応じて、下記の
第５のメッセージに含まれる第１のノードセルの識別子又は第１のノードの識別子に応じて、ユーザ機器がアクセスする必要があるノードが、第１のノードセルの識別子又は第１のノードの識別子に対応する第１のノードであることを判定する、かつ
第２のメッセージに含まれる第１のノードのアクセス構成に応じて第１のノードにアクセスする
方式で第１のノードにアクセスするように構成される。
【００９１】
第８の態様の第４の実現方式に関連して、第７の実現方式では、アクセスユニットは、具体的には、第５のメッセージ及び第１のノード情報に応じて、下記の
第５のメッセージに応じて、ユーザ機器がページングされること、又はページングされてネットワークにアクセスすること、又はページングされてＲＲＣ接続を確立することを判定する、
第１のノードのアクセス構成を含む第２のメッセージを受信する、かつ
第２のメッセージに含まれる第１のノードのアクセス構成に応じて第１のノードにアクセスする
方式で第１のノードにアクセスするように構成される。
【００９２】
第８の態様の第２の実現方式、又は第８の態様の第４の実現方式に関連して、第８の実現方式では、第２のメッセージは第５のメッセージである。
【００９３】
第８の態様、又は第８の態様の第１の実現方式から第８の態様の第８の実現方式までのいずれか１つに関連して、第９の実現方式では、第５のメッセージはページングメッセージである。
【００９４】
第８の態様の第２の実現方式、又は第８の態様の第４の実現方式に関連して、第１０の実現方式では、第２のメッセージはユーザ機器へ、第１のノード、第２のノード、又は第３のノードによって送信される。
【００９５】
第８の態様、又は第８の態様の第１の実現方式から第８の態様の第１０の実現方式までのいずれか１つに関連して、第１１の実現方式では、ユーザ機器は、第２のノードに対応する第２のノードセルにとどまる。
【００９６】
第８の態様、又は第８の態様の第１の実現方式から第８の態様の第１１の実現方式までのいずれか１つに関連して、第１２の実現方式では、
ユーザ機器はページングメッセージを第２のノードに対応する第２のノードセルからのみ受信するか、又は
ユーザ機器はページングメッセージを第２のノードに対応する第２のノードセル内で受信し、またユーザ機器はページングメッセージを第１のノードセル内で受信し、
ユーザ機器によって第１のノードセル内で受信されるこのページングメッセージは、下記の
第１の地震津波警報システムＥＴＷＳ関連通報及び／又は第２のＥＴＷＳ関連通報を通知するために使用されるページングメッセージ、又は
商業モバイル警報サービスＣＭＡＳ通報を知らせるために使用されるページングメッセージ、のうちの少なくとも１つを含む。
【００９７】
第８の態様、第８の態様の第１１の実現方式、又は第８の態様の第１２の実現方式に関連して、第１３の実現方式では、
ユーザ機器は第１のノードセルのシステムメッセージを受信するか、かつ／又は
ユーザ機器は第１のノードセルを測定する。
【００９８】
第９の態様によれば、メッセージ処理方法が提供され、これは、
第２のノードにより、第１のメッセージを判定するステップであって、この第１のメッセージが、第１のノードセルのシステムメッセージを受信するようにユーザ機器に指示するために使用されるか、又は第１のノードセルのシステムメッセージが更新されていることを示すために使用される、ステップと、
第２のノードにより、第１のメッセージをユーザ機器へ送信するステップと
を含む。
【００９９】
第９の態様に関連して、第１の実現方式では、第１のメッセージは、下記の
第１のノードセルのページング構成パラメータ、第１のノードの識別子、第１のノードセルの識別子、第１のノードセルのシステムメッセージインジケータ、第１のノードセルのシステムメッセージコンテンツ、又は第１のノードセルの更新されたシステムメッセージコンテンツ、のうちの少なくとも１つを含む。
【０１００】
第９の態様、又は第９の態様の第１の実現方式に関連して、第２の実現方式では、第１のメッセージは、構成メッセージ、ページングメッセージ、又はシステムメッセージである。
【０１０１】
第９の態様に関連して、第３の実現方式では、第１のメッセージはページングメッセージであり、このページングメッセージは、下記の
第１のノードの識別子、第１のノードセルの識別子、又は第１のノードセルのシステムメッセージインジケータ、のうちの少なくとも１つを含む。
【０１０２】
第９の態様、又は第９の態様の第１の実現方式から第９の態様の第３の実現方式までのいずれか１つに関連して、第４の実現方式では、第１のメッセージはページングメッセージであり、
第２のノードにより、第１のメッセージをユーザ機器へ送信するステップの前に、この方法はさらに、
第２のノードにより、第４のメッセージをユーザ機器へ送信するステップを含み、この第４のメッセージはページング構成パラメータを含む。
【０１０３】
第９の態様に関連して、第５の実現方式では、第１のメッセージは構成メッセージ又はシステムメッセージであり、この構成メッセージ又はシステムメッセージは、第１のノードセルのページング構成パラメータを含む。
【０１０４】
第９の態様に関連して、第６の実現方式では、第１のメッセージはさらに、
第２のノードセルのシステムメッセージが更新されていることを示すために使用されるか、又は第２のノードセルのシステムメッセージを受信するようにユーザ機器に指示するために使用される。
【０１０５】
第９の態様、又は第９の態様の第１の実現方式から第９の態様の第６の実現方式までのいずれか１つに関連して、第７の実現方式では、第２のノードにより、第１のメッセージを判定するステップの前に、この方法はさらに、
第２のノードにより、第１のノードによって送信された第３のメッセージを受信するステップを含む。この第３のメッセージは、第１のノードセルのシステムメッセージが更新されていることを示すために使用されるか、又は第１のノードセルのシステムメッセージを受信するようにユーザ機器に指示するために使用される。
【０１０６】
第９の態様の第７の実現方式に関連して、第８の実現方式では、第３のメッセージは、第１のノードセルのページング構成パラメータ、第１のノードの識別子、第１のノードセルの識別子、第１のノードセルのシステムメッセージインジケータ、第１のノードセルのシステムメッセージコンテンツ、又は第１のノードセルの更新されたシステムメッセージコンテンツ、のうちの少なくとも１つを含む。
【０１０７】
第９の態様、又は第９の態様の第１の実現方式から第９の態様の第８の実現方式までのいずれか１つに関連して、第９の実現方式では、ユーザ機器は、第２のノード対応する第２のノードセルにとどまる。
【０１０８】
第９の態様、又は第９の態様の第１の実現方式から第９の態様の第９の実現方式までのいずれか１つに関連して、第１０の実現方式では、ユーザ機器はページングメッセージを第２のノードに対応する第２のノードセルからのみ受信するか、又は
ユーザ機器はページングメッセージを第２のノードに対応する第２のノードセル内で受信し、またユーザ機器はページングメッセージを第１のノードセル内で受信し、
ユーザ機器によって第１のノードセル内で受信されるこのページングメッセージは、下記の
第１の地震津波警報システムＥＴＷＳ関連通報及び／又は第２のＥＴＷＳ関連通報を通知するために使用されるページングメッセージ、又は
商業モバイル警報サービスＣＭＡＳ通報を知らせるために使用されるページングメッセージ、のうちの少なくとも１つを含む。
【０１０９】
第９の態様、第９の態様の第９の実現方式、又は第９の態様の第１０の実現方式に関連して、第１１の実現方式では、
ユーザ機器は第１のノードセルのシステムメッセージを受信するか、かつ／又は
ユーザ機器は第１のノードセルを測定する。
【０１１０】
第１０の態様によれば、メッセージ処理方法が提供され、これは、
第２のノードにより、第１のノード情報及び第５のメッセージを判定するステップであって、この第５のメッセージが、ユーザ機器をページングするために使用されるか、又はネットワークにアクセスするようにユーザ機器に指示するために使用されるか、又は無線リソース制御ＲＲＣ接続を確立するようにユーザ機器に指示するために使用され、また第１のノード情報が、第１のノードについての情報をユーザ機器に提供するために使用される、ステップと、
第２のノードにより、第１のノード情報及び第５のメッセージをユーザ機器へ送信するステップと
を含む。
【０１１１】
第１０の態様に関連して、第１の実現方式では、第１のノード情報は、第１のノードセルの識別子、第１のノードの識別子、第１のノードセルのアクセス構成、第１のノードのＲＲＣ構成、第１のノードのパケットデータコンバージェンスプロトコルＰＤＣＰ構成、第１のノードの無線リンク制御層プロトコルＲＬＣ構成、第１のノードのメディアアクセス制御ＭＡＣ構成、又は第１のノードの物理層構成、のうちの少なくとも１つを含む。
【０１１２】
第１０の態様に関連して、第２の実現方式では、第１のノード情報は、第１のノードセルの識別子又は第１のノードの識別子を含み、また第１のノード情報は第２のメッセージに含まれる。
【０１１３】
第１０の態様、又は第１０の態様の第２の実現方式に関連して、第３の実現方式では、第１のノード情報は第１のノードのアクセス構成を含み、この第１のノードのアクセス構成は、第２のノードによりユーザ機器へ送信される第２のメッセージに含まれる。
【０１１４】
第１０の態様の第２の実現方式、又は第１０の態様の第３の実現方式に関連して、第４の実現方式では、第２のメッセージは第５のメッセージである。
【０１１５】
第１０の態様、又は第１０の態様の第１の実現方式から第１０の態様の第４の実現方式までのいずれか１つに関連して、第５の実現方式では、第５のメッセージはページングメッセージである。
【０１１６】
第１０の態様の第２の実現方式、又は第１０の態様の第３の実現方式に関連して、第６の実現方式では、第２のメッセージは、
無線リソース制御ＲＲＣ接続再構成メッセージ又はシステムメッセージを含む。
【０１１７】
第１０の態様、又は第１０の態様の第１の実現方式から第１０の態様の第６の実現方式までのいずれか１つに関連して、第７の実現方式では、ユーザ機器は、第２のノードに対応する第２のノードセルにとどまる。
【０１１８】
第１０の態様、又は第１０の態様の第１の実現方式から第１０の態様の第７の実現方式までのいずれか１つに関連して、第８の実現方式では、ユーザ機器はページングメッセージを第２のノードに対応する第２のノードセルからのみ受信するか、又は
ユーザ機器はページングメッセージを第２のノードに対応する第２のノードセル内で受信し、またユーザ機器はページングメッセージを第１のノードセル内で受信し、
ユーザ機器によって第１のノードセル内で受信されるこのページングメッセージは、下記の
第１の地震津波警報システムＥＴＷＳ関連通報及び／又は第２のＥＴＷＳ関連通報を通知するために使用されるページングメッセージ、又は
商業モバイル警報サービスＣＭＡＳ通報を知らせるために使用されるページングメッセージ、のうちの少なくとも１つを含む。
【０１１９】
第１０の態様、第１０の態様の第７の実現方式、又は第１０の態様の第８の実現方式に関連して、第９の実現方式では、
ユーザ機器は第１のノードセルのシステムメッセージを受信するか、かつ／又は
ユーザ機器は第１のノードセルを測定する。
【０１２０】
第１１の態様によれば、メッセージ処理方法が提供され、これは、
ユーザ機器により、第２のノードによって送信された第１のメッセージを受信するステップであって、この第１のメッセージが、第１のノードセルのシステムメッセージを受信するようにユーザ機器に指示するために使用される、ステップと、
ユーザ機器により、第１のノードセルのシステムメッセージを第１のメッセージに応じて受信するステップとを含むか、又は
ユーザ機器により、第２のノードによって送信された第１のメッセージを受信するステップであって、この第１のメッセージが、第１のノードセルの更新されたシステムメッセージを受信するようにユーザ機器に指示するために使用される、ステップと、
ユーザ機器により、第１のノードセルの更新されたシステムメッセージを第１のメッセージに応じて受信するステップとを含む。
【０１２１】
第１１の態様に関連して、第１の実現方式では、第１のメッセージは、第１のノードセルのページング構成パラメータ、第１のノードの識別子、第１のノードセルの識別子、第１のノードセルのシステムメッセージインジケータ、第１のノードセルのシステムメッセージコンテンツ、又は第１のノードセルの更新されたシステムメッセージコンテンツ、のうちの少なくとも１つを含む。
【０１２２】
第１１の態様、又は第１１の態様の第１の実現方式に関連して、第２の実現方式では、第１のメッセージは、構成メッセージ、ページングメッセージ、又はシステムメッセージである。
【０１２３】
第１１の態様に関連して、第３の実現方式では、第１のメッセージはページングメッセージであり、このページングメッセージは、下記の、第１のノードの識別子、第１のノードセルの識別子、又は第１のノードセルのシステムメッセージインジケータ、のうちの少なくとも１つを含み、
ユーザ機器は、第１のノードセルのシステムメッセージ又は第１のノードセルの更新されたシステムメッセージを第１のノードセル内で、ページングメッセージに応じて受信する。
【０１２４】
第１１の態様、又は第１１の態様の第１の実現方式から第１１の態様の第３の実現方式までのいずれか１つに関連して、第４の実現方式では、第１のメッセージはページングメッセージであり、
ユーザ機器により、第１のメッセージに応じて、第１のノードセルのシステムメッセージを受信するか、又は第１のノードセルの更新されたシステムメッセージを受信する前に、この方法はさらに、
ユーザ機器により、第２のノードによって送信された第４のメッセージを受信するステップであって、この第４のメッセージが第１のノードセルのページング構成パラメータを含む、ステップと、
ページング時間を第１のノードセルのページング構成パラメータに応じて判定するステップと、
ユーザ機器により、ページングメッセージを第２のノードセル内で、ページング時間内に受信するステップであって、このページングメッセージが、第１のノードのシステムメッセージが更新されていることを示すために使用されるか、又は第１のノードセルのシステムメッセージを受信するようにユーザ機器に指示するために使用される、ステップと
を含む。
【０１２５】
第１１の態様に関連して、第５の実現方式では、第１のメッセージは構成メッセージ又はシステムメッセージであり、この構成メッセージ又はシステムメッセージは、第１のノードセルのページング構成パラメータを含み、
ユーザ機器により、第１のメッセージに応じて、第１のノードセルのシステムメッセージを受信するか、又は第１のノードセルの更新されたシステムメッセージを受信する前に、この方法はさらに、
ページング時間を第１のノードセルのページング構成パラメータに応じて判定するステップと、
ユーザ機器により、ページングメッセージを第１のノードセル内で、ページング時間内に受信するステップであって、このページングメッセージが、第１のノードのシステムメッセージが更新されていることを示すために使用されるか、又は第１のノードセルのシステムメッセージを受信するようにユーザ機器に指示するために使用される、ステップと
を含む。
【０１２６】
第１１の態様、又は第１１の態様の第１の実現方式から第１１の態様の第５の実現方式までのいずれか１つに関連して、第６の実現方式では、この方法はさらに、
ユーザ機器により、第２のノードセルの更新されたシステムメッセージ又は第２のノードセルのシステムメッセージを第２のノードセル内で、第１のメッセージに応じて受信するステップを含む。
【０１２７】
第１１の態様、又は第１１の態様の第１の実現方式から第１１の態様の第６の実現方式までのいずれか１つに関連して、第７の実現方式では、
ユーザ機器は、第２のノードに対応する第２のノードセルにとどまる。
【０１２８】
第１１の態様、又は第１１の態様の第１の実現方式から第１１の態様の第７の実現方式までのいずれか１つに関連して、第８の実現方式では、ユーザ機器はページングメッセージを第２のノードに対応する第２のノードセルからのみ受信するか、又は
ユーザ機器はページングメッセージを第２のノードに対応する第２のノードセル内で受信し、またユーザ機器はページングメッセージを第１のノードセル内で受信し、
ユーザ機器によって第１のノードセル内で受信されるこのページングメッセージは、下記の
第１の地震津波警報システムＥＴＷＳ関連通報及び／又は第２のＥＴＷＳ関連通報を通知するために使用されるページングメッセージ、又は
商業モバイル警報サービスＣＭＡＳ通報を知らせるために使用されるページングメッセージ、のうちの少なくとも１つを含む。
【０１２９】
第１１の態様、第１１の態様の第７の実現方式、又は第１１の態様の第８の実現方式に関連して、第９の実現方式では、
ユーザ機器は第１のノードセルのシステムメッセージを受信するか、かつ／又は
ユーザ機器は第１のノードセルを測定する。
【０１３０】
第１２の態様によれば、メッセージ処理方法が提供され、これは、
ユーザ機器により、第２のノードによって送信された第５のメッセージと、第１のノード情報とを受信するステップであって、この第５のメッセージが、ユーザ機器をページングするために使用されるか、又はネットワークにアクセスするようにユーザ機器に指示するために使用されるか、又は無線リソース制御ＲＲＣ接続を確立するようにユーザ機器に指示するために使用され、第１のノード情報が、第１のノードについての情報をユーザ機器に提供するために使用される、ステップと、
ユーザ機器により、第１のノード情報及び第５のメッセージに応じて第１のノードにアクセスするステップと
を含む。
【０１３１】
第１２の態様に関連して、第１の実現方式では、第１のノード情報は、第１のノードセルの識別子、第１のノードの識別子、第１のノードのアクセス構成、第１のノードのＲＲＣ構成、第１のノードのパケットデータコンバージェンスプロトコルＰＤＣＰ構成、第１のノードの無線リンク制御層プロトコルＲＬＣ構成、第１のノードのメディアアクセス制御ＭＡＣ構成、又は第１のノードの物理層構成、のうちの少なくとも１つを含む。
【０１３２】
第１２の態様に関連して、第２の実現方式では、第１のノード情報は、第１のノードセルの識別子又は第１のノードの識別子を含み、また第１のノード情報は第２のメッセージに含まれる。
【０１３３】
第１２の態様の第２の実現方式に関連して、第３の実現方式では、ユーザ機器により、第５のメッセージ及び第１のノード情報に応じて第１のノードにアクセスするステップは、
ユーザ機器により、第１のノードセルを、第５のメッセージに含まれる第１のノードの識別子又は第１のノードセルの識別子に応じて判定するステップと、
ユーザ機器により、第１のノードセルのシステムメッセージを第１のノードセル内でリッスンするステップと、
ユーザ機器により、第１のノードのアクセス構成を、第１のノードセルの受信されたシステムメッセージに応じて取得するステップと、
ユーザ機器により、第１のノードの取得されたアクセス構成に応じて第１のノードにアクセスするステップとを含む。
【０１３４】
第１２の態様、又は第１２の態様の第２の実現方式に関連して、第４の実現方式では、第１のノード情報は第１のノードのアクセス構成を含み、この第１のノードのアクセス構成は第２のメッセージに含まれる。
【０１３５】
第１２の態様の第４の実現方式に関連して、第５の実現方式では、ユーザ機器により、第５のメッセージ及び第１のノード情報に応じて第１のノードにアクセスするステップは、
ユーザ機器により、第５のメッセージに応じて、ユーザ機器がページングされること、又はページングされてネットワークにアクセスすること、又はページングされてＲＲＣ接続を確立することを判定するステップと、
ユーザ機器により、第２のメッセージに含まれる第１のノードのアクセス構成に応じて第１のノードにアクセスするステップとを含む。
【０１３６】
第１２の態様の第４の実現方式に関連して、第６の実現方式では、ユーザ機器により、第５のメッセージ及び第１のノード情報に応じて第１のノードにアクセスするステップは、
ユーザ機器により、第５のメッセージに含まれる第１のノードセルの識別子又は第１のノードの識別子に応じて、ユーザ機器がアクセスする必要のあるノードが第１のノードセルの識別子又は第１のノードの識別子に対応する第１のノードであることを判定するステップと、
ユーザ機器により、第２のメッセージに含まれる第１のノードのアクセス構成に応じて第１のノードにアクセスするステップとを含む。
【０１３７】
第１２の態様の第４の実現方式に関連して、第７の実現方式では、ユーザ機器により、第５のメッセージ及び第１のノード情報に応じて第１のノードにアクセスするステップは、
ユーザ機器により、第５のメッセージに応じて、ユーザ機器がページングされること、又はページングされてネットワークにアクセスすること、又はページングされてＲＲＣ接続を確立することを判定するステップと、
ユーザ機器により、第２のノードによって送信された第２のメッセージを受信するステップであって、この第２のメッセージは、第１のノードのアクセス構成を含む、ステップと、
ユーザ機器により、第２のメッセージに含まれる第１のノードのアクセス構成に応じて第１のノードにアクセスするステップとを含む。
【０１３８】
第１２の態様の第２の実現方式、又は第１２の態様の第４の実現方式に関連して、第８の実現方式では、第２のメッセージは第５のメッセージである。
【０１３９】
第１２の態様、又は第１２の態様の第１の実現方式から第１２の態様の第８の実現方式までのいずれか１つに関連して、第９の実現方式では、第５のメッセージはページングメッセージである。
【０１４０】
第１２の態様の第２の実現方式、又は第１２の態様の第４の実現方式に関連して、第１０の実現方式では、第２のメッセージはユーザ機器へ、第１のノード、第２のノード、又は第３のノードによって送信される。
【０１４１】
第１２の態様、又は第１２の態様の第１の実現方式から第１２の態様の第１０の実現方式までのいずれか１つに関連して、第１１の実現方式では、ユーザ機器は、第２のノードに対応する第２のノードセルにとどまる。
【０１４２】
第１２の態様、又は第１２の態様の第１の実現方式から第１２の態様の第１１の実現方式までのいずれか１つに関連して、第１２の実現方式では、
ユーザ機器はページングメッセージを第２のノードに対応する第２のノードセルからのみ受信するか、又は
ユーザ機器はページングメッセージを第２のノードに対応する第２のノードセル内で受信し、またユーザ機器はページングメッセージを第１のノードセル内で受信し、
ユーザ機器によって第１のノードセル内で受信されるこのページングメッセージは、下記の
第１の地震津波警報システムＥＴＷＳ関連通報及び／又は第２のＥＴＷＳ関連通報を通知するために使用されるページングメッセージ、又は
商業モバイル警報サービスＣＭＡＳ通報を知らせるために使用されるページングメッセージ、のうちの少なくとも１つを含む。
【０１４３】
第１２の態様、第１２の態様の第１１の実現方式、又は第１２の態様の第１２の実現方式に関連して、第１３の実現方式では、
ユーザ機器は第１のノードセルのシステムメッセージを受信するか、かつ／又は
ユーザ機器は第１のノードセルを測定する。
【０１４４】
本発明の実施形態において提供されるメッセージ処理方法、ノード装置及びユーザ機器によって、第２のノードが第１のメッセージを判定し、この判定された第１のメッセージをユーザ機器へ送信する。この第１のメッセージは、第１のノードセルのシステムメッセージを受信するようにユーザ機器に指示するために使用されるか、又は第１のノードセルのシステムメッセージが更新されていることを示すために使用される。ユーザ機器は、第１のノードセルのシステムメッセージ又は第１のノードセルの更新されたシステムメッセージを、第２のノードによって送信された、受信済みの第１のメッセージに応じて受信することができる。こうして、ユーザ機器は、第２のノードに存在すること、及び第２のノードによりページングされることができ、第１のノードがページングを行う必要がなく、それによってエアインタフェースリソースを節減する。
【図面の簡単な説明】
【０１４５】
【図１】本発明の一実施形態によるノード装置の概略構成図である。
【図２】本発明の一実施形態による別のノード装置の概略構成図である。
【図３】本発明の一実施形態によるユーザ機器の概略構成図である。
【図４】本発明の一実施形態による別のユーザ機器の概略構成図である。
【図５Ａ】本発明の一実施形態によるさらに別のノード装置の概略構成図である。
【図５Ｂ】本発明の一実施形態によるさらに別のノード装置の概略構成図である。
【図６】本発明の一実施形態によるさらにまた別のノード装置の概略構成図である。
【図７Ａ】本発明の一実施形態によるさらに別のユーザ機器の概略構成図である。
【図７Ｂ】本発明の一実施形態によるさらに別のユーザ機器の概略構成図である。
【図８】本発明の一実施形態によるさらにまた別のユーザ機器の概略構成図である。
【図９Ａ】本発明の一実施形態によるメッセージ処理方法の流れ図である。
【図９Ｂ】本発明の一実施形態によるメッセージ処理方法の流れ図である。
【図９Ｃ】本発明の一実施形態によるメッセージ処理方法の流れ図である。
【図９Ｄ】本発明の一実施形態によるメッセージ処理方法の流れ図である。
【図９Ｅ】本発明の一実施形態によるメッセージ処理方法の流れ図である。
【図９Ｆ】本発明の一実施形態によるメッセージ処理方法の流れ図である。
【図９Ｇ】本発明の一実施形態によるメッセージ処理方法の流れ図である。
【図９Ｈ】本発明の一実施形態によるメッセージ処理方法の流れ図である。
【図９Ｉ】本発明の一実施形態によるメッセージ処理方法の流れ図である。
【図１０Ａ】本発明の別の実施形態によるメッセージ処理方法の流れ図である。
【図１０Ｂ】本発明の別の実施形態によるメッセージ処理方法の流れ図である。
【図１０Ｃ】本発明の別の実施形態によるメッセージ処理方法の流れ図である。
【図１０Ｄ】本発明の別の実施形態によるメッセージ処理方法の流れ図である。
【図１１Ａ】本発明のさらに別の実施形態によるメッセージ処理方法の流れ図である。
【図１１Ｂ】本発明のさらに別の実施形態によるメッセージ処理方法の流れ図である。
【図１１Ｃ】本発明のさらに別の実施形態によるメッセージ処理方法の流れ図である。
【図１１Ｄ】本発明のさらに別の実施形態によるメッセージ処理方法の流れ図である。
【図１１Ｅ】本発明のさらに別の実施形態によるメッセージ処理方法の流れ図である。
【図１１Ｆ】本発明のさらに別の実施形態によるメッセージ処理方法の流れ図である。
【図１１Ｇ】本発明のさらに別の実施形態によるメッセージ処理方法の流れ図である。
【図１１Ｈ】本発明のさらに別の実施形態によるメッセージ処理方法の流れ図である。
【図１１Ｉ】本発明のさらに別の実施形態によるメッセージ処理方法の流れ図である。
【図１１Ｊ】本発明のさらに別の実施形態によるメッセージ処理方法の流れ図である。
【図１２Ａ】本発明のさらにまた別の実施形態によるメッセージ処理方法の流れ図である。
【図１２Ｂ】本発明のさらにまた別の実施形態によるメッセージ処理方法の流れ図である。
【図１２Ｃ】本発明のさらにまた別の実施形態によるメッセージ処理方法の流れ図である。
【図１２Ｄ】本発明のさらにまた別の実施形態によるメッセージ処理方法の流れ図である。
【図１２Ｅ】本発明のさらにまた別の実施形態によるメッセージ処理方法の流れ図である。
【図１３Ａ】本発明の一実施形態によるメッセージ処理方法の概略相互作用図である。
【図１３Ｂ】本発明の一実施形態によるメッセージ処理方法の概略相互作用図である。
【図１３Ｃ】本発明の一実施形態によるメッセージ処理方法の概略相互作用図である。
【図１３Ｄ】本発明の一実施形態によるメッセージ処理方法の概略相互作用図である。
【図１３Ｅ】本発明の一実施形態によるメッセージ処理方法の概略相互作用図である。
【図１４Ａ】本発明の別の実施形態によるメッセージ処理方法の概略相互作用図である。
【図１４Ｂ】本発明の別の実施形態によるメッセージ処理方法の概略相互作用図である。
【図１４Ｃ】本発明の別の実施形態によるメッセージ処理方法の概略相互作用図である。
【発明を実施するための形態】
【０１４６】
下記では、本発明の実施形態における技法的解決策について、本発明の実施形態における添付の図面を参照して明確に説明する。
【０１４７】
マイクロ基地局もマクロ基地局も配置される異種ネットワークにおいて、エアインタフェースリソースの浪費を回避するために、可能な実現方式は、ＵＥをマクロ基地局にとどまらせ、マイクロ基地局に対応するマイクロセル内でページングメッセージを受信しないようにＵＥを制御することである。しかしながら、ページングメッセージが通常、システムメッセージが更新されていることをＵＥに通知するために使用される。ＵＥがページングメッセージをミニセル内で受信しない場合、ＵＥは、マイクロセルの更新されたシステムメッセージを適時に受信することができない。
【０１４８】
本発明の実施形態は、ＵＥが異種ネットワーク内のノードセル（たとえば、第２のノードのセルＡ）にとどまることができるようにするメッセージ処理方法、ノード装置、及びユーザ機器を提供する。ＵＥがとどまらない別のノードのセル（たとえば、第１のノードのセルＢ）では、任意選択で、ＵＥはセルを測定し、かつ／又はシステムメッセージをリッスンすることができる。ＵＥがとどまらない別のノードのセル（たとえば、第１のノードのセルＢ）では、ページングメッセージを送信する機能がサポートされず、或いはただ、第１の地震津波警報システム（Ｅａｒｔｈｑｕａｋｅ  ａｎｄ  Ｔｓｕｎａｍｉ  Ｗａｒｎｉｎｇ  Ｓｙｓｔｅｍ，ＥＴＷＳ）関連通報及び／又は第２のＥＴＷＳ関連通報を通知するために使用されるページングメッセージ、又は商業モバイル警報サービス（Ｃｏｍｍｅｒｃｉａｌ  Ｍｏｂｉｌｅ  Ａｌｅｒｔ  Ｓｅｒｖｉｃｅ，ＣＭＡＳ）通報を知らせるために使用されるページングメッセージだけが送信される。したがって、ＵＥに関しては、ＵＥはノードセルにとどまり、ページングメッセージ及びシステムメッセージをセル内で受信する。加えて、ＵＥがとどまらない別のノードのセル（たとえば、第２のノードセルＢ）では、特に、たとえば信号品質が良好であるセルでは、ＵＥは、このようなセル内でページングメッセージを受信できず、或いはただ、ＥＴＷＳ関連ページングメッセージ及び／又はＣＭＡＳ関連ページングメッセージだけを受信することができる。任意選択で、ＵＥはそのようなセル内で測定を行い、かつ／又はシステムメッセージを受信し、それによって、セルの信号品質を判定する。１つのネットワークがＵＥをページングしてそのネットワークにアクセスするとき、又はＵＥが１つのネットワークにアクセスする必要があるとき、ＵＥは、第２のノードセルＢを使用することによりそのネットワークにアクセスすることができる。こうして、一方でＵＥは、第２のノードセルＡを使用することにより、ネットワークがＵＥをページングすることを示す情報を得る。他方では、ＵＥがネットワークにアクセスする必要があるとき、ＵＥは、良好な信号品質を有する非常駐セルへのアクセスを開始する（たとえば、第１のノードセルＢ。第１のノードセルＢは単に、説明のための一例として用いられており、ＵＥは継続的にノードを切り換えて、良好な信号品質を有するセルを確保することができる）。加えて、ＵＥがとどまらないセル（たとえば、第１のノードセルＢ）では、ページングを送信することができず、或いはただ、第１の地震津波警報システム（Ｅａｒｔｈｑｕａｋｅ  ａｎｄ  Ｔｓｕｎａｍｉ  Ｗａｒｎｉｎｇ  Ｓｙｓｔｅｍ，ＥＴＷＳ）関連通報及び／又は第２のＥＴＷＳ関連通報を通知するために使用されるページングメッセージ、又は商業モバイル警報サービス（Ｃｏｍｍｅｒｃｉａｌ  Ｍｏｂｉｌｅ  Ａｌｅｒｔ  Ｓｅｒｖｉｃｅ，ＣＭＡＳ）通報を知らせるために使用されるページングメッセージだけが送信される。したがって、大量のエアインタフェースシグナリングを節約することができる。本発明の実施形態では、説明を容易にするために、ＵＥがとどまらないセルは第１のノードセルと呼ばれ、ＵＥがとどまるセルは第２のノードセルと呼��れる。すなわち、ＵＥは、第２のノードに対応する第２のノードセルにとどまる。ＵＥは、ページングメッセージを第２のノードに対応する第２のノードセルからのみ受信する。或いはＵＥはページングメッセージを第２のノードに対応する第２のノードセル内で受信し、またＵＥはページングメッセージを第１のノードセル内で受信する。ＵＥによって第１のノードセル内で受信されるページングメッセージは、下記の、第１の地震津波警報システムＥＴＷＳ関連通報及び／又は第２のＥＴＷＳ関連通報を通知するために使用されるページングメッセージ、又は商業モバイル警報サービスＣＭＡＳ通報を知らせるために使用されるページングメッセージ、のうちの少なくとも１つを含む。ＵＥは第１のノードセルのシステムメッセージを受信するか、かつ／又はＵＥは第１のノードセルを測定する。本発明のコンテンツは上記のシナリオに適用可能であることだけには限定されない、ということに留意されたい。
【０１４９】
本発明の実施形態における第２のノードは、マクロ基地局（Ｍａｃｒｏ  ｅＮＢ）、遠隔無線ヘッド（Ｒｅｍｏｔｅ  Ｒａｄｉｏ  Ｈｅａｄ，ＲＲＨ）、小型基地局（Ｐｉｃｏ  ｅＮｏｄｅＢ，Ｐｉｃｏ  ｅＮＢ）、ホーム基地局（Ｈｏｍｅ  ｅＮｏｄｅＢ，ＨｅＮＢ）、中継装置（Ｒｅｌａｙ  Ｎｏｄｅ，ＲＮ）、アクセスポイント（Ａｃｃｅｓｓ  Ｐｏｉｎｔ，ＡＰ）、ｅＮＢ、ＳｅＮＢ（Ｓｅｃｏｎｄａｒｙ  ｅＮＢ）、ＭｅＮＢ（Ｍａｓｔｅｒ  ｅＮＢ）、又は端末などの様々な装置とすることができる。これは本発明においては限定されない。第２のノードセルは、第２のノードのセルであり、たとえば、マイクロセル（ｓｍａｌｌ  ｃｅｌｌ）、マクロセル（Ｍａｃｒｏ  ｃｅｌｌ）、Ｓｃｅｌｌ（Ｓｅｃｏｎｄａｒｙ  Ｃｅｌｌ）、ＰＳｃｅｌｌ（ｐｒｉｍａｒｙ  ｃｅｌｌ）、Ｐｃｅｌｌ（ｐｒｉｍａｒｙ  ｃｅｌｌ）、ＳＣＧ（ｓｅｃｏｎｄａｒｙ  ｃｅｌｌ  ｇｒｏｕｐ）、又はＭＣＧ（ｍａｓｔｅｒ  ｃｅｌｌ  ｇｒｏｕｐ）とすることができる。
【０１５０】
同様に、本発明の実施形態における第１のノードは、マクロ基地局（Ｍａｃｒｏ  ｅＮＢ）、遠隔無線ヘッド（Ｒｅｍｏｔｅ  Ｒａｄｉｏ  Ｈｅａｄ，ＲＲＨ）、小型基地局（Ｐｉｃｏ  ｅＮｏｄｅＢ，Ｐｉｃｏ  ｅＮＢ）、ホーム基地局（Ｈｏｍｅ  ｅＮｏｄｅＢ，ＨｅＮＢ）、中継装置（Ｒｅｌａｙ  Ｎｏｄｅ，ＲＮ）、アクセスポイント（Ａｃｃｅｓｓ  Ｐｏｉｎｔ，ＡＰ）、ｅＮＢ、ＳｅＮＢ（Ｓｅｃｏｎｄａｒｙ  ｅＮＢ）、ＭｅＮＢ（Ｍａｓｔｅｒ  ｅＮＢ）、又は端末などの様々な装置とすることができる。これは本発明においては限定されない。第１のノードセルは、第１のノードのセルであり、たとえば、マイクロセル（ｓｍａｌｌ  ｃｅｌｌ）、マクロセル（Ｍａｃｒｏ  ｃｅｌｌ）、Ｓｃｅｌｌ（Ｓｅｃｏｎｄａｒｙ  Ｃｅｌｌ）、ＰＳｃｅｌｌ（ｐｒｉｍａｒｙ  ｃｅｌｌ）、ＳＣＧ（ｓｅｃｏｎｄａｒｙ  ｃｅｌｌ  ｇｒｏｕｐ）、又はＭＣＧ（ｍａｓｔｅｒ  ｃｅｌｌ  ｇｒｏｕｐ）とすることができる。
【０１５１】
同様に、第２のノードは、マクロ基地局（Ｍａｃｒｏ  ｅＮＢ）、遠隔無線ヘッド（Ｒｅｍｏｔｅ  Ｒａｄｉｏ  Ｈｅａｄ，ＲＲＨ）、小型基地局（Ｐｉｃｏ  ｅＮｏｄｅＢ，Ｐｉｃｏ  ｅＮＢ）、ホーム基地局（Ｈｏｍｅ  ｅＮｏｄｅＢ，ＨｅＮＢ）、中継装置（Ｒｅｌａｙ  Ｎｏｄｅ，ＲＮ）、アクセスポイント（Ａｃｃｅｓｓ  Ｐｏｉｎｔ，ＡＰ）、ｅＮＢ、ＳｅＮＢ（Ｓｅｃｏｎｄａｒｙ  ｅＮＢ）、ＭｅＮＢ（Ｍａｓｔｅｒ  ｅＮＢ）、又は端末などの様々な装置である。これは本発明においては限定されない。第２のノードセルは、第２のノードのセルであり、たとえば、マクロセル（Ｍａｃｒｏ  ｃｅｌｌ）、マイクロセル（ｓｍａｌｌ  ｃｅｌｌ）、Ｓｃｅｌｌ（Ｓｅｃｏｎｄａｒｙ  Ｃｅｌｌ）、ＰＳｃｅｌｌ（ｐｒｉｍａｒｙ  ｃｅｌｌ）、ＳＣＧ（ｓｅｃｏｎｄａｒｙ  ｃｅｌｌ  ｇｒｏｕｐ）、又はＭＣＧ（ｍａｓｔｅｒ  ｃｅｌｌ  ｇｒｏｕｐ）とすることができる。
【０１５２】
要約すると、第１のノード又は第２のノードの装置タイプは、本発明において限定されない。本発明の実施形態について下記で説明されるすべてのコンテンツに関し、第１のノードは第１のノードセルとすることができることに留意されたい。すなわち、第１のノードは第１のノードセルと置き換えることができる。第２のノードは第２のノードセルとすることができる。すなわち、第２のノードは第２のノードセルと置き換えることができる。第１のノードセルはまた、第１のノードのセルと呼ばれることがあり、第２のノードセルはまた、第２のノードのセルと呼ばれることがある。特に請求項において、実行本体としての第１のノードは第１のノードセルと置き換えることができ、或いは第２のノードは第２のノードセルと置き換えることができる。
【０１５３】
本発明の下記の実施形態では、ページングメッセージが「ＵＥをページングしてネットワークにアクセスする」ために使用される例が用いられることに留意されたい。具体的には、「ＵＥをページングしてネットワークにアクセスする」はまた、ＵＥをページングすること、又はＵＥをページングしてＲＲＣ接続を確立すること、又はＵＥに指示してネットワークにアクセスすること、又はＵＥに指示してＲＲＣ接続を確立することでもあり得る。これは、本発明では列挙されない。
【０１５４】
さらに、本発明の実施形態における「及び／又は」という用語は、結び付き対象を記述する単なる結び付き関係であり、３つの関係があることを示すことに留意されたい。たとえば、Ａ及び／又はＢは、Ａだけがある、ＡもＢもある、及びＢだけがある、の３つの場合を示し得る。加えて、本明細書中の文字「／」は一般に、結び付き対象間の「又は」関係を示す。
【０１５５】
本発明の下記の実施形態では、第１のノードがマイクロ基地局であり、第２のノードがマクロ基地局であるという例が説明のために主に用いられる。第１のノードがマイクロ基地局である場合、第１のノードセルはマイクロセルであり得る。第２のノードがマクロ基地局である場合、第２のノードセルはマクロセルであり得る。当然、一実施形態において、第１のノードもまたマクロ基地局であり得る、また第２のノードはマクロ基地局である、ということもあり、或いは一実施形態において、第１のノードがマイクロ基地局であり、第２のノードがマイクロ基地局である、ということもある。一例は、本発明において説明のためだけに用いられ、第１のノード又は第２のノードの装置タイプは、本発明において限定されない。
【０１５６】
本発明の一実施形態は、ノード装置１００を提供する。図１は、本発明のこの実施形態において提供されるノード装置１００の概略構成図である。図１に示されるように、ノード装置１００は送信機１０１、メモリ１０２、及びプロセッサ１０３を含む。当然、実際の状況に応じて、本発明のこの実施形態において提供されるノード装置１００はさらに、通信バスを含み得る。これは本発明のこの実施形態では限定されない。本発明のこの実施形態では、下記のようになる。
【０１５７】
メモリ１０２は、プロセッサ１０３によって実行されるプログラムコードを記憶するように構成される。
【０１５８】
プロセッサ１０３は、メモリ１０２に記憶されたプログラムを呼び出して、第１のメッセージを判定すると共に、送信機１０１を制御して第１のメッセージをユーザ機器へ送信するように構成される。この第１のメッセージは、第１のノードセルのシステムメッセージを受信するようにユーザ機器に指示するために使用されるか、又は、第１のノードセルのシステムメッセージが更新されていることを示すために使用される。
【０１５９】
第１の実現方式では、第１のメッセージは、下記の
第１のノードセルのページング構成パラメータ、第１のノードの識別子、第１のノードセルの識別子、第１のノードセルのシステムメッセージインジケータ、第１のノードセルのシステムメッセージコンテンツ、又は第１のノードセルの更新されたシステムメッセージコンテンツ、のうちの少なくとも１つを含む。
【０１６０】
第２の実現方式では、第１のメッセージは、構成メッセージ、ページングメッセージ、又はシステムメッセージである。
【０１６１】
第３の実現方式では、第１のメッセージはページングメッセージであり、このページングメッセージは、下記の
第１のノードの識別子、第１のノードセルの識別子、又は第１のノードセルのシステムメッセージインジケータ、のうちの少なくとも１つを含む。
【０１６２】
第４の実現方式では、第１のメッセージはページングメッセージである。
【０１６３】
プロセッサ１０３はさらに、送信機１０１を制御して、第１のメッセージをユーザ機器へ送信する前に第４のメッセージをユーザ機器へ送信するように構成される。この第４のメッセージはページング構成パラメータを含む。
【０１６４】
第５の実現方式では、第１のメッセージは、構成メッセージ又はシステムメッセージであり、この構成メッセージ又はシステムメッセージは、第１のノードセルのページング構成パラメータを含む。
【０１６５】
第６の実現方式では、第１のメッセージはさらに、
ノード装置１００に対応する第２のノードセルのシステムメッセージが更新されていることを示すために使用されるか、又は、ノード装置１００に対応する第２のノードセルのシステムメッセージを受信するようにユーザ機器に指示するために使用される。
【０１６６】
第７の実現方式では、プロセッサ１０３はさらに、第１のメッセージが判定される前に、第１のノードによって送信された第３のメッセージを受信するように構成される。この第３のメッセージは、第１のノードセルのシステムメッセージが更新されていることを示すために使用されるか、又は第１のノードセルのシステムメッセージを受信するようにユーザ機器に指示するために使用される。
【０１６７】
第８の実現方式では、第３のメッセージは、第１のノードセルのページング構成パラメータ、第１のノードの識別子、第１のノードセルの識別子、第１のノードセルのシステムメッセージインジケータ、第１のノードセルのシステムメッセージコンテンツ、又は第１のノードセルの更新されたシステムメッセージコンテンツ、のうちの少なくとも１つを含む。
【０１６８】
第９の実現方式では、ユーザ機器は、ノード装置１００に対応する第２のノードセルにとどまる。
【０１６９】
第１０の実現方式では、ユーザ機器はページングメッセージをノード装置１００に対応する第２のノードセルからのみ受信するか、又は
ユーザ機器はページングメッセージをノード装置１００に対応する第２のノードセル内で受信し、またユーザ機器はページングメッセージを第１のノードセル内で受信する。
【０１７０】
ユーザ機器によって第１のノードセル内で受信されるページングメッセージは、下記の
第１の地震津波警報システムＥＴＷＳ関連通報及び／又は第２のＥＴＷＳ関連通報を通知するために使用されるページングメッセージ、又は
商業モバイル警報サービスＣＭＡＳ通報を知らせるために使用されるページングメッセージ、のうちの少なくとも１つを含む。
【０１７１】
第１１の実現方式では、
ユーザ機器は第１のノードセルのシステムメッセージを受信するか、かつ／又は
ユーザ機器は第１のノードセルを測定する。
【０１７２】
本発明のこの実施形態において提供されるノード装置１００は、第１のメッセージを判定し、この判定された第１のメッセージをユーザ機器へ送信する。この第１のメッセージは、第１のノードセルのシステムメッセージを受信するようにユーザ機器に指示するために使用されるか、又は第１のノードセルのシステムメッセージが更新されていることを示すために使用される。ユーザ機器は、第１のノードセルのシステムメッセージ又は第１のノードセルの更新されたシステムメッセージを、第２のノードによって送信された、受信済みの第１のメッセージに応じて受信することができる。こうして、ユーザ機器は、ノード装置に対応する第２のノードセルにとどまること、及び第２のノードによりページングされることができ、また第１のノードがページングを行う必要がなく、それによってエアインタフェースリソースを節減する。
【０１７３】
本発明の一実施形態はさらに、ノード装置２００を提供する。図２は、本発明のこの実施形態において提供されるノード装置２００の概略構成図である。図２に示されるように、ノード装置２００は送信機２０１、メモリ２０２、及びプロセッサ２０３を含む。当然、実際の状況に応じて、本発明のこの実施形態において提供されるノード装置２００はさらに、通信バスを含み得る。これは本発明のこの実施形態では限定されない。本発明のこの実施形態では、下記のようになる。
【０１７４】
メモリ２０２は、プロセッサ２０３によって実行されるプログラムコードを記憶するように構成される。
【０１７５】
プロセッサ２０３は、メモリ２０２に記憶されたプログラムを呼び出して、第１のノード情報及び第５のメッセージを判定すると共に、送信機２０１を制御して第１のノード情報及び第５のメッセージをユーザ機器へ送信するように構成される。この第５のメッセージは、ユーザ機器をページングするために使用されるか、又はネットワークにアクセスするようにユーザ機器に指示するために使用されるか、又は無線リソース制御ＲＲＣ接続を確立するようにユーザ機器に指示するために使用されるか、また第１のノード情報は、第１のノードについての情報をユーザ機器に提供するために使用される。
【０１７６】
第１の実現方式では、第１のノード情報は、第１のノードセルの識別子、第１のノードの識別子、第１のノードセルのアクセス構成、第１のノードのＲＲＣ構成、第１のノードのパケットデータコンバージェンスプロトコルＰＤＣＰ構成、第１のノードの無線リンク制御層プロトコルＲＬＣ構成、第１のノードのメディアアクセス制御ＭＡＣ構成、又は第１のノードの物理層構成、のうちの少なくとも１つを含む。
【０１７７】
第２の実現方式では、第１のノード情報は、第１のノードセルの識別子、又は第１のノードの識別子を含み、また第１のノード情報は第２のメッセージに含まれる。
【０１７８】
第３の実現方式では、第１のノード情報は第１のノードのアクセス構成を含み、この第１のノードのアクセス構成は、ノード装置によりユーザ機器へ送信される第２のメッセージに含まれる。
【０１７９】
第４の実現方式では、第２のメッセージは第５のメッセージである。
【０１８０】
第５の実現方式では、第５のメッセージはページングメッセージである。
【０１８１】
第６の実現方式では、第２のメッセージは、
無線リソース制御ＲＲＣ接続再構成メッセージ又はシステムメッセージを含む。
【０１８２】
第７の実現方式では、ユーザ機器は、ノード装置に対応する第２のノードセルにとどまる。
【０１８３】
第８の実現方式では、ユーザ機器はページングメッセージをノード装置に対応する第２のノードセルからのみ受信するか、又は
ユーザ機器はページングメッセージをノード装置に対応する第２のノードセル内で受信し、またユーザ機器はページングメッセージを第１のノードセル内で受信する。
【０１８４】
ユーザ機器によって第１のノードセル内で受信されるページングメッセージは、下記の
第１の地震津波警報システムＥＴＷＳ関連通報及び／又は第２のＥＴＷＳ関連通報を通知するために使用されるページングメッセージ、又は
商業モバイル警報サービスＣＭＡＳ通報を知らせるために使用されるページングメッセージ、のうちの少なくとも１つを含む。
【０１８５】
第９の実現方式では、
ユーザ機器は第１のノードセルのシステムメッセージを受信するか、かつ／又は
ユーザ機器は第１のノードセルを測定する。
【０１８６】
本発明のこの実施形態では、ノード装置２００は第１のノード情報をユーザ機器へ送信する。したがって、本発明のこの実施形態では、ユーザ機器は、第１のノード情報を使用することにより、第１のノードへのアクセスに関連した情報を得ることができる。したがって、第２のノードがユーザ機器へ、ユーザ機器をページングしてネットワークにアクセスするために使用される第５のメッセージを送信し、ユーザ機器がその第５のメッセージを受信し、ユーザ機器がネットワークにアクセスする必要があることを知ったとき、ユーザ機器は、ノード装置２００に対応する第２のノードセルにアクセスすることを選択できるだけでなく、第１のノードにアクセスすることを選択することもできる。
【０１８７】
本発明の一実施形態ではさらに、ユーザ機器３００を提供する。図３は、本発明のこの実施形態において提供されるユーザ機器３００の概略構成図である。図３に示されるように、ユーザ機器３００は受信機３０１、メモリ３０２、及びプロセッサ３０３を含む。当然、実際の状況に応じて、本発明のこの実施形態において提供されるユーザ機器３００はさらに、通信バスを含み得る。これは本発明のこの実施形態では限定されない。本発明のこの実施形態では、下記のようになる。
【０１８８】
メモリ３０２は、プロセッサ３０３によって実行されるプログラムコードを記憶するように構成される。
【０１８９】
プロセッサ３０３は、メモリ３０２に記憶されたプログラムを呼び出して、受信機３０１を使用することにより、第２のノードによって送信された第１のメッセージを受信するように、また受信機３０１を使用することにより、第１のノードセルのシステムメッセージ又は第１のノードセルの更新されたシステムメッセージを、第１のメッセージに応じて受信するように構成される。この第１のメッセージは、第１のノードセルのシステムメッセージを受信するようユーザ機器３００に指示するために使用されるか、又は第１のノードセルの更新されたシステムメッセージを受信するようユーザ機器３００に指示するために使用される。
【０１９０】
第１の実現方式では、第１のメッセージは、第１のノードセルのページング構成パラメータ、第１のノードの識別子、第１のノードセルの識別子、第１のノードセルのシステムメッセージインジケータ、第１のノードセルのシステムメッセージコンテンツ、又は第１のノードセルの更新されたシステムメッセージコンテンツ、のうちの少なくとも１つを含む。
【０１９１】
第２の実現方式では、第１のメッセージは、構成メッセージ、ページングメッセージ、又はシステムメッセージである。
【０１９２】
第３の実現方式では、第１のメッセージはページングメッセージであり、ページングメッセージは、下記の、第１のノードの識別子、第１のノードセルの識別子、又は第１のノードセルのシステムメッセージインジケータ、のうちの少なくとも１つを含む。
【０１９３】
プロセッサ３０３は具体的には、
第１のノードセルのシステムメッセージ又は第１のノードセルの更新されたシステムメッセージを第１のノードセル内で、ページングメッセージに応じて受信するように構成される。
【０１９４】
第４の実現方式では、第１のメッセージはページングメッセージである。
【０１９５】
プロセッサ３０３はさらに、
第２の受信ユニットが、第１のメッセージに応じて、第１のノードセルのシステムメッセージを受信するか、又は第１のノードセルの更新されたシステムメッセージを受信する前に、第２のノードによって送信された第４のメッセージを受信するように構成される。この第４のメッセージは、第１のノードセルのページング構成パラメータを含む。
【０１９６】
プロセッサ３０３はさらに、ページング時間を第１のノードセルのページング構成パラメータに応じて判定するように、かつ
ページングメッセージを第２のノードセル内で、判定されたページング時間内に受信するように構成される。このページングメッセージは、第１のノードのシステムメッセージが更新されていることを示すために使用されるか、又は第１のノードセルのシステムメッセージを受信するようユーザ機器３００に指示するために使用される。
【０１９７】
第５の実現方式では、第１のメッセージは構成メッセージ又はシステムメッセージであり、構成メッセージ又はシステムメッセージは、第１のノードセルのページング構成パラメータを含む。
【０１９８】
プロセッサ３０３はさらに、
第１のノードセルのシステムメッセージ又は第１のノードセルの更新されたシステムメッセージが、第１のメッセージに応じて受信される前に、ページング時間を第１のノードセルのページング構成パラメータに応じて判定するように構成される。
【０１９９】
プロセッサ３０３はさらに、
ページングメッセージを第１のノードセル内で、判定されたページング時間内に受信するように構成される。このページングメッセージは、第１のノードのシステムメッセージが更新されていることを示すために使用されるか、又は第１のノードセルのシステムメッセージを受信するようユーザ機器３００に指示するために使用される。
【０２００】
第６の実現方式では、プロセッサ３０３はさらに、
第２のノードセルの更新されたシステムメッセージ又は第２のノードセルのシステムメッセージを第２のノードセル内で、第１のメッセージに応じて受信するように構成される。
【０２０１】
第７の実現方式では、ユーザ機器３００は、第２のノードに対応する第２のノードセルにとどまる。
【０２０２】
第８の実現方式では、ユーザ機器３００はページングメッセージを第２のノードに対応する第２のノードセルからのみ受信するか、又は
ユーザ機器３００はページングメッセージを第２のノードに対応する第２のノードセル内で受信し、またユーザ機器３００はページングメッセージを第１のノードセル内で受信する。
【０２０３】
ユーザ機器３００によって第１のノードセル内で受信されるページングメッセージは、下記の
第１の地震津波警報システムＥＴＷＳ関連通報及び／又は第２のＥＴＷＳ関連通報を通知するために使用されるページングメッセージ、又は
商業モバイル警報サービスＣＭＡＳ通報を知らせるために使用されるページングメッセージ、のうちの少なくとも１つを含む。
【０２０４】
第９の実現方式では、ユーザ機器３００は第１のノードセルのシステムメッセージを受信するか、かつ／又はユーザ機器３００は第１のノードセルを測定する。
【０２０５】
本発明のこの実施形態では、ユーザ機器３００は、第２のノードによって送信された第１のメッセージを受信する。この第１のメッセージは、第１のノードセルのシステムメッセージを受信するようユーザ機器３００に指示するために使用されるか、又は第１のノードセルのシステムメッセージが更新されていることを示すために使用される。ユーザ機器３００は、第１のノードセルのシステムメッセージ又は第１のノードセルの更新されたシステムメッセージを、第２のノードによって送信された、受信済みの第１のメッセージに応じて受信することができる。こうして、ユーザ機器は、ノード装置に対応する第２のノードセルにとどまること、及び第２のノードによりページングされることができ、また第１のノードがページングを行う必要がなく、それによってエアインタフェースリソースを節減する。
【０２０６】
本発明の一実施形態ではさらに、ユーザ機器４００を提供する。図４は、本発明のこの実施形態において提供されるユーザ機器４００の概略構成図である。図４に示されるように、ユーザ機器４００は受信機４０１、メモリ４０２、及びプロセッサ４０３を含む。当然、実際の状況に応じて、本発明のこの実施形態において提供されるユーザ機器４００はさらに、通信バスを含み得る。これは本発明のこの実施形態では限定されない。本発明のこの実施形態では、下記のようになる。
【０２０７】
メモリ４０２は、プロセッサ４０３によって実行されるプログラムコードを記憶するように構成される。
【０２０８】
プロセッサ４０３は、メモリ４０２に記憶されたプログラムを呼び出して、受信機４０１を使用することにより、第２のノードによって送信された第５のメッセージと、第１のノード情報とを受信するように、かつ、ユーザ機器４００を制御して、第１のノード情報及び第５のメッセージに応じて第１のノードにアクセスするように構成される。この第５のメッセージは、ユーザ機器４００をページングするために使用されるか、又はネットワークにアクセスするようにユーザ機器４００に指示するために使用されるか、又は無線リソース制御ＲＲＣ接続を確立するようにユーザ機器４００に指示するために使用され、また第１のノード情報は、第１のノードについての情報をユーザ機器４００に提供するために使用される。
【０２０９】
第１の実現方式では、第１のノード情報は、第１のノードセルの識別子、第１のノードの識別子、第１のノードのアクセス構成、第１のノードのＲＲＣ構成、第１のノードのパケットデータコンバージェンスプロトコルＰＤＣＰ構成、第１のノードの無線リンク制御層プロトコルＲＬＣ構成、第１のノードのメディアアクセス制御ＭＡＣ構成、又は第１のノードの物理層構成、のうちの少なくとも１つを含む。
【０２１０】
第２の実現方式では、第１のノード情報は、第１のノードセルの識別子、又は第１のノードの識別子を含み、また第１のノード情報は第２のメッセージに含まれる。
【０２１１】
第３の実現方式では、プロセッサ４０３は、具体的にはユーザ機器４００を制御して、第５のメッセージ及び第１のノード情報に応じて、下記の
第５のメッセージに含まれる第１のノードの識別子又は第１のノードセルの識別子に応じて、第１のノードセルを判定する、
第１のノードセルのシステムメッセージを第１のノードセル内でリッスンする、
第１のノードのアクセス構成を、第１のノードセルの受信されたシステムメッセージに応じて取得する、かつ
第１のノードの取得されたアクセス構成に応じて、ユーザ機器４００を制御して第１のノードにアクセスする
方式で第１のノードにアクセスするように構成される。
【０２１２】
第４の実現方式では、第１のノード情報は第１のノードのアクセス構成を含み、第１のノードのアクセス構成は第２のメッセージに含まれる。
【０２１３】
第５の実現方式では、プロセッサ４０３は、具体的にはユーザ機器４００を制御して、第５のメッセージ及び第１のノード情報に応じて、下記の
第５のメッセージに応じて、ユーザ機器４００がページングされること、又はページングされてネットワークにアクセスすること、又はページングされてＲＲＣ接続を確立することを判定する、かつ
第２のメッセージに含まれる第１のノードのアクセス構成に応じて、ユーザ機器４００を制御して第１のノードにアクセスする
方式で第１のノードにアクセスするように構成される。
【０２１４】
第６の実現方式では、プロセッサ４０３は、具体的にはユーザ機器４００を制御して、第５のメッセージ及び第１のノード情報に応じて、下記の
第５のメッセージに含まれる第１のノードセルの識別子又は第１のノードの識別子に応じて、ユーザ機器４００がアクセスする必要があるノードは、第１のノードセルの識別子又は第１のノードの識別子に対応する第１のノードであることを判定する、かつ
第２のメッセージに含まれる第１のノードのアクセス構成に応じて第１のノードにアクセスする
方式で第１のノードにアクセスするように構成される。
【０２１５】
第７の実現方式では、プロセッサ４０３は、具体的にはユーザ機器４００を制御して、第５のメッセージ及び第１のノード情報に応じて、下記の
第５のメッセージに応じて、ユーザ機器４００がページングされること、又はページングされてネットワークにアクセスすること、又はページングされてＲＲＣ接続を確立することを判定する、
第１のノードのアクセス構成を含む第２のメッセージを受信する、かつ
第２のメッセージに含まれる第１のノードのアクセス構成に応じて、ユーザ機器４００を制御して第１のノードにアクセスする
方式で第１のノードにアクセスするように構成される。
【０２１６】
第８の実現方式では、第２のメッセージは第５のメッセージである。
【０２１７】
第９の実現方式では、第５のメッセージはページングメッセージである。
【０２１８】
第１０の実現方式では、第２のメッセージはユーザ機器４００へ、第１のノード、第２のノード、又は第３のノードによって送信される。
【０２１９】
第１１の実現方式では、ユーザ機器４００は、第２のノードに対応する第２のノードセルにとどまる。
【０２２０】
第１２の実現方式では、ユーザ機器４００はページングメッセージを第２のノードに対応する第２のノードセルからのみ受信するか、又は
ユーザ機器４００はページングメッセージを第２のノードに対応する第２のノードセル内で受信し、またユーザ機器４００はページングメッセージを第１のノードセル内で受信する。
【０２２１】
ユーザ機器４００によって第１のノードセル内で受信されるページングメッセージは、下記の
第１の地震津波警報システムＥＴＷＳ関連通報及び／又は第２のＥＴＷＳ関連通報を通知するために使用されるページングメッセージ、又は
商業モバイル警報サービスＣＭＡＳ通報を知らせるために使用されるページングメッセージ、のうちの少なくとも１つを含む。
【０２２２】
第１３の実現方式では、ユーザ機器４００は第１のノードセルのシステムメッセージを受信するか、かつ／又はユーザ機器４００は第１のノードセルを測定する。
【０２２３】
本発明のこの実施形態では、ユーザ機器４００は、第２のノードによって送信された第１のノード情報を受信する。したがって、本発明のこの実施形態では、ユーザ機器４００は、第１のノード情報を使用することにより、第１のノードへのアクセスに関連した情報を得ることができる。したがって、第２のノードがユーザ機器４００へ、ユーザ機器４００をページングしてネットワークにアクセスするために使用される第５のメッセージを送信し、ユーザ機器４００がその第５のメッセージを受信し、ユーザ機器４００がネットワークにアクセスする必要があることを知ったとき、ユーザ機器４００は、ノード装置２００に対応する第２のノードセルにアクセスすることを選択できるだけでなく、第１のノードにアクセスすることを選択することもできる。
【０２２４】
本発明の上記の実施形態におけるメモリは、読み出し専用メモリ（英語はｒｅａｄ−ｏｎｌｙ  ｍｅｍｏｒｙ，略称ＲＯＭ）若しくはランダムアクセスメモリ（英語はｒａｎｄｏｍ  ａｃｃｅｓｓ  ｍｅｍｏｒｙ，略称ＲＡＭ）とすることができ、或いは電気的消去可能プログラム可能読み出し専用メモリ（英語はＥｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ，略称ＥＥＰＲＯＭ）、磁気ディスク記憶媒体若しくは他の磁気記憶装置、又は、命令若しくはデータ構造の形を有する所望のプログラムコードを保持又は記憶するために使用でき、コンピュータによりアクセスできる任意の他の媒体とすることができるが、これらに限定されないことに留意されたい。たとえば、メモリは、上記のメモリを組み合わせたものとすることができる。
【０２２５】
本発明の実施形態におけるプロセッサは、汎用中央処理ユニットとすることができる。
【０２２６】
本発明の一実施形態ではさらに、ノード装置５００を提供する。図５Ａは、本発明のこの実施形態において提供されるノード装置５００の概略構成図である。図５Ａに示されるように、ノード装置５００は、図５に示される判定ユニット５０１及び送信ユニット５０２を含む。
【０２２７】
判定ユニット５０１は、第１のメッセージを判定するように構成される。この第１のメッセージは、第１のノードセルのシステムメッセージを受信するようにユーザ機器に指示するために使用されるか、又は、第１のノードセルのシステムメッセージが更新されていることを示すために使用される。
【０２２８】
送信ユニット５０２は、判定ユニット５０１によって判定された第１のメッセージをユーザ機器へ送信するように構成される。
【０２２９】
第１の実現方式では、第１のメッセージは、下記の
第１のノードセルのページング構成パラメータ、第１のノードの識別子、第１のノードセルの識別子、第１のノードセルのシステムメッセージインジケータ、第１のノードセルのシステムメッセージコンテンツ、又は第１のノードセルの更新されたシステムメッセージコンテンツ、のうちの少なくとも１つを含む。
【０２３０】
第２の実現方式では、第１のメッセージは、構成メッセージ、ページングメッセージ、又はシステムメッセージである。
【０２３１】
第３の実現方式では、第１のメッセージはページングメッセージであり、このページングメッセージは、下記の
第１のノードの識別子、第１のノードセルの識別子、又は第１のノードセルのシステムメッセージインジケータ、のうちの少なくとも１つを含む。
【０２３２】
第４の実現方式では、第１のメッセージはページングメッセージである。
【０２３３】
送信ユニット５０２はさらに、第１のメッセージをユーザ機器へ送信する前に、第４のメッセージをユーザ機器へ送信するように構成される。この第４のメッセージはページング構成パラメータを含む。
【０２３４】
第５の実現方式では、第１のメッセージは、構成メッセージ又はシステムメッセージであり、この構成メッセージ又はシステムメッセージは、第１のノードセルのページング構成パラメータを含む。
【０２３５】
第６の実現方式では、第１のメッセージはさらに、
ノード装置に対応する第２のノードセルのシステムメッセージが更新されていることを示すために使用されるか、又はノード装置に対応する第２のノードセルのシステムメッセージを受信するようにユーザ機器に指示するために使用される。
【０２３６】
第７の実現方式では、図５Ｂに示されるように、ノード装置はさらに受信ユニット５０３を含む。
【０２３７】
受信ユニット５０３は、判定ユニット５０１が第１のメッセージを判定する前に、第１のノードによって送信された第３のメッセージを受信するように構成される。この第３のメッセージは、第１のノードセルのシステムメッセージが更新されていることを示すために使用されるか、又は第１のノードセルのシステムメッセージを受信するようにユーザ機器に指示するために使用される。
【０２３８】
第８の実現方式では、第３のメッセージは、第１のノードセルのページング構成パラメータ、第１のノードの識別子、第１のノードセルの識別子、第１のノードセルのシステムメッセージインジケータ、第１のノードセルのシステムメッセージコンテンツ、又は第１のノードセルの更新されたシステムメッセージコンテンツ、のうちの少なくとも１つを含む。
【０２３９】
第９の実現方式では、ユーザ機器は、ノード装置５００に対応する第２のノードセルにとどまる。
【０２４０】
第１０の実現方式では、ユーザ機器はページングメッセージをノード装置に対応する第２のノードセルからのみ受信するか、又は
ユーザ機器はページングメッセージをノード装置に対応する第２のノードセル内で受信し、またユーザ機器はページングメッセージを第１のノードセル内で受信する。
【０２４１】
ユーザ機器によって第１のノードセル内で受信されるページングメッセージは、下記の
第１の地震津波警報システムＥＴＷＳ関連通報及び／又は第２のＥＴＷＳ関連通報を通知するために使用されるページングメッセージ、又は
商業モバイル警報サービスＣＭＡＳ通報を知らせるために使用されるページングメッセージ、のうちの少なくとも１つを含む。
【０２４２】
第１１の実現方式では、ユーザ機器は第１のノードセルのシステムメッセージを受信するか、かつ／又はユーザ機器は第１のノードセルを測定する。
【０２４３】
本発明のこの実施形態において提供されるノード装置５００は、第１のメッセージを判定し、この判定された第１のメッセージをユーザ機器へ送信する。この第１のメッセージは、第１のノードセルのシステムメッセージを受信するようにユーザ機器に指示するために使用されるか、又は第１のノードセルのシステムメッセージが更新されていることを示すために使用される。ユーザ機器は、第１のノードセルのシステムメッセージ又は第１のノードセルの更新されたシステムメッセージを、第２のノードによって送信された、受信済みの第１のメッセージに応じて受信することができる。こうして、ユーザ機器は、ノード装置に対応する第２のノードセルにとどまること、及び第２のノードによりページングされることができ、また第１のノードがページングを行う必要がなく、それによってエアインタフェースリソースを節減する。
【０２４４】
本発明の一実施形態はさらに、ノード装置６００を提供する。図６は、本発明のこの実施形態において提供されるノード装置６００の概略構成図である。図６に示されるように、ノード装置６００は判定ユニット６０１及び送信ユニット６０２を含む。
【０２４５】
判定ユニット６０１は、第１のノード情報及び第５のメッセージを判定するように構成される。この第５のメッセージは、ユーザ機器をページングするために使用されるか、又はネットワークにアクセスするようにユーザ機器に指示するために使用されるか、又は無線リソース制御ＲＲＣ接続を確立するようにユーザ機器に指示するために使用され、また第１のノード情報は、第１のノードについての情報をユーザ機器に提供するために使用される。
【０２４６】
送信ユニット６０２は、判定ユニット６０１によって判定された第１のノード情報及び第５のメッセージをユーザ機器へ送信するように構成される。
【０２４７】
第１の実現方式では、第１のノード情報は、第１のノードセルの識別子、第１のノードの識別子、第１のノードセルのアクセス構成、第１のノードのＲＲＣ構成、第１のノードのパケットデータコンバージェンスプロトコルＰＤＣＰ構成、第１のノードの無線リンク制御層プロトコルＲＬＣ構成、第１のノードのメディアアクセス制御ＭＡＣ構成、又は第１のノードの物理層構成、のうちの少なくとも１つを含む。
【０２４８】
第２の実現方式では、第１のノード情報は、第１のノードセルの識別子、又は第１のノードの識別子を含み、また第１のノード情報は第２のメッセージに含まれる。
【０２４９】
第３の実現方式では、第１のノード情報は第１のノードのアクセス構成を含み、この第１のノードのアクセス構成は、ノード装置によりユーザ機器へ送信される第２のメッセージに含まれる。
【０２５０】
第４の実現方式では、第２のメッセージは第５のメッセージである。
【０２５１】
第５の実現方式では、第５のメッセージはページングメッセージである。
【０２５２】
第６の実現方式では、第２のメッセージは、
無線リソース制御ＲＲＣ接続再構成メッセージ又はシステムメッセージを含む。
【０２５３】
第７の実現方式では、ユーザ機器は、ノード装置に対応する第２のノードセルにとどまる。
【０２５４】
第８の実現方式では、ユーザ機器はページングメッセージをノード装置に対応する第２のノードセルからのみ受信するか、又は
ユーザ機器はページングメッセージをノード装置に対応する第２のノードセル内で受信し、またユーザ機器はページングメッセージを第１のノードセル内で受信する。
【０２５５】
ユーザ機器によって第１のノードセル内で受信されるページングメッセージは、下記の
第１の地震津波警報システムＥＴＷＳ関連通報及び／又は第２のＥＴＷＳ関連通報を通知するために使用されるページングメッセージ、又は
商業モバイル警報サービスＣＭＡＳ通報を知らせるために使用されるページングメッセージ、のうちの少なくとも１つを含む。
【０２５６】
第９の実現方式では、ユーザ機器は第１のノードセルのシステムメッセージを受信するか、かつ／又はユーザ機器は第１のノードセルを測定する。
【０２５７】
本発明のこの実施形態では、ノード装置６００は第１のノード情報をユーザ機器へ送信する。したがって、本発明のこの実施形態では、ユーザ機器は、第１のノード情報を使用することにより、第１のノードへのアクセスに関連した情報を得ることができる。したがって、第２のノードがユーザ機器へ、ユーザ機器をページングしてネットワークにアクセスするために使用される第５のメッセージを送信し、ユーザ機器がその第５のメッセージを受信し、ユーザ機器がネットワークにアクセスする必要があることを知ったとき、ユーザ機器は、ノード装置６００に対応する第２のノードセルにアクセスすることを選択できるだけでなく、第１のノードにアクセスすることを選択することもできる。
【０２５８】
本発明の一実施形態ではさらに、ユーザ機器７００を提供する。図７Ａは、本発明のこの実施形態において提供されるユーザ機器７００の概略構成図である。図７Ａに示されるように、ユーザ機器７００は、第１の受信ユニット７０１及び第２の受信ユニット７０２を含む。
【０２５９】
第１の受信ユニット７０１は、第２のノードによって送信された第１のメッセージを受信するように構成される。この第１のメッセージは、第１のノードセルのシステムメッセージを受信するようユーザ機器７００に指示するために使用されるか、又は第１のノードセルの更新されたシステムメッセージを受信するようユーザ機器７００に指示するために使用される。
【０２６０】
第２の受信ユニット７０２は、第１の受信ユニット７０１で受信された第１のメッセージに応じて、第１のノードセルのシステムメッセージを受信するように、又は第１のノードセルの更新されたシステムメッセージを受信するように、構成される。
【０２６１】
第１の実現方式では、第１のメッセージは、第１のノードセルのページング構成パラメータ、第１のノードの識別子、第１のノードセルの識別子、第１のノードセルのシステムメッセージインジケータ、第１のノードセルのシステムメッセージコンテンツ、又は第１のノードセルの更新されたシステムメッセージコンテンツ、のうちの少なくとも１つを含む。
【０２６２】
第２の実現方式では、第１のメッセージは、構成メッセージ、ページングメッセージ、又はシステムメッセージである。
【０２６３】
第３の実現方式では、第１のメッセージはページングメッセージであり、ページングメッセージは、下記の、第１のノードの識別子、第１のノードセルの識別子、又は第１のノードセルのシステムメッセージインジケータ、のうちの少なくとも１つを含む。
【０２６４】
第２の受信ユニット７０２は具体的には、
第１のノードセルのシステムメッセージ又は第１のノードセルの更新されたシステムメッセージを第１のノードセル内で、ページングメッセージに応じて受信するように構成される。
【０２６５】
第４の実現方式では、第１のメッセージはページングメッセージである。
【０２６６】
第１の受信ユニット７０１はさらに、
第２の受信ユニット７０２が、第１のメッセージに応じて、第１のノードセルのシステムメッセージを受信するか、又は第１のノードセルの更新されたシステムメッセージを受信する前に、第２のノードによって送信された第４のメッセージを受信するように構成される。この第４のメッセージは、第１のノードセルのページング構成パラメータを含む。
【０２６７】
図７Ｂに示されるように、ユーザ機器７００はさらに判定ユニット７０３を含む。
【０２６８】
判定ユニット７０３は、ページング時間を第１のノードセルのページング構成パラメータに応じて判定するように構成される。
【０２６９】
第１の受信ユニット７０１はさらに、
ページングメッセージを第２のノードセル内で、判定ユニット７０３によって判定されたページング時間内に受信するように構成される。このページングメッセージは、第１のノードのシステムメッセージが更新されていることを示すために使用されるか、又は第１のノードセルのシステムメッセージを受信するようユーザ機器７００に指示するために使用される。
【０２７０】
第５の実現方式では、第１のメッセージは構成メッセージ又はシステムメッセージであり、構成メッセージ又はシステムメッセージは、第１のノードセルのページング構成パラメータを含む。
【０２７１】
図７Ｂに示されるように、ユーザ機器７００はさらに判定ユニット７０３を含む。
【０２７２】
判定ユニット７０３は、第２の受信ユニット７０２が、第１のメッセージに応じて、第１のノードセルのシステムメッセージを受信するか、又は第１のノードセルの更新されたシステムメッセージを受信する前に、ページング時間を第１のノードセルのページング構成パラメータに応じて判定するように構成される。
【０２７３】
第１の受信ユニット７０１はさらに、
ページングメッセージを第１のノードセル内で、判定ユニット７０３によって判定されたページング時間内に受信するように構成される。このページングメッセージは、第１のノードのシステムメッセージが更新されていることを示すために使用されるか、又は第１のノードセルのシステムメッセージを受信するようユーザ機器７００に指示するために使用される。
【０２７４】
第６の実現方式では、第２の受信ユニット７０２はさらに、
第２のノードセルの更新されたシステムメッセージ又は第２のノードセルのシステムメッセージを第２のノードセル内で、第１のメッセージに応じて受信するように構成される。
【０２７５】
第７の実現方式では、
ユーザ機器７００は、第２のノードに対応する第２のノードセルにとどまる。
【０２７６】
第８の実現方式では、ユーザ機器７００はページングメッセージを第２のノードに対応する第２のノードセルからのみ受信するか、又は
ユーザ機器７００はページングメッセージを第２のノードに対応する第２のノードセル内で受信し、またユーザ機器７００はページングメッセージを第１のノードセル内で受信する。
【０２７７】
ユーザ機器７００によって第１のノードセル内で受信されるページングメッセージは、下記の
第１の地震津波警報システムＥＴＷＳ関連通報及び／又は第２のＥＴＷＳ関連通報を通知するために使用されるページングメッセージ、又は
商業モバイル警報サービスＣＭＡＳ通報を知らせるために使用されるページングメッセージ、のうちの少なくとも１つを含む。
【０２７８】
第９の実現方式では、ユーザ機器７００は第１のノードセルのシステムメッセージを受信するか、かつ／又はユーザ機器７００は第１のノードセルを測定する。
【０２７９】
本発明のこの実施形態では、ユーザ機器７００は、第２のノードによって送信された第１のメッセージを受信する。この第１のメッセージは、第１のノードセルのシステムメッセージを受信するようユーザ機器７００に指示するために使用されるか、又は第１のノードセルのシステムメッセージが更新されていることを示すために使用される。ユーザ機器７００は、第１のノードセルのシステムメッセージ又は第１のノードセルの更新されたシステムメッセージを、第２のノードによって送信された、受信済みの第１のメッセージに応じて受信することができる。こうして、ユーザ機器は、ノード装置に対応する第２のノードセルにとどまること、及び第２のノードによりページングされることができ、また第１のノードがページングを行う必要がなく、それによってエアインタフェースリソースを節減する。
【０２８０】
本発明の一実施形態ではさらに、ユーザ機器８００を提供する。図８は、本発明のこの実施形態において提供されるユーザ機器８００の概略構成図である。図８に示されるように、ユーザ機器８００は受信ユニット８０１及びアクセスユニット８０２を含む。
【０２８１】
受信ユニット８０１は、第２のノードによって送信された第５のメッセージと、第１のノード情報とを受信するように構成される。この第５のメッセージは、ユーザ機器８００をページングするために使用されるか、又はネットワークにアクセスするようにユーザ機器８００に指示するために使用されるか、又は無線リソース制御ＲＲＣ接続を確立するようにユーザ機器８００に指示するために使用され、また第１のノード情報は、第１のノードについての情報をユーザ機器８００に提供するために使用される。
【０２８２】
アクセスユニット８０２は、受信ユニット８０１で受信された第１のノード情報及び第５のメッセージに応じて第１のノードにアクセスするように構成される。
【０２８３】
第１の実現方式では、第１のノード情報は、第１のノードセルの識別子、第１のノードの識別子、第１のノードのアクセス構成、第１のノードのＲＲＣ構成、第１のノードのパケットデータコンバージェンスプロトコルＰＤＣＰ構成、第１のノードの無線リンク制御層プロトコルＲＬＣ構成、第１のノードのメディアアクセス制御ＭＡＣ構成、又は第１のノードの物理層構成、のうちの少なくとも１つを含む。
【０２８４】
第２の実現方式では、第１のノード情報は、第１のノードセルの識別子、又は第１のノードの識別子を含み、また第１のノード情報は第２のメッセージに含まれる。
【０２８５】
第３の実現方式では、アクセスユニット８０２は具体的には、第５のメッセージ及び第１のノード情報に応じて、下記の
第５のメッセージに含まれる第１のノードの識別子又は第１のノードセルの識別子に応じて、第１のノードセルを判定する、
第１のノードセルのシステムメッセージを第１のノードセル内でリッスンする、
第１のノードのアクセス構成を、第１のノードセルの受信されたシステムメッセージに応じて取得する、かつ
第１のノードの取得されたアクセス構成に応じて第１のノードにアクセスする
方式で第１のノードにアクセスするように構成される。
【０２８６】
第４の実現方式では、第１のノード情報は第１のノードのアクセス構成を含み、第１のノードのアクセス構成は第２のメッセージに含まれる。
【０２８７】
第５の実現方式では、アクセスユニット８０２は具体的には、第５のメッセージ及び第１のノード情報に応じて、下記の
第５のメッセージに応じて、ユーザ機器８００がページングされること、又はページングされてネットワークにアクセスすること、又はページングされてＲＲＣ接続を確立することを判定する、かつ
第２のメッセージに含まれる第１のノードのアクセス構成に応じて第１のノードにアクセスする
方式で第１のノードにアクセスするように構成される。
【０２８８】
第６の実現方式では、アクセスユニット８０２は具体的には、第５のメッセージ及び第１のノード情報に応じて、下記の
第５のメッセージに含まれる第１のノードセルの識別子又は第１のノードの識別子に応じて、ユーザ機器８００がアクセスする必要があるノードは、第１のノードセルの識別子又は第１のノードの識別子に対応する第１のノードであることを判定する、かつ
第２のメッセージに含まれる第１のノードのアクセス構成に応じて第１のノードにアクセスする
方式で第１のノードにアクセスするように構成される。
【０２８９】
第７の実現方式では、アクセスユニット８０２は具体的には、第５のメッセージ及び第１のノード情報に応じて、下記の
第５のメッセージに応じて、ユーザ機器８００がページングされること、又はページングされてネットワークにアクセスすること、又はページングされてＲＲＣ接続を確立することを判定する、
第１のノードのアクセス構成を含む第２のメッセージを受信する、かつ
第２のメッセージに含まれる第１のノードのアクセス構成に応じて第１のノードにアクセスする
方式で第１のノードにアクセスするように構成される。
【０２９０】
第８の実現方式では、第２のメッセージは第５のメッセージである。
【０２９１】
第９の実現方式では、第５のメッセージはページングメッセージである。
【０２９２】
第１０の実現方式では、第２のメッセージはユーザ機器８００へ、第１のノード、第２のノード、又は第３のノードによって送信される。
【０２９３】
第１１の実現方式では、ユーザ機器８００は、第２のノードに対応する第２のノードセルにとどまる。
【０２９４】
第１２の実現方式では、ユーザ機器８００はページングメッセージを第２のノードに対応する第２のノードセルからのみ受信するか、又は
ユーザ機器８００はページングメッセージを第２のノードに対応する第２のノードセル内で受信し、またユーザ機器８００はページングメッセージを第１のノードセル内で受信する。
【０２９５】
ユーザ機器８００によって第１のノードセル内で受信されるページングメッセージは、下記の
第１の地震津波警報システムＥＴＷＳ関連通報及び／又は第２のＥＴＷＳ関連通報を通知するために使用されるページングメッセージ、又は
商業モバイル警報サービスＣＭＡＳ通報を知らせるために使用されるページングメッセージ、のうちの少なくとも１つを含む。
【０２９６】
第１３の実現方式では、ユーザ機器８００は第１のノードセルのシステムメッセージを受信するか、かつ／又はユーザ機器８００は第１のノードセルを測定する。
【０２９７】
本発明のこの実施形態では、ユーザ機器８００は、第２のノードによって送信された第１のノード情報を受信する。したがって、本発明のこの実施形態では、ユーザ機器８００は、第１のノード情報を使用することにより、第１のノードへのアクセスに関連した情報を得ることができる。したがって、第２のノードがユーザ機器８００へ、ユーザ機器８００をページングしてネットワークにアクセスするために使用される第５のメッセージを送信し、ユーザ機器８００がその第５のメッセージを受信し、ユーザ機器８００がネットワークにアクセスする必要があることを知ったとき、ユーザ機器８００は、ノード装置２００に対応する第２のノードセルにアクセスすることを選択できるだけでなく、第１のノードにアクセスすることを選択することもできる。
【０２９８】
下記では、本発明の実施形態において提供されるメッセージ処理方法を、本発明の実施形態において、詳細に説明する。
【０２９９】
図９Ａは、本発明の一実施形態によるメッセージ処理方法の流れ図である。この方法は、第２のノードによって実行される。図９Ａに示されるように、この方法は下記のステップを含む。
【０３００】
Ｓ１０１．第２のノードが、第１のメッセージを判定する。
【０３０１】
本発明のこの実施形態では、第２のノードによって判定された第１のメッセージは、第１のノードセルのシステムメッセージを受信するようにＵＥに指示するために使用されるか、又は第１のノードセルのシステムメッセージが更新されていることを示すために使用される。
【０３０２】
Ｓ１０１に関し、具体的には、第１のメッセージはさらに、第１のノードセルのシステムメッセージ及び第２のノードセルのシステムメッセージを受信するようにＵＥに指示するために、又は第１のノードセルの更新されたシステムメッセージ及び第２のノードセルの更新されたシステムメッセージを受信するようにＵＥに指示するために、使用される。
【０３０３】
具体的には、第１のメッセージはページングメッセージとすること、又はＲＲＣメッセージとすること、又はシステムメッセージとすること、又はＭＡＣ層における表示メッセージとすること、又は物理層におけるシグナリングなどとすることができる。メッセージの種類は、本発明において限定されない。
【０３０４】
Ｓ１０２．第２のノードが、第１のメッセージをＵＥへ送信する。
【０３０５】
本発明のこの実施形態では、第２のノードは、第１のメッセージをＵＥへ送信し、ＵＥは、受信された第１のメッセージに応じて、第１のノードセルのシステムメッセージを受信するか、又は第１のノードセルの更新されたシステムメッセージ受信し、それにより、第２のノードに存在するＵＥは、ページングメッセージを第２のノードで受信し、ＵＥは、良好な信号品質を有する第１のノードに対してシステムメッセージリスニング及びセル測定を行うことができ、ネットワークにアクセスする必要があるとき、第１のノードセルのシステムメッセージを受信するようにＵＥに指示するために、又は第１のノードセルのシステムメッセージが更新されていることを通知するために、第１のノードがページングメッセージをＵＥに提供する必要なしに、良好な信号品質を有する第１のノードに最初にアクセスし、それによってエアインタフェースリソースを節減する。
【０３０６】
具体的には、第１のメッセージはページングメッセージとすること、又はＲＲＣメッセージとすること、又はシステムメッセージとすること、又はＭＡＣ層における表示メッセージとすること、又は物理層におけるシグナリングなどとすることができる。メッセージの種類は、本発明において限定されない。
【０３０７】
Ｓ１０２に関し、具体的には、第１のメッセージはさらに、第１のノードセルのシステムメッセージ及び第２のノードセルのシステムメッセージを受信するようにＵＥに指示するために、又は第１のノードセルの更新されたシステムメッセージ及び第２のノードセルの更新されたシステムメッセージを受信するようにＵＥに指示するために、使用される。
【０３０８】
それによって、ＵＥは、第１のノードセルのシステムメッセージ及び第２のノードセルのシステムメッセージを、受信された第１のメッセージに応じて受信するか、或いはＵＥは、第１のノードセルの更新されたシステムメッセージ及び第２のノードセルの更新されたシステムメッセージを、受信された第１のメッセージに応じて受信する。
【０３０９】
本発明のこの実施形態では、第２のノードによりＵＥへ送信される第１のメッセージは、第１のノードセルのページング構成パラメータ、第１のノードセルの識別子、第１のノードセルのシステムメッセージインジケータ、第１のノードセルのシステムメッセージコンテンツ、又は第１のノードセルの更新されたシステムメッセージコンテンツ、のうちの少なくとも１つを含む。
【０３１０】
任意選択で、本発明のこの実施形態では、第１のノードセルのシステムメッセージが更新されている場合、又はＵＥが第１のノードセルのシステムメッセージを受信する必要があるとき、第１のノードは第３のメッセージを第２のノードへ送信することができ、またこの第３のメッセージを使用することにより、第１のノードセルのシステムメッセージが更新されていることを示すこと、又は第１のノードセルのシステムメッセージを受信するようにＵＥに指示することができる。すなわち、本発明のこの実施形態では、第２のノードにより、第１のメッセージを判定する前に、この方法は、図９Ｂに示される下記のステップを含むことができる。
【０３１１】
Ｓ１０１ａ．第２のノードが、第１のノードによって送信された第３のメッセージを受信する。
【０３１２】
本発明のこの実施形態では、第１のノードによって送信され、第２のノードで受信される第３のメッセージは、下記の、第１のノードセルのページング構成パラメータ、第１のノードセルの識別子、第１のノードセルのシステムメッセージインジケータ、第１のノードセルのシステムメッセージコンテンツ、又は第１のノードセルの更新されたシステムメッセージコンテンツ、のうちの少なくとも１つを含み得る。
【０３１３】
本発明のこの実施形態では、第２のノードが、第１のノードによって送信された第３のメッセージを受信することは、好ましい一実現方式にすぎないこと、並びに、第３のメッセージに含まれる、第１のノードセルのページング構成パラメータ、第１のノードセルの識別子、第１のノードセルのシステムメッセージインジケータ、第１のノードセルのシステムメッセージコンテンツ、又は第１のノードセルの更新されたシステムメッセージコンテンツは、第１のノードセルのシステムメッセージが更新されていることを示すために、又は第１のノードセルのシステムメッセージを受信するようにＵＥに指示するために、使用されることに留意されたい。これは本発明のこの実施形態では限定されない。このステップは、任意選択のステップとすることができる。
【０３１４】
下記では、上記の実施形態を実施できる諸方式を、本発明のこの実施形態において、例としての実用的な応用と併せて説明する。
【０３１５】
実現方式１
【０３１６】
第１のメッセージは構成メッセージであり、この構成メッセージは、第１のノードセルのページング構成パラメータを含む。実施流れ図が図９Ｃに示されている。
【０３１７】
Ｓ１０１１．第２のノードが、構成メッセージを判定すると共に、第１のノードセルのページング構成パラメータを構成メッセージに含める。
【０３１８】
本発明のこの実施形態では、第１のノードセルのページング構成パラメータは下記のパラメータ、すなわち、Ｔ（ｄｅｆａｕｌｔＰａｇｉｎｇＣｙｃｌｅ，  ｉｔ  ｉｓ  ａ  ＤＲＸ  ｃｙｃｌｅ  ｏｆ  ＵＥ．  すなわち、ＵＥのＤＲＸ周期）、ｎｂ（Ｐａｒａｍｅｔｅｒ：  ｎＢ  ｉｓ  ｕｓｅｄ  ａｓ  ｏｎｅ  ｏｆ  ｐａｒａｍｅｔｅｒｓ  ｔｏ  ｄｅｒｉｖｅ  ａ  ｐａｇｉｎｇ  ｆｒａｍｅ  ａｎｄ  ａ  ｐａｇｉｎｇ  ｏｃｃａｓｉｏｎ  ａｃｃｏｒｄｉｎｇ  ｔｏ  ＴＳ  ３６．３０４，たとえば、ｎＢの値の範囲は４Ｔ、２Ｔ、Ｔ、Ｔ／２、Ｔ／４、Ｔ／８、Ｔ／１６、又はＴ／３２であり得る）、ページング無線ネットワーク一時的識別子（ｐａｇｉｎｇ  Ｒａｄｉｏ  Ｎｅｔｗｏｒｋ  Ｔｅｍｐｏｒｙ  Ｉｄｅｎｔｉｔｙ，Ｐ−ＲＮＴＩ）、ページング周期（ｄｅｆａｕｌｔＰａｇｉｎｇＣｙｃｌｅ）、ＵＥの識別子、又は第１のノードセルの識別子、のうちの少なくとも１つとすることができる。第２のノードが第１のノードセルのページング構成パラメータをどのように取得及び判定するかは、本発明のこの実施形態では限定されない。たとえば、第２のノードは、第１のノードセルのページング構成パラメータをそれ自体で構成し、そのページング構成パラメータをＵＥに提供することができる。当然、第２のノードはまた、第１のノードとの対話によって、第１のノードにより提供されるページング構成パラメータを取得することもできる。
【０３１９】
当然、ページング構成パラメータはまた、他のパラメータとすることもできる。これは本発明においては限定されない。
【０３２０】
Ｓ１０２１．第２のノードが、構成メッセージをＵＥへ送信し、この構成メッセージは、第１のノードセルのページング構成パラメータを含む。
【０３２１】
本発明のこの実施形態では、第１のノードセルのページング構成パラメータは、ＵＥにより、第１のノードによって送信されたページングメッセージを受信するためのページング時間を判定するために使用される。このページングメッセージは、第１のノードのシステムメッセージが更新されていることをＵＥに通知するために、又はマイクロセルのシステムメッセージを受信するようにＵＥに指示するために使用される。
【０３２２】
第１のノードセルのページング構成パラメータは、ページング時間を判定するために使用される。ページング構成パラメータは、ＵＥにより、第１のノードによって送信されたページングメッセージを受信するためのページング時間を判定するのに使用される。このページングメッセージは、第１のノードセルのシステムメッセージを受信するようにユーザ機器に指示するために使用されるか、又は第１のノードセルのシステムメッセージが更新されていることを示すために使用される。
【０３２３】
具体的には、ページング構成パラメータがページング時間を判定するために使用されるということは、下記のあり得ること、すなわち、ページング構成パラメータがＵＥによって、ページングメッセージを受信するためのページング時間を判定するのに使用される、ページングメッセージを受信するための時間を判定するのに使用される、又はページングメッセージを送信するための時間を判定するのに使用される、のうちの１つであり得る。具体的には、ページング時間は下記のパラメータ、すなわち、ページング周期（Ｐａｇｉｎｇ  Ｃｙｃｌｅ，たとえばｄｅｆａｕｌｔ  Ｐａｇｉｎｇ  Ｃｙｃｌｅ）、ページングフレーム（Ｐａｇｉｎｇ  Ｆｒａｍｅ）、又はページングオケージョン（ｐａｇｉｎｇ  ｏｃｃａｓｉｏｎ）、のうちの少なくとも１つであり得る。
【０３２４】
ページング周期（Ｐａｇｉｎｇ  ｃｙｃｌｅ）は、ページングメッセージの周期を示し得る。
【０３２５】
ページングオケージョンは、ページングメッセージが位置するページングフレーム内のサブフレームとすることができる。
【０３２６】
ページングフレームは、ページングメッセージの無線フレーム（ｒａｄｉｏ  ｆｒａｍｅ）とすることができる。
【０３２７】
ページングパラメータに関し、ページング構成パラメータは、具体的には下記のパラメータ、すなわち、Ｔ（ｄｅｆａｕｌｔＰａｇｉｎｇＣｙｃｌｅ，  ｉｔ  ｉｓ  ａ  ＤＲＸ  ｃｙｃｌｅ  ｏｆ  ｔｈｅ  ＵＥ．  すなわち、ＵＥのＤＲＸ周期）、ｎｂ（Ｐａｒａｍｅｔｅｒ：  ｎＢ  ｉｓ  ｕｓｅｄ  ａｓ  ｏｎｅ  ｏｆ  ｐａｒａｍｅｔｅｒｓ  ｔｏ  ｄｅｒｉｖｅ  ａ  ｐａｇｉｎｇ  ｆｒａｍｅ  ａｎｄ  ａ  ｐａｇｉｎｇ  ｏｃｃａｓｉｏｎ  ａｃｃｏｒｄｉｎｇ  ｔｏ  ＴＳ  ３６．３０４，たとえば、ｎＢの値の範囲は４Ｔ、２Ｔ、Ｔ、Ｔ／２、Ｔ／４、Ｔ／８、Ｔ／１６、又はＴ／３２であり得る）、ページング無線ネットワーク一時的識別子（ｐａｇｉｎｇ  Ｒａｄｉｏ  Ｎｅｔｗｏｒｋ  Ｔｅｍｐｏｒｙ  Ｉｄｅｎｔｉｔｙ，Ｐ−ＲＮＴＩ）、ページング周期（ｄｅｆａｕｌｔＰａｇｉｎｇＣｙｃｌｅ）、ＵＥの識別子、第１のノードセルの識別子、第１のノードの識別子、又はページングレコード（ＰａｇｉｎｇＲｅｃｏｒｄ）、のうちの少なくとも１つとすることができる。
【０３２８】
具体的には、たとえば、上記の構成メッセージはまた、システムメッセージとすることもできる。
【０３２９】
実現方式１の別のあり得ることは、第１のメッセージがページングメッセージであることであり、このページングメッセージをユーザ機器へ第２のノードによって送信する前に、この方法はさらに、
第２のノードにより、第４のメッセージをユーザ機器へ送信するステップを含む。この第４のメッセージは、ページング構成パラメータを含み、このページング構成パラメータは、ページング時間を判定するために使用される。実施流れ図が図９Ｄに示されている。
【０３３０】
Ｓ１．第２のノードが、第４のメッセージを判定すると共に、ページング構成パラメータを第４のメッセージに含める。
【０３３１】
本発明のこの実施形態では、第４のメッセージに含まれるページング構成パラメータは、ＵＥにより、第２のノードによって送信されたページングメッセージを受信するためのページング時間を判定するために使用される。このページングメッセージは、第１のノードのシステムメッセージが更新されていることをＵＥに通知するために、又は、マイクロセルのシステムメッセージを受信するようにＵＥに指示するために使用される。
【０３３２】
具体的には、ページング構成パラメータがページング時間を判定するために使用されるということは、下記のあり得ること、すなわち、ページング構成パラメータがＵＥによって、第２のノードによって送信されたページングメッセージを受信するためのページング時間を判定するのに使用される、ページングメッセージを受信するための時間を判定するのに使用される、又はページングメッセージを送信するための時間を判定するのに使用される、のうちの１つであり得る。
【０３３３】
ページング構成パラメータは下記のパラメータ、すなわち、Ｔ（ｄｅｆａｕｌｔＰａｇｉｎｇＣｙｃｌｅ，  ｉｔ  ｉｓ  ａ  ＤＲＸ  ｃｙｃｌｅ  ｏｆ  ｔｈｅ  ＵＥ．  すなわち、ＵＥのＤＲＸ周期）、ｎｂ（Ｐａｒａｍｅｔｅｒ：  ｎＢ  ｉｓ  ｕｓｅｄ  ａｓ  ｏｎｅ  ｏｆ  ｐａｒａｍｅｔｅｒｓ  ｔｏ  ｄｅｒｉｖｅ  ａ  ｐａｇｉｎｇ  ｆｒａｍｅ  ａｎｄ  ａ  ｐａｇｉｎｇ  ｏｃｃａｓｉｏｎ  ａｃｃｏｒｄｉｎｇ  ｔｏ  ＴＳ  ３６．３０４，たとえば、ｎＢの値の範囲は４Ｔ、２Ｔ、Ｔ、Ｔ／２、Ｔ／４、Ｔ／８、Ｔ／１６、又はＴ／３２であり得る）、ページング無線ネットワーク一時的識別子（ｐａｇｉｎｇ  Ｒａｄｉｏ  Ｎｅｔｗｏｒｋ  Ｔｅｍｐｏｒｙ  Ｉｄｅｎｔｉｔｙ，Ｐ−ＲＮＴＩ）、ページング周期（ｄｅｆａｕｌｔＰａｇｉｎｇＣｙｃｌｅ）、ＵＥの識別子、第１のノードセルの識別子、第１のノードの識別子、又はページングレコード（ＰａｇｉｎｇＲｅｃｏｒｄ）、のうちの少なくとも１つとすることができる。
【０３３４】
Ｓ２．第２のノードが、第４のメッセージをＵＥへ送信する。この第４のメッセージは、ページング構成パラメータを含み、このページング構成パラメータは、ページング時間を判定するために使用される。
【０３３５】
具体的には、ページング構成パラメータがページング時間を判定するために使用されるということは、下記のあり得ること、すなわち、ページング構成パラメータがＵＥによって、第２のノードのページングメッセージを受信するためのページング時間を判定するのに使用される、ページングメッセージを受信するための時間を判定するのに使用される、又はページングメッセージを送信するための時間を判定するのに使用される、のうちの１つであり得る。このページングメッセージは、第１のノードセルのシステムメッセージを受信するようにユーザ機器に指示するために使用されるか、又は第１のノードセルのシステムメッセージが更新されていることを示すために使用される。
【０３３６】
具体的には、ページング時間は下記のパラメータ、すなわち、ページング周期（Ｐａｇｉｎｇ  Ｃｙｃｌｅ，たとえばｄｅｆａｕｌｔ  Ｐａｇｉｎｇ  Ｃｙｃｌｅ）、ページングフレーム（Ｐａｇｉｎｇ  Ｆｒａｍｅ）、又はページングオケージョン（ｐａｇｉｎｇ  ｏｃｃａｓｉｏｎ）、のうちの少なくとも１つであり得る。
【０３３７】
ページング周期（Ｐａｇｉｎｇ  ｃｙｃｌｅ）は、ページングメッセージを送信するための周期を示す。
【０３３８】
ページングオケージョンとは、ページングメッセージを送信するためのページングフレーム内のサブフレームのことを指す。
【０３３９】
ページングフレームとは、ページングメッセージを送信するための無線フレーム（ｒａｄｉｏ  ｆｒａｍｅ）のことを指す。
【０３４０】
ページングパラメータは、具体的には下記のようにすることができる。
【０３４１】
Ｓ３．第２のノードが、ページングメッセージをＵＥへ送信する。このページングメッセージは、第１のノードセルのシステムメッセージを受信するようにユーザ機器に指示するために使用されるか、又は第１のノードセルのシステムメッセージが更新されていることを示すために使用される。
【０３４２】
具体的には、たとえば、第２のノードにより送信される第４のメッセージは、無線リソース制御（Ｒａｄｉｏ  Ｒｅｓｏｕｒｃｅ  Ｃｏｎｔｒｏｌ，ＲＲＣ）接続再構成メッセージ（ＲＲＣ  Ｃｏｎｎｅｃｔｉｏｎ  Ｒｅｃｏｎｆｉｇｕｒａｔｉｏｎ  ｍｅｓｓａｇｅ）とすることができる。
【０３４３】
本発明のこの実施形態では、第２のノードは、第１のノードセルのページング構成パラメータをＵＥへ送信し、それによりＵＥは、ページング時間を第１のノードセルのページング構成パラメータに応じて判定できるようになる。ページング構成パラメータがページング時間を判定するために使用されるということは、下記のあり得ること、すなわち、ページング構成パラメータがＵＥによって、ページングメッセージを受信するためのページング時間を判定するのに使用される、ＵＥにより、第２のノードによって送信されたページングメッセージを受信するためのページング時間を判定するのに使用される、ページングメッセージを受信するための時間を判定するのに使用される、ページングメッセージを送信するための時間を決定するのに使用される、又はノードによりページングメッセージを送信するための時間を判定するのに使用される、のうちの１つであり得る。具体的には、ページング時間は下記のパラメータ、すなわち、ページング周期（Ｐａｇｉｎｇ  Ｃｙｃｌｅ，たとえばｄｅｆａｕｌｔ  Ｐａｇｉｎｇ  Ｃｙｃｌｅ）、ページングフレーム（Ｐａｇｉｎｇ  Ｆｒａｍｅ）、又はページングオケージョン（ｐａｇｉｎｇ  ｏｃｃａｓｉｏｎ）、のうちの少なくとも１つであり得る。
【０３４４】
ページング周期（Ｐａｇｉｎｇ  ｃｙｃｌｅ）は、ページングメッセージを送信するための周期を示す。
【０３４５】
ページングオケージョンとは、ページングメッセージを送信するためのページングフレーム内のサブフレームのことを指す。
【０３４６】
ページングフレームとは、ページングメッセージを送信するための無線フレーム（ｒａｄｉｏ  ｆｒａｍｅ）のことを指す。
【０３４７】
たとえば、ＵＥは、ページングメッセージを３２フレームのページング周期内で受信する。たとえば、ＵＥは、計算によってページングフレーム及びページングサブフレームを、ページング構成パラメータを使用することにより取得し、またＵＥは、計算されたＸ番目フレームのＹ番目サブフレーム内のページングメッセージを受信する。ページングフレーム及びサブフレームの具体的な計算式は、本発明において限定されない。以前に使用された技術を採用することができ、或いは別の新しいアルゴリズムを使用することができる。別の例では、ＵＥは、６４フレームのページング周期内で、Ｘ番目ページングフレームのＹ番目サブフレーム内のページングメッセージを受信する。
【０３４８】
上述のように、ページング時間は下記のあり得るもの、すなわち、ＵＥがページングメッセージを受信するためのページング時間、第２のノードによって送信されたページングメッセージを受信するための、かつＵＥによって判定されるページング時間、ページングメッセージを受信するための時間、ページングメッセージを送信するための時間、又はノードがページングメッセージを送信するための時間、のうちのいずれか１つであり得る。
【０３４９】
ページングメッセージが第２のノードセル内で、ページング時間内に受信される。ページングメッセージは、第１のノードセルのシステムメッセージを受信するようにＵＥに指示するために使用されるか、又は第１のノードセルのシステムメッセージが更新されていることをＵＥに通知するために使用される。それによって、ページング時間内で、ＵＥがページングメッセージを第２のノードセル内で受信した場合、そのページングメッセージの受信後に、ＵＥは第１のノードセルのシステムメッセージを受信するか、又は第１のノードセルの更新されたシステムメッセージを受信する。
【０３５０】
本発明のこの実施形態では、第２のノードセルに関連した第４のメッセージ（たとえば、メッセージＡ１）を判定することに加えて、第２のノードはさらに、第１のノードセルのページング構成パラメータを含む第４のメッセージ（たとえば、メッセージＡ１２）の別の組を判定することができ、それによりＵＥは、第２のノードセル内の２つの組のページング時間に対応し、またＵＥは、第２のノードセルに関連したページングメッセージを、最初の第４のメッセージ（たとえば、メッセージＡ１）に対応する第１のページング時間内に受信し、また、第１のノードセルに関連したページングメッセージを第２のノードセル内で、２番目の第４のメッセージ（たとえば、メッセージＡ２）に対応する第２のページング時間内に受信することができる。この方式では、第２のノードは、一組のページング構成パラメータを追加して構成する必要しかなくて、比較的簡単な実現方式がもたらされる。
【０３５１】
実現方式２
【０３５２】
第１のメッセージはページングメッセージである。任意選択で、ページングメッセージは、第１のノードセルの識別子を含む。実施流れ図が図９Ｅに示されている。
【０３５３】
Ｓ１０１２．第２のノードが、ページングメッセージを判定する。任意選択で、第２のノードは、ページングメッセージ内に下記の、第１のノードセルの識別子、第１のノードの識別子、第１のノードセルのシステムメッセージインジケータ、のうちの少なくとも１つを含む。
【０３５４】
たとえば、本発明のこの実施形態では、第２のノードは、ページングメッセージを判定すること、第１のノードセルの識別子をページングメッセージに含めること、並びに、この第１のノードセルの識別子を含むページングメッセージを使用することにより、第１のノードセルのシステムメッセージが更新されていることをＵＥに通知すること、又は第１のノードセルのシステムメッセージを受信するようにＵＥに指示することができる。
【０３５５】
本発明のこの実施形態では、第１のノードセルの識別子は、物理的セル識別子（Ｐｈｙｓｉｃａｌ  Ｃｅｌｌ  ＩＤ，ＰＣＩ）、セルグローバル識別子（Ｅ−ＵＴＲＡＮ  Ｃｅｌｌ  Ｇｌｏｂａｌ  Ｉｄｅｎｔｉｆｉｅｒ，ＥＣＧＩ）などとすることができる。具体的には、たとえば、本発明のこの実施形態では、第２のノードは第１のノードセルの識別子を、第１のノードによって送信されたメッセージを使用することにより取得することができるか、かつ／又は
具体的には、ページングメッセージは第１のノードの識別子を含むことができ、この第１のノードの識別子を含むページングメッセージを使用することにより、ＵＥは、第１のノードセルのシステムメッセージが更新されていることを通知され、又はＵＥは、第１のノードセルのシステムメッセージを受信するように指示されるか、かつ／又は
具体的には、ページングメッセージは、第１のノードセルのシステムメッセージインジケータを含むことができ、この第１のノードセルのシステムメッセージインジケータを含むページングメッセージを使用することにより、ＵＥは、第１のノードセルのシステムメッセージが更新されていることを通知され、又はＵＥは、第１のノードセルのシステムメッセージを受信するように指示される。
【０３５６】
Ｓ１０２２．第２のノードが、ページングメッセージをＵＥへ送信する。ページングメッセージは、第１のノード／第１のノードセル（たとえば、セルＡ）のシステムメッセージが更新されていることをＵＥに通知するために、又は第１のノード／第１のノードセル（たとえば、セルＡ）のシステムメッセージを受信するようにＵＥに指示するために使用される。任意選択で、ページングメッセージは、第１のノードセルの識別子を含む。
【０３５７】
具体的には、たとえば、ページングメッセージは、
１）システムメッセージが更新されていることを示すためのｓｙｓｔｅｍＩｎｆｏＭｏｄｉｆｉｃａｔｉｏｎ、又はｓｙｓｔｅｍＩｎｆｏＭｏｄｉｆｉｃａｔｉｏｎ  ＥＮＵＭＥＲＡＴＥＤ  ｛ｔｒｕｅ｝、又はｅａｂ−ＰａｒａｍＭｏｄｉｆｉｃａｔｉｏｎ、又はｅａｂ−ＰａｒａｍＭｏｄｉｆｉｃａｔｉｏｎ  ＥＮＵＭＥＲＡＴＥＤ  ｛ｔｒｕｅ｝を含むか、かつ／又は
ページングメッセージは、
２）たとえば下記の、第１のノードセルの識別子、第１のノードの識別子、又は第１のノードセルのシステムメッセージインジケータ、のうちの少なくとも１つを含む、第１のノードセルに関連した情報を含むことができる。当然、ページングメッセージはまた、他のパラメータを含むこともできる。これは本発明においては限定されない。
【０３５８】
それによって、ページングメッセージは、第１のノード／第１のノードセル（たとえば、セルＡ）のシステムメッセージが更新されていることをＵＥに通知するために、又は第１のノード／第１のノードセル（たとえば、セルＡ）のシステムメッセージを受信するようにＵＥに指示するために使用される。
【０３５９】
任意選択で、ページングメッセージはＵＥの識別子、たとえば、Ｓ一時モバイル加入者識別子（Ｓ−Ｔｅｍｐｏｒａｒｙ  Ｍｏｂｉｌｅ  Ｓｕｂｓｃｒｉｂｅｒ  Ｉｄｅｎｔｉｔｙ，Ｓ−ＴＭＳＩ）、又は国際モバイル加入者識別子（Ｉｎｔｅｒｎａｔｉｏｎａｌ  Ｍｏｂｉｌｅ  Ｓｕｂｓｃｒｉｂｅｒ  Ｉｄｅｎｔｉｔｙ，ＩＭＳＩ）を含む。
【０３６０】
本発明のこの実施形態では、第２のノードがページングメッセージをＵＥへ送信し、それにより、第２のノードによって送信されたページングメッセージを受信後、ＵＥは、第２のノードによって送信されたページングメッセージに含まれる第１のノードに関連した情報（たとえば、第１のノードのセル識別子、又は第１のノードの識別子）により、第１のノードセルのシステムメッセージが更新されていることを知ることができ、その場合ＵＥは、第１のノードセルの更新されたシステムメッセージを、第１のノードのセル識別子に対応する第１のノードセル内で受信することができる。或いはＵＥは、ＵＥが第１のノードセルのシステムメッセージを受信する必要のあることを知り、その場合ＵＥは、第１のノードセルのシステムメッセージを、第１のノードのセル識別子に対応する第１のノードセル内で受信することができる。
【０３６１】
実現方式３
【０３６２】
第１のメッセージはシステムメッセージであり、このシステムメッセージは、第１のノードセルのシステムメッセージが更新されていることを示すために使用されるか、又は第１のノードセルのシステムメッセージを受信するようにユーザ機器に指示するために使用される。実施流れ図が図９Ｆに示されている。
【０３６３】
Ｓ１０１３．第２のノードが、システムメッセージを判定すると共に、このシステムメッセージを使用することにより、第１のノードセルのシステムメッセージが更新されていることを示すか、又は第１のノードセルのシステムメッセージを受信するようにＵＥに指示する。
【０３６４】
Ｓ１０２３．第２のノードが、システムメッセージをＵＥへ送信する。このシステムメッセージは、第１のノードセルのシステムメッセージが更新されていることを示すために、又は第１のノードセルのシステムメッセージを受信するようにＵＥに指示するために使用される。
【０３６５】
具体的には、第２のノードは、システムメッセージをＵＥへ送信する。このシステムメッセージは、第１のノードセルのシステムメッセージが更新されていることを示すための、又は第１のノードセルのシステムメッセージを受信するようにＵＥに指示するための、インジケーション情報を含む。このインジケーション情報は複数の形を有することができ、たとえば、第１のノードセルのシステムメッセージが更新されていることを示すための、又は第１のノードセルのシステムメッセージを受信するようにＵＥに指示するための、第１のノードセルのセル識別子、及び／又は第１のノードの識別子、及び／又は第１のノードセルのシステムメッセージインジケータ（ｉｎｄｉｃａｔｏｒ）とすることができる。
【０３６６】
本発明のこの実施形態では、第２のノードは、第１のノードセルのシステムメッセージが更新されていることを示すために、又は第１のノードセルのシステムメッセージを受信するようにＵＥに指示するために、システムメッセージをＵＥへ送信する。したがって、第２のノードによって送信されたシステムメッセージを受信後、ＵＥは、第１のノードセルの更新されたシステムメッセージを第１のノードセル内で受信すること、又は第１のノードセルのシステムメッセージを第１のノードセル内で受信することができる。
【０３６７】
実現方式４
【０３６８】
第１のメッセージはシステムメッセージであり、このシステムメッセージは、第１のノードセルのシステムメッセージが更新されていること、及び第２のノードセルのシステムメッセージが更新されていることを示すために使用されるか、又は第１のノードセルのシステムメッセージ及び第２のノードセルのシステムメッセージを受信するようにＵＥに指示するために使用される。実施流れ図が図９Ｇに示されている。
【０３６９】
Ｓ１０１４．第２のノードが、システムメッセージを判定すると共に、このシステムメッセージを使用することにより、第１のノードセルのシステムメッセージが更新されていること、及び第２のノードセルのシステムメッセージが更新されていることを示すか、又は第１のノードセルのシステムメッセージ及び第２のノードセルのシステムメッセージを受信するようにＵＥに指示する。
【０３７０】
Ｓ１０２４．第２のノードが、システムメッセージをＵＥへ送信する。
【０３７１】
本発明のこの実施形態では、第２のノードは、第１のノードセルのシステムメッセージが更新されていること、及び第２のノードセルのシステムメッセージが更新されていることを示すために、又は第１のノードセルのシステムメッセージ及び第２のノードセルのシステムメッセージを受信するようにＵＥに指示するために、システムメッセージをＵＥへ送信する。したがって、第２のノードによって送信されたシステムメッセージを受信後、ＵＥは、システムメッセージ又は更新されたシステムメッセージを第１のノードセル及び第２のノードセル内で受信することができ、次に、第１のノードセルのシステムメッセージ又は第１のノードセルの更新されたシステムメッセージを第１のノードセル内で受信することができる。
【０３７２】
任意選択で、本発明の実現方式３及び実現方式４において、システムメッセージに含まれるインジケーション情報（たとえば、第１のノードセルのシステムメッセージインジケータ）は、第１のノードセルのシステムメッセージが更新されていることを示すために、又は第１のノードセルのシステムメッセージを受信するようにＵＥに指示するために使用されることができる。本発明のこの実施形態では、第１のメッセージはシステムメッセージであり、このシステムメッセージは第１のノードセルの識別子を含み、この第１のノードセルの識別子は、第１のノードセルのシステムメッセージが更新されていることを示すために、又は第１のノードセルのシステムメッセージを受信するようにＵＥに指示するために、使用される。実施流れ図が図９Ｈに示されている。
【０３７３】
Ｓ１０１５．第２のノードがシステムメッセージを判定する。任意選択で、システムメッセージは、下記の、第１のノードセルの識別子、第１のノードの識別子、又は第１のノードセルのシステムメッセージインジケータ、のうちの少なくとも１つを含む。システムメッセージはまた、他のインジケータ又は識別子も含み得る。
【０３７４】
具体的には、本発明のこの実施形態では、第２のノードによって判定されたシステムメッセージは、下記の、第１のノードセルの識別子、第１のノードの識別子、又は第１のノードセルのシステムメッセージインジケータ、のうちの少なくとも１つを含む。これらの情報を含むシステムメッセージを使用することによって、第１のノードセルのシステムメッセージが更新されていること、又はＵＥが第１のノードセルのシステムメッセージを受信するように指示されていることが示される。
【０３７５】
本発明のこの実施形態では、第１のノードセルの識別子はＰＣＩ、ＥＣＧＩなどであり得る。たとえば、本発明のこの実施形態では、第２のノードは第１のノードセルの識別子を、第１のノードによって送信されたメッセージを使用することにより取得することができる。
【０３７６】
Ｓ１０２５．第２のノードが、システムメッセージをＵＥへ送信する。任意選択で、システムメッセージは、下記の、ページング構成、第１のノードセルの識別子、第１のノードの識別子、又は第１のノードセルのシステムメッセージインジケータ、のうちの少なくとも１つを含む。
【０３７７】
具体的に、第１のノードセルの識別子が含まれる例を用いると、本発明のこの実施形態では、第２のノードは、第１のノードセルの識別子を含むシステムメッセージをＵＥへ送信し、それにより、第２のノードによって送信されたシステムメッセージを受信後、ＵＥは、第２のノードによって送信されたシステムメッセージに含まれる第１のノードセルの識別子により、第１のノードセルのシステムメッセージが更新されていることを知ることができ、その場合ＵＥは、第１のノードセルの更新されたシステムメッセージを、第１のノードセルの識別子に対応する第１のノードセル内で受信することができ、或いは第１のノードセルのシステムメッセージを、第１のノードセルの識別子に対応する第１のノードセル内で受信することができる。
【０３７８】
実現方式５
【０３７９】
第１のメッセージは第２のノードのシステムメッセージであり、この第２のノードのシステムメッセージは、第１のノードセルのシステムメッセージコンテンツ、又は第１のノードセルの更新されたシステムメッセージコンテンツを含む。実施流れ図が図９Ｉに示されている。
【０３８０】
Ｓ１０１６．第２のノードが、第２のノードのシステムメッセージを判定すると共に、第１のノードセルのシステムメッセージコンテンツ、又は第１のノードセルの更新されたシステムメッセージコンテンツを第２のノードのシステムメッセージに含める。
【０３８１】
Ｓ１０２６．第２のノードが、第１のノードセルのシステムメッセージコンテンツ、又は第１のノードセルの更新されたシステムメッセージコンテンツを含む第２のノードのシステムメッセージをＵＥへ送信する。
【０３８２】
具体的には、たとえば、本発明のこの実施形態では、第１のノードは、第１のノードセルのシステムメッセージコンテンツ、又は第１のノードセルの更新されたシステムメッセージコンテンツを第２のノードへ送信することができる。第２のノードは、第１のノードセルのシステムメッセージコンテンツ、又は第１のノードセルの更新されたシステムメッセージコンテンツを第２のノードの判定されたシステムメッセージに含めると共に、この第２のノードのシステムメッセージをＵＥへ送信し、それによりＵＥは、第１のノードセルのシステムメッセージ又は第１のノードセルの更新されたシステムメッセージを、第２のノードセルのシステムメッセージを使用することにより直接的に取得できるようになる。
【０３８３】
本発明のこの実施形態における上述のメッセージ処理方法によって、マクロ基地局などの第２のノードが、ページングメッセージ、構成メッセージ、又はシステムメッセージを使用することにより、第１のノードセルの、たとえばマイクロセルのシステムメッセージが更新されていると示すこと、又は第１のノードセルのシステムメッセージを受信するようにＵＥに指示することができ、それによりＵＥは、第１のノードセルのシステムメッセージ又は第１のノードセルの更新されたシステムメッセージを取得できるようになる。したがって、通信サービスがＵＥをページングする必要があるとき（たとえば、第２のノードがページングメッセージを送信してＵＥをページングする）、ＵＥはランダムアクセスを第１のノードセル内で、取得される第１のノードセルのシステムメッセージ又は第１のノードセルの更新されたシステムメッセージに応じて、開始することができる。
【０３８４】
本発明のこの実施形態では、「ユーザ機器をページングする」とは、ネットワークが、ＵＥをページングする、又はＵＥをページングしてネットワークにアクセスする、又はＵＥをページングしてＲＲＣ接続を確立する、又はＵＥに指示してネットワークにアクセスする、又はＵＥに指示してＲＲＣ接続を確立することを表す。
【０３８５】
本発明のこの実施形態において提供されるメッセージ処理方法が具体的に使用されるシナリオは、下記のようになり得る。
【０３８６】
マクロ基地局は広いカバレッジを提供し、マイクロ基地局は、カバレッジは小さいが信号品質が良好であり、オフロードサポート及び／又はホットスポットサポートをマクロ基地局に提供する。この場合、ＵＥがマクロ基地局（たとえば、第２のノード）に存在し、またマクロ基地局が、そのＵＥをページングするためにページングメッセージを送信してネットワークにアクセスするとき、ＵＥは、通信のための良好な信号品質を有するマイクロ基地局（又はマイクロ基地局セル）にアクセスし、それによって、マクロ基地局の負担を減らし、また高品質の通信サービスを得ることができる。このシナリオでは、マクロ基地局はページングメッセージを送信する。ネットワークシグナリング負荷を減らすために、マイクロ基地局はページングメッセージを送信しないことがあり（たとえば、ページングメッセージは、システムメッセージが更新されていることをＵＥに通知するために使用され、かつ／又はページングメッセージは、ＵＥをページングするために使用されるか、又はＵＥをページングしてネットワークにアクセスするために使用されるか、又はＵＥをページングしてＲＲＣ接続を確立するために使用される）、或いはＵＥは、マイクロ基地局によって送信されたページングメッセージを受信しない（たとえば、ページングメッセージは、システムメッセージが更新されていることをＵＥに通知するために使用され、かつ／又はページングメッセージは、ＵＥをページングしてネットワークにアクセスするために使用される）。ＵＥはマイクロ基地局のシステムメッセージ更新を、ページングメッセージを使用することにより通知されるが、マイクロ基地局はページングメッセージを送信せず、或いはＵＥはマイクロ基地局のページングメッセージを受信しないので、ＵＥは、マイクロ基地局のシステムメッセージ更新を適時に得ることができない。
【０３８７】
ＵＥが適切なセルにとどまるとき、ＵＥはさらにセル測定を、現在のセルを測定すること、周波数内セルを測定すること、周波数間セルを測定することなどを含めて実施して、セル再選択を実行する必要があるかどうかを評価し、それによりＵＥは、その存在するセル内でサービスの必要があるときにランダムアクセスを開始できるようになる。
【０３８８】
当然、本発明は、上記のシナリオにだけ適用されることに限定されない。
【０３８９】
本発明のこの実施形態では１つの方式を提供し、それにより、異種ネットワーク内で、ＵＥが第２のノードセルにとどまり、第２のノードによって送信されたシステムメッセージ及びページングメッセージを受信するようになる。加えて、ＵＥはまた、第１のノードセルのシステムメッセージを受信し、セル測定を実行することもできるが、第１のノードによって送信されたページングメッセージを受信しない。この場合、ＵＥをページングするのに使用されたページングメッセージを受信後、ＵＥは速やかに第１のノードにアクセスすることができる。
【０３９０】
図１０Ａは、本発明の一実施形態による別のメッセージ処理方法の流れ図である。図１０Ａに示された方法は第２のノードにより実行されることができ、この第２のノードは、たとえばマクロ基地局であり得る。図１０Ａに示されるように、この方法は下記のステップを含む。
【０３９１】
Ｓ２０１．第２のノードが、第５のメッセージ及び第１のノード情報を判定する。
【０３９２】
本発明のこの実施形態では、第２のノードによって判定された第５のメッセージは、ＵＥをページングするために使用されるか、又はＵＥをページングしてネットワークにアクセスするために使用されるか、又はＵＥをページングしてＲＲＣ接続を確立するために使用されるか、又はＵＥに指示してネットワークにアクセスするために使用されるか、又はＵＥに指示してＲＲＣ接続を確立するために使用される。第１のノード情報は、第１のノードについての情報をＵＥに提供するために使用される。
【０３９３】
本発明のこの実施形態では、第１のノード情報は、第１のノードセルの識別子、第１のノードセルのアクセス構成、第１のノードのＲＲＣ構成、第１のノードのパケットデータコンバージェンスプロトコル（Ｐａｃｋｅｔ  Ｄａｔａ  Ｃｏｎｖｅｒｇｅｎｃｅ  Ｐｒｏｔｏｃｏｌ，ＰＤＣＰ）、第１のノードの無線リンク制御層プロトコル（Ｒａｄｉｏ  Ｌｉｎｋ  Ｃｏｎｔｒｏｌ，ＲＬＣ）構成、第１のノードのメディアアクセス制御（Ｍｅｄｉａ  Ａｃｃｅｓｓ  Ｃｏｎｔｒｏｌ，ＭＡＣ）構成、第１のノードの物理層構成、又は第１のノードのアクセス構成、のうちの少なくとも１つを含み得る。
【０３９４】
本発明のこの実施形態では、第２のノードは、第５のメッセージ及び第１のノード情報を不必要に同時に判定するが、第５のメッセージ及び第１のノード情報を続けて判定することができる。たとえば、第５のメッセージが最初に送信されてよく、次いで第１のノード情報が送信されるか、或いは第１のノード情報が最初に送信されてよく、次いで第５のメッセージが送信されるか、或いは第１のノード情報が、第５のメッセージが判定されるときに判定されてもよい。これは、本発明のこの実施形態では具体的に限定されない。
【０３９５】
第１のノード情報は第５のメッセージに含まれ送信され得ること、或いは第１のノード情報は、第５のメッセージ以外の別のメッセージの中で送信され得ることに留意されたい。これは本発明においては限定されない。
【０３９６】
具体的には、第１のノードのアクセス構成はＰＲＡＣＨ−Ｃｏｎｆｉｇとすることができ、第１のノードのアクセス構成は、具体的には下記の、ｐｒａｃｈ−ＣｏｎｆｉｇＩｎｄｅｘ、ｈｉｇｈＳｐｅｅｄＦｌａｇ、ｚｅｒｏＣｏｒｒｅｌａｔｉｏｎＺｏｎｅＣｏｎｆｉｇ、ｐｒａｃｈ−ＦｒｅｑＯｆｆｓｅ、又はｒｏｏｔＳｅｑｕｅｎｃｅＩｎｄｅｘ、のうちの少なくとも１つを含むことができる。当然、本発明では、パラメータコンテンツは、一例として挙げた上記のパラメータコンテンツに限定されない。
【０３９７】
たとえば、パラメータの具体的な定義に関しては、下記の表を参照されたい。
【０３９８】
【表１】
2018500850.tif 000003
【０３９９】
具体的には、ｐｒａｃｈ−ＣｏｎｆｉｇＩｎｄｅｘの値の範囲はＩＮＴＥＧＥＲ（０．．６３）とすることができ、ｈｉｇｈＳｐｅｅｄＦｌａｇの値はＢＯＯＬＥＡＮ（たとえばｔｒｕｅ又はｆａｌｓｅ）とすることができ、ｚｅｒｏＣｏｒｒｅｌａｔｉｏｎＺｏｎｅＣｏｎｆｉｇの値の範囲はＩＮＴＥＧＥＲ（０．．１５）とすることができ、ｐｒａｃｈ−ＦｒｅｑＯｆｆｓｅｔの値の範囲はＩＮＴＥＧＥＲ（０．．９４）とすることができ、ｒｏｏｔＳｅｑｕｅｎｃｅＩｎｄｅｘの値の範囲はＩＮＴＥＧＥＲ（０．．８３７）とすることができる。
【０４００】
上記のアクセス構成についての具体的な説明は、本発明のアクセス構成に関連するすべての実施形態に当てはまり、したがって繰り返して説明しない。
【０４０１】
本発明では、「ＵＥをページングする」とは、ネットワークがＵＥをページングすること、又はＵＥに指示してネットワークにアクセスすること、又はＵＥに指示してＲＲＣ接続を確立すること、又はＵＥをページングしてネットワークにアクセスすること、又はＵＥをページングしてＲＲＣ接続を確立することを表す、ということに留意されたい。
【０４０２】
Ｓ２０２．第２のノードが、第１のノード情報及び第５のメッセージをＵＥへ送信する。
【０４０３】
本発明のこの実施形態では、第２のノードは、第５のメッセージ及び第１のノード情報をＵＥへ不必要に同時に送信するが、第５のメッセージ及び第１のノード情報をＵＥへ続けて送信することができることに留意されたい。たとえば、第５のメッセージが最初に送信されてよく、次いで第１のノード情報が送信されるか、或いは第１のノード情報が最初に送信されてよく、次いで第５のメッセージが送信されるか、或いは第１のノード情報が、第５のメッセージが送信されるときに含まれてよい。これは、本発明のこの実施形態では具体的に限定されない。
【０４０４】
具体的には、Ｓ２０１を実行する第１の方式は、別個の送信方式である。
【０４０５】
Ａ．第２のノードは第５のメッセージを判定する。この第５のメッセージは、ユーザ機器をページングするために使用されるか、又はネットワークにアクセスするようにユーザ機器に指示するために使用されるか、又は無線リソース制御ＲＲＣ接続を確立するようにユーザ機器に指示するために使用される。
【０４０６】
Ｂ．第２のノードは第５のメッセージをユーザ機器へ送信する。
第２のノードは第１のノード情報を判定する。この第１のノード情報は、第１のノードについての情報をユーザ機器に提供するために使用され、
第２のノードは、第１のノード情報をユーザ機器へ送信する。
【０４０７】
ＡとＢは、別々に実行される２つのステップである。ＡとＢが実行される順序は限定されない。たとえば、Ｂを最初に実行することができ、次いでＡが実行されるか、或いは２つのステップを同時に実行することができる。
【０４０８】
それに対応して、Ｓ２０２で、第２のノードは第５のメッセージ及び第１のノード情報を別々に送信する。それによって、ＵＥは第５のメッセージ及び第１のノード情報を別々に受信する。
【０４０９】
具体的には、Ｓ２０１を実行する第２の方式は合同送信方式になる。
【０４１０】
第２のノードは、第５のメッセージ及び第１のノード情報を判定する。具体的には、第１のノード情報は第５のメッセージに完全に含まれる。第１のノード情報は下記の、第１のノードセルの識別子、第１のノードの識別子、又は第１のノードのアクセス構成、のうちの少なくとも１つを含み得る。
【０４１１】
それに対応して、Ｓ２０２で、第２のノードは第５のメッセージ及び第１のノード情報を一緒に送信する。それによって、ＵＥが第５のメッセージを受信するとき、ＵＥは第１のノード情報を同時に取得する。
【０４１２】
本発明のこの実施形態では、第２のノードが第１のノード情報をユーザ機器へ送信する。したがって、本発明のこの実施形態では、ＵＥは、第１のノード情報を使用することにより、第１のノードへのアクセスに関連した情報を取得することができる。したがって、第２のノードがＵＥへ、ＵＥをページングしてネットワークにアクセスするために使用される第５のメッセージを送信し、ＵＥがその第５のメッセージを受信し、ＵＥがネットワークにアクセスする必要があることを知ると、ＵＥは第２のノードにアクセスすることを選択できるだけでなく、第１のノードにアクセスすることを選択することもできる。第１のノード情報は、第５のメッセージに含まれても第５のメッセージに含まれなくてもよい。これは、本発明において限定されない。第１のノード情報は、第１のノードのセル識別子、第１のノードの識別子、第１のノード又は第１のノードセルのアクセス構成などであり得る。第１のノード情報について、下記で、本発明のこの実施形態に関する例を使用することにより説明するが、本発明のこの実施形態のコンテンツだけには限定されない。
【０４１３】
本発明のこの実施形態では、第５のメッセージはページングメッセージとすることができる。第５のメッセージがページングメッセージであるという例が、下記で、本発明のこの実施形態についての説明のために使用される。当然、第５のメッセージはまた、別のタイプのメッセージ、たとえば、ＲＲＣメッセージ、ＭＡＣメッセージ、又は物理層メッセージなどの様々な実現可能なシグナリングとすることもできる。これは、本発明の本明細書では限定されない。
【０４１４】
ＵＥが第１のノードに、第１のノードによって送信されたページングメッセージ及び第１のノード情報を使用することによりアクセスする実現方式について、本発明のこの実施形態で下記に強調して説明する。
【０４１５】
実現方式１
【０４１６】
第１のノード情報は第１のノードセルの識別子を含み、この第１のノードセルの識別子は第２のメッセージに含まれる。
【０４１７】
任意選択で、本発明のこの実施形態では、第２のメッセージは第５のメッセージとすることができる。すなわち、第２のメッセージはページングメッセージとすることができる。第２のメッセージが、ＵＥをページングしてネットワークにアクセスするために第２のノードで使用されるページングメッセージであるという例が、下記で、本発明のこの実施形態についての説明のために使用される。実施過程が図１０Ｂに示されている。
【０４１８】
Ｓ２０１１．第２のノードが、ページングメッセージを判定すると共に、第１のノードセルの識別子をページングメッセージに含める。ページングメッセージは、ＵＥをページングするために（すなわち、ページング情報をアイドル状態のＵＥへ送信するためにｔｏ  ｔｒａｎｓｍｉｔ  ｐａｇｉｎｇ  ｉｎｆｏｒｍａｔｉｏｎ  ｔｏ  ａ  ＵＥ  ｉｎ  ＲＲＣ＿ＩＤＬＥ）使用される。ページング情報は上位層から提供され、それによってＵＥは、ＲＲＣ接続確立手順を始動することができる。たとえば、ページングメッセージは、ＵＥが呼び出しを受信したことを通知するために使用される（ページング情報は上位層に提供され、上位層は呼応して、たとえば着信を受信するためにＲＲＣ接続確立を開始することができる）。本発明のこの実施形態では、第１のノードセルの識別子は、たとえばＰＣＩ又はＥＣＧＩであり得る。
【０４１９】
ページングメッセージに関して、ページングメッセージは、ＵＥをページングする（たとえば、アイドル状態のＵＥをページングするか、又はアイドル状態のＵＥにページング情報を送信する）ために使用されることができる。ページングメッセージにはまた他の目的、たとえば、システムメッセージが更新されていることを通知するために使用されるページングメッセージ、第１の地震津波警報システムＥＴＷＳ関連通報及び／又は第２のＥＴＷＳ関連通報を通知するために使用されるページングメッセージ、又は商業モバイル警報サービスＣＭＡＳ通報を知らせるために使用されるページングメッセージ、があり得る。
【０４２０】
現在の実現方式１では、本明細書に記載のページングメッセージは、ＵＥをページングするためだけに使用されるか、又はＵＥをページングしてネットワークにアクセスするために使用されるか、又はＵＥをページングしてＲＲＣ接続を確立するために使用される。
【０４２１】
Ｓ２０２１．第２のノードが、第１のノードセルの識別子を含むページングメッセージをＵＥへ送信する。
【０４２２】
ページングメッセージは、ＵＥをページングするために（すなわち、ページング情報をアイドル状態のＵＥへ送信するためにｔｏ  ｔｒａｎｓｍｉｔ  ｐａｇｉｎｇ  ｉｎｆｏｒｍａｔｉｏｎ  ｔｏ  ａ  ＵＥ  ｉｎ  ＲＲＣ＿ＩＤＬＥ）使用される。ページング情報は上位層から提供され、それによってＵＥは、ＲＲＣ接続確立手順を始動することができる。たとえば、ページングメッセージは、ＵＥが呼び出しを受信したことを通知するために使用される（Ｔｈｅ  ｐａｇｉｎｇ  ｉｎｆｏｒｍａｔｉｏｎ  ｉｓ  ｐｒｏｖｉｄｅｄ  ｔｏ  ｕｐｐｅｒ  ｌａｙｅｒｓ，  ｗｈｉｃｈ  ｉｎ  ｒｅｓｐｏｎｓｅ  ｍａｙ  ｉｎｉｔｉａｔｅ  ＲＲＣ  ｃｏｎｎｅｃｔｉｏｎ  ｅｓｔａｂｌｉｓｈｍｅｎｔ，  ｅ．ｇ．  ｔｏ  ｒｅｃｅｉｖｅ  ａｎ  ｉｎｃｏｍｉｎｇ  ｃａｌｌ．）。
【０４２３】
したがって、本発明のこの実施形態では、ページングメッセージは、ＵＥをページングするために使用されるか、又はＵＥをページングしてネットワークにアクセスするために使用されるか、又はＵＥをページングしてＲＲＣ接続を確立するために使用される。それによって、ＵＥがページングメッセージを受信後、ＵＥは第１のノードセルにアクセスする。
【０４２４】
本発明の多くの実施形態では、ページングメッセージが「ＵＥをページングしてネットワークにアクセスする」ために使用される例が用いられていることに留意されたい。具体的には、「ＵＥをページングしてネットワークにアクセスする」とはまた、ＵＥをページングすること、又はＵＥをページングしてＲＲＣ接続を確立すること、又はＵＥに指示してネットワークにアクセスすること、又はＵＥに指示してＲＲＣ接続を確立することでもあり得る。これは、本発明では列挙されない。
【０４２５】
具体的には、たとえばページングメッセージは、
１）ｓｙｓｔｅｍＩｎｆｏＭｏｄｉｆｉｃａｔｉｏｎ、又はｓｙｓｔｅｍＩｎｆｏＭｏｄｉｆｉｃａｔｉｏｎ  ＥＮＵＭＥＲＡＴＥＤ  ｛ｔｒｕｅ｝、又はｅａｂ−ＰａｒａｍＭｏｄｉｆｉｃａｔｉｏｎ、又はｅａｂ−ＰａｒａｍＭｏｄｉｆｉｃａｔｉｏｎ  ＥＮＵＭＥＲＡＴＥＤ  ｛ｔｒｕｅ｝
を含むか、かつ／又は
ページングメッセージは、
２）第１のノードセルに関連した情報、たとえば第１のノードセルのセル識別子、又は第１のノードの識別子
を含み得る。
【０４２６】
それによって、ページングメッセージは、第１のノード／第１のノードセル（たとえば、セルＡ）のシステムメッセージが更新されていることをＵＥに通知するために、又は第１のノード／第１のノードセル（たとえば、セルＡ）のシステムメッセージ更新を受信するようにＵＥに指示するために、使用される。
【０４２７】
任意選択で、ページングメッセージは、ＵＥの識別子、たとえばＳ−ＴＭＳＩ又はＭＳＩを含む。
【０４２８】
具体的には、たとえば、ＵＥがどのように第１のノードセルにアクセスするかに関して、たとえば、第２のノードは、第１のノードセルの識別子を含むページングメッセージをＵＥへ送信することができ、それにより、第２のノードによって送信されたページングメッセージを受信後、ＵＥは、そのページングメッセージに含まれる第１のノードセルの識別子に応じて、第１のノードセルのシステムメッセージを、第１のノードセルの識別子に対応する第１のノードセル内でリッスンし、また第１のノードのアクセス構成を第１のノードセルの受信されたシステムメッセージに応じて取得し、次いで第１のノードにアクセスすることができる。当然、ＵＥが、ページングメッセージを受信後にどのように第１のノードセルにアクセスするかに関して、別の方式があり得る。これは、本発明において限定されない。たとえば、ＵＥが第１のノードセルのアクセス構成を取得した可能性もまたあり（具体的には、ＵＥはアクセス構成を第２のノードから取得することができるか、又はアクセス構成を別のノードから取得することができる。これは本発明においては限定されない。）、それによってＵＥは、アクセス構成に応じて第１のノードにアクセスする。
【０４２９】
実現方式２
【０４３０】
第１のノード情報は第１のノードのアクセス構成を含み、この第１のノードのアクセス構成は、第２のノードによりＵＥへ送信される第２のメッセージに含まれる。
【０４３１】
任意選択で、本発明のこの実施形態では、第２のメッセージは第５のメッセージとすることができる。すなわち、第２のメッセージは、ページングメッセージであってもページングメッセージでなくてもよい。第２のメッセージがページングメッセージではない例が、下記で、本発明のこの実施形態についての説明のために用いられる。実施過程が図１０Ｃに示されている。
【０４３２】
Ｓ２０１２．第２のノードが、ページングメッセージ及び第２のメッセージを判定すると共に、第１のノードのアクセス構成を第２のメッセージに含める。
【０４３３】
本発明のこの実施形態では、第２のノードによって判定されたページングメッセージは、ＵＥをページングしてネットワークにアクセスするために専ら使用され、第１のノードについての情報がＵＥに、第２のメッセージを使用することにより提供される。この第１のノードについての情報は、第１のノードのアクセス構成である。
【０４３４】
本発明のこの実施形態では、第２のメッセージは、無線リソース制御（Ｒａｄｉｏ  Ｒｅｓｏｕｒｃｅ  Ｃｏｎｔｒｏｌ，ＲＲＣ）接続再構成メッセージ、又は第２のノードセルのシステムメッセージであり得る。
【０４３５】
Ｓ２０２２．第２のノードが、ページングメッセージと、第１のノードのアクセス構成を含む第２のメッセージとをＵＥへ送信する。
【０４３６】
本発明のこの実施形態では、第２のノードは、ページングメッセージをＵＥへ送信し、それによりページングメッセージを受信後、ＵＥは、ネットワークにアクセスするためにＵＥがページングされていることを判定し、したがって、ＵＥは、第２のメッセージに含まれる第１のノードのアクセス構成に応じて第１のノードにアクセスすることができる。
【０４３７】
具体的には、本発明のこの実施形態では、第２のノードがページングメッセージ及び第２のメッセージを判定する過程で、第２のノードがページングメッセージを判定し、そして第２のメッセージを判定する時間順は限定されない。ページングメッセージ及び第２のメッセージは、同時に判定されてもよいし、又は続けて判定されてもよい。たとえば、ページングメッセージが最初に判定されてよく、次いで第２のメッセージが判定されるか、或いは第２のメッセージが最初に判定されてよく、次いでページングメッセージが判定される。
【０４３８】
同様に、本発明のこの実施形態では、第２のノードがページングメッセージと第２のメッセージを同時にＵＥへ送信することができるか、又はページングメッセージと第２のメッセージを続けてＵＥへ送信することができる。たとえば、ページングメッセージが最初に送信されてよく、次いで第２のメッセージが送信されるか、或いは第２のメッセージが最初に送信されてよく、次いでページングメッセージが送信される。ページングメッセージ及び第２のメッセージが送信される順序は、本発明の本明細書では限定されない。
【０４３９】
具体的には、たとえば、第２のノードは、最初に第２のメッセージを判定し、その第２のメッセージをＵＥへ送信する。ＵＥは、取得された第２のメッセージに含まれる第１のノードのアクセス構成に応じて第１のノードにアクセスする。ネットワークがその後、ＵＥをページングしてネットワークにアクセスする必要がある場合、第２のノードは、ページングメッセージをＵＥへ送信し、そのページングメッセージを受信後、ＵＥは、ＵＥがネットワークにアクセスする必要があることを知る。ＵＥは、以前に取得された第２のメッセージに含まれる第１のノードのアクセス構成に応じて第１のノードにアクセスすることによって、通信のためにネットワークにアクセスする。
【０４４０】
本発明のこの実施形態において、第２のメッセージがページングメッセージである実施過程では、第２のノードは、ページングメッセージを判定する必要しかなく、第２のメッセージを別個に判定及び送信することを必要とせずに、第１のノードのアクセス構成をページングメッセージに含めることに留意されたい。具体的な実施過程の詳細については、本明細書では再度説明しない。
【０４４１】
実現方式３
【０４４２】
第１のノード情報は、第１のノードセルの識別子及び／又は第１のノードの識別子、並びに第１のノードのアクセス構成を含む。第２のノードにより送信されるページングメッセージは、第１のノードセルの識別子及び／又は第１のノードの識別子を含み、この第１のノードのアクセス構成は、第２のノードによりＵＥへ送信される第２のメッセージに含まれる。
【０４４３】
任意選択で、本発明のこの実施形態では、第２のメッセージは第５のメッセージとすることができる。すなわち、第２のメッセージは、ページングメッセージであってもページングメッセージでなくてもよい。第２のメッセージがページングメッセージではない例が、下記で、本発明のこの実施形態についての説明のために用いられる。実施過程が図１０Ｄに示されている。
【０４４４】
Ｓ２０１３．第２のノードが、ページングメッセージ及び第２のメッセージを判定し、第１のノードセルの識別子をページングメッセージに含め、また第１のノードのアクセス構成を第２のメッセージに含める。
【０４４５】
本発明のこの実施形態では、第２のノードによって判定されたページングメッセージは、ＵＥをページングしてネットワークにアクセスするために使用される。本発明のこの実施形態では、第２のノードはさらに、第１のノードのアクセス構成をＵＥに、第２のメッセージを使用することにより提供する。
【０４４６】
Ｓ２０２３．第２のノードが、第１のノードセルの識別子を含むページングメッセージと、第１のノードのアクセス構成を含む第２のメッセージとをＵＥへ送信する。
【０４４７】
具体的には、本発明のこの実施形態では、第２のノードがページングメッセージ及び第２のメッセージを判定する過程で、第２のノードがページングメッセージを判定し、そして第２のメッセージを判定する時間順は限定されない。２つのメッセージは、同時に判定されてもよいし、又は続けて判定されてもよい（たとえば、ページングメッセージが最初に判定されてもよいし、又は第２のメッセージが最初に判定されてもよい）。
【０４４８】
同様に、ページングメッセージと第２のメッセージは、同時に送信されることができるか、又は続けて送信されることができる（たとえば、ページングメッセージが最初に送信されるか、又はたとえば、第２のメッセージが最初に送信される）。２つのメッセージが送信される時間順は、本発明の本明細書では限定されない。
【０４４９】
具体的には、たとえば、第２のノードは、最初に第２のメッセージを判定し、その第２のメッセージをＵＥへ送信する。ＵＥは、取得された第２のメッセージに含まれる第１のノードのアクセス構成に応じて第１のノードにアクセスする。ネットワークがその後、ＵＥをページングしてネットワークにアクセスする必要がある場合、第２のノードは、ページングメッセージをＵＥへ送信し、そのページングメッセージを受信後、ＵＥは、ＵＥがネットワークにアクセスする必要があることを知る。ＵＥは、以前に取得された第２のメッセージに含まれる第１のノードのアクセス構成に応じて第１のノードにアクセスすることによって、通信のためにネットワークにアクセスする。
【０４５０】
本発明のこの実施形態において、第２のメッセージがページングメッセージである実施過程では、第２のノードは、ページングメッセージを判定する必要しかなく、第２のメッセージを別個に判定及び送信することを必要とせずに、第１のノードのアクセス構成をページングメッセージに含めることに留意されたい。具体的な実施過程の詳細については、本明細書では再度説明しない。
【０４５１】
本発明のこの実施形態では、第２のノードは、第１のノードセルの識別子を含むページングメッセージをＵＥへ送信し、それによりページングメッセージを受信後、ＵＥは、ネットワークにアクセスするためにＵＥがページングされていることを判定し、また、ページングメッセージに含まれる第１のノードセルの識別子に応じて、ＵＥがアクセスする必要のあるノードが第１のノードセルの識別子に対応する第１のノードであることを判定し、また第２のメッセージに含まれる第１のノードのアクセス構成に応じて第１のノードにアクセスすることができる。
【０４５２】
本発明のこの実施形態において提供されるメッセージ処理方法によって、第２のノードに存在するＵＥは、第１のノードのアクセス構成を取得し、第１のノードにアクセスすることができる。したがって、本発明のこの実施形態によって、ＵＥが第１のノードによって送信されたページングメッセージを受信する必要なしに、又は第１のノードがページングメッセージを送信する必要なしに、ＵＥは、第２のノードに存在すること、及び第２のノードによりページングされることが可能になる。また第１のノードは、ページングをする必要がなく、それによってエアインタフェースリソースを節減する。
【０４５３】
上記の実施形態において提供されるメッセージ処理方法に基づいて、メッセージ処理方法が、下記で、本発明の実施形態におけるＵＥを実行本体として使用して説明される。
【０４５４】
図１１Ａは、本発明の一実施形態において提供されるＵＥ側のメッセージ処理方法の流れ図である。図１１Ａに示されるように、この方法は下記のステップを含む。
【０４５５】
Ｓ３０１．ＵＥが、第２のノードによって送信された第１のメッセージを受信する。この第１のメッセージは、第１のノードセルのシステムメッセージを受信するようにＵＥに指示するために使用されるか、又は第１のノードセルの更新されたシステムメッセージを受信するようにＵＥに指示するために使用される。
【０４５６】
本発明のこの実施形態では、第１のノードはマイクロ基地局とすること、第１のノードセルはマイクロセルとすること、また第２のノードはマクロ基地局とすることができる。当然、第１のノード又は第２のノードのデバイスタイプは、本発明のこの実施形態では限定されない。
【０４５７】
Ｓ３０２．ＵＥは、第１のメッセージに応じて、第１のノードセルのシステムメッセージを受信するか、又は第１のノードセルの更新されたシステムメッセージを受信する。
【０４５８】
本発明のこの実施形態では、第２のノードによって送信された第１のメッセージが、第１のノードセルのシステムメッセージを受信するようにＵＥに指示するために使用されるインジケーションメッセージである場合、ＵＥは、その第１のノードセルのシステムメッセージを第１のメッセージに応じて受信することができる。第２のノードによって送信された第１のメッセージが、第１のノードセルの更新されたシステムメッセージを受信するようにＵＥに指示するために使用されるインジケーションメッセージである場合、ＵＥは、その第１のノードセルの更新されたシステムメッセージを第１のメッセージに応じて受信することができる。
【０４５９】
本発明のこの実施形態において提供されるメッセージ処理方法によって、ＵＥは第２のノードに存在することができ、ページングメッセージを第２のノードで受信し、良好な信号品質を有する第１のノードに対してシステムメッセージリスニング及びセル測定を行い、ネットワークにアクセスする必要があるときには、第１のノードがページングをＵＥに対し行う必要なしに、良好な信号品質を有する第１のノードに最初にアクセスし、それによってエアインタフェースリソースを節減する。
【０４６０】
本発明のこの実施形態では、第２のノードによって送信された第１のメッセージのタイプに対応して、第１のノードセルのシステムメッセージ、及び第１のノードセルの更新されたシステムメッセージを受信する異なる実現方式があり得るので、本発明のこの実施形態では、これらの実現方式が下記で１つずつ説明される。
【０４６１】
実現方式１（１Ａ）
【０４６２】
ＵＥによって受信される第１のメッセージは構成メッセージであり、この構成メッセージは、第１のノードセルのページング構成パラメータを含む。
【０４６３】
第１のメッセージに応じて、第１のノードセルのシステムメッセージを受信するか、又は第１のノードセルの更新されたシステムメッセージを受信する前に、ＵＥは、第１のノードセルのページング構成パラメータに応じてページング時間を判定し、ページングメッセージを第１のノードセル内でページング時間内に受信する。このページングメッセージは、第１のノードのシステムメッセージが更新されていることをＵＥに通知するために使用されるか、又は第１のノードセルのシステムメッセージを受信するようにＵＥに指示するために使用される。実施過程が図１１Ｂに示されている。
【０４６４】
Ｓ３０１１．ＵＥが、第２のノードによって送信された構成メッセージを受信し、この構成メッセージは、第１のノードセルのページング構成パラメータを含む。
【０４６５】
Ｓ３０２ａ．ＵＥが、構成メッセージに含まれる第１のノードセルのページング構成パラメータに応じてページング時間を判定する。ページング構成パラメータがページング時間を判定するために使用されるということは、下記のあり得ること、すなわち、ページング構成パラメータがＵＥによって、ページングメッセージを受信するためのページング時間を判定するのに使用される、ＵＥにより、第１のノードによって送信されたページングメッセージを受信するためのページング時間を判定するのに使用される、ページングメッセージを受信するための時間を判定するのに使用される、ページングメッセージを送信するための時間を判定するのに使用される、又はノードによりページングメッセージを送信するための時間を判定するのに使用される、のうちの１つであり得る。
【０４６６】
Ｓ３０２ｂ．ＵＥが、ページングメッセージを第１のノードセル内で、判定されたページング時間内に受信する。このページングメッセージは、第１のノードのシステムメッセージが更新されていることをＵＥに通知するために使用されるか、又は第１のノードセルのシステムメッセージを受信するようＵＥに指示するために使用される。
【０４６７】
Ｓ３０２．ページングメッセージを受信後、ＵＥは、第１のノードセルのシステムメッセージを受信するか、又は第１のノードセルの更新されたシステムメッセージを受信する。
【０４６８】
実現方式１（１Ｂ）
【０４６９】
実現方式１（１Ｂ）の実施過程が図１１Ｃに示されている。
【０４７０】
Ｓ３０１１．ＵＥが、第２のノードによって送信された第４のメッセージを受信する。この第４のメッセージは、ページング構成パラメータを含み、このページング構成パラメータは、ページング時間を判定するために使用される。ページング構成パラメータがページング時間を判定するために使用されるということは、下記のあり得ること、すなわち、ページング構成パラメータがＵＥによって、ページングメッセージを受信するためのページング時間を判定するのに使用される、ページングメッセージを受信するための時間を判定するのに使用される、ページングメッセージを送信するための時間を判定するのに使用される、又はノードによりページングメッセージを送信するための時間を判定するのに使用される、のうちの１つであり得る。具体的には、ページング時間は下記のパラメータ、すなわち、ページング周期（Ｐａｇｉｎｇ  Ｃｙｃｌｅ，たとえばｄｅｆａｕｌｔ  Ｐａｇｉｎｇ  Ｃｙｃｌｅ）、ページングフレーム（Ｐａｇｉｎｇ  Ｆｒａｍｅ）、又はページングオケージョン（ｐａｇｉｎｇ  ｏｃｃａｓｉｏｎ）、のうちの少なくとも１つであり得る。
【０４７１】
Ｓ３０２ａ．ＵＥが、第４のメッセージに含まれるページング構成パラメータに応じてページング時間を判定する。たとえば、ページング時間を判定することは、ＵＥが、ページングメッセージが受信される時間を判定することであり得る。
【０４７２】
Ｓ３０２ｂ．ＵＥが、ページングメッセージを第２のノードセル内で、判定されたページング時間内に受信する。このページングメッセージは、第１のノードのシステムメッセージが更新されていることをＵＥに通知するために使用されるか、又は第１のノードセルのシステムメッセージを受信するようにＵＥに指示するために使用される。
【０４７３】
Ｓ３０２ｃ．ページングメッセージを受信後、ＵＥは、第１のノードセルのシステムメッセージを受信するか、又は第１のノードセルの更新されたシステムメッセージを受信する。
【０４７４】
実現方式１（１Ｂ）では、ＵＥによって受信される第１のメッセージがページングメッセージであり、このページングメッセージはページング構成パラメータを含む。第１のメッセージに応じて、第１のノードセルのシステムメッセージを受信するか、又は第１のノードセルの更新されたシステムメッセージを受信する前に、ＵＥは、ページング構成パラメータに応じてページング時間を判定し、ページングメッセージを第２のノードセル内でページング時間内に受信する。このページングメッセージは、第１のノードのシステムメッセージが更新されていることをＵＥに通知するために使用されるか、又は第１のノードセルのシステムメッセージを受信するようにＵＥに指示するために使用される。
【０４７５】
要約すると、実現方式１（１Ｂ）と実現方式１（１Ａ）の間の相違は、ＵＥがページング時間をページング構成パラメータに応じて判定し、ページング時間内に、ページングメッセージを第１のノードセル内で受信するのではなく、ページングメッセージを第２のノードセル内で受信することにある。
【０４７６】
実現方式２
【０４７７】
ＵＥによって受信される第１のメッセージはページングメッセージであり、このページングメッセージは、第１のノードセルの識別子を含む。実施過程が図１１Ｄに示されており、下記のステップを含む。
【０４７８】
Ｓ３０１２．ＵＥが、第１のノードセルの識別子を含むと共に第２のノードセルによって送信されたページングメッセージを受信する。
【０４７９】
Ｓ３０２２．ＵＥが、第１のノードセルの識別子に対応する第１のノードセル内で、第１のノードセルのシステムメッセージ又は第１のノードセルの更新されたシステムメッセージを、第１のノードセルの識別子に応じて受信する。
【０４８０】
本発明のこの実施形態では、第２のノードによって送信されたページングメッセージを受信後、ＵＥは、第２のノードによって送信されたシステムメッセージに含まれる第１のノードセルの識別子により、第１のノードセルのシステムメッセージが更新されていることを知ることができ、その場合ＵＥは、第１のノードセルの更新されたシステムメッセージを、第１のノードセルの識別子に対応する第１のノードセル内で受信することができ、或いはＵＥは、ＵＥが第１のノードセルのシステムメッセージを受信する必要があることを知り、次いでＵＥは、第１のノードセルのシステムメッセージを、第１のノードセルの識別子に対応する第１のノードセル内で受信することができる。
【０４８１】
実現方式３
【０４８２】
ＵＥによって受信される第１のメッセージはシステムメッセージであり、このシステムメッセージは、第１のノードセルのシステムメッセージが更新されていることをＵＥに通知するために使用されるか、又は第１のノードセルのシステムメッセージを受信するようにＵＥに指示するために使用される。実施過程が図１１Ｅに示されており、下記のステップを含む。
【０４８３】
Ｓ１０１３．ＵＥが、第２のノードセルによって送信されたシステムメッセージを受信する。このシステムメッセージは、第１のノードセルのシステムメッセージが更新されていることをＵＥに通知するために使用されるか、又は第１のノードセルのシステムメッセージを受信するようにＵＥに指示するために使用される。
【０４８４】
Ｓ３０２３．ＵＥが、第１のノードセルのシステムメッセージ又は第１のノードセルの更新されたシステムメッセージを第１のノードセル内で、第２のノードによって送信されたシステムメッセージに応じて受信する。
【０４８５】
実現方式４
【０４８６】
ＵＥによって受信される第１のメッセージはシステムメッセージであり、このシステムメッセージは、第１のノードセルのシステムメッセージが更新されていること、及び第２のノードセルのシステムメッセージが更新されていることを通知するために使用されるか、又は第１のノードセルのシステムメッセージ、及び第２のノードセルのシステムメッセージを受信するようにＵＥに指示するために使用される。実施過程が図１１Ｆ及び図１１Ｇに示されており、下記のステップを含む。
【０４８７】
Ｓ３０１４ａ．ＵＥが、第２のノードによって送信されたシステムメッセージを受信する。このシステムメッセージは、第１のノードセルのシステムメッセージが更新されていること、及び第２のノードセルのシステムメッセージが更新されていることを通知するために使用される。
【０４８８】
Ｓ３０２４ａ．ＵＥが、第１のノードセルで、第１のノードセルの更新されたシステムメッセージを、第２のノードによって送信されたシステムメッセージに応じて受信すると共に、第２のノードセルで、第２のノードセルの更新されたシステムメッセージを、第２のノードによって送信されたシステムメッセージに応じて受信する。
【０４８９】
Ｓ３０１４ｂ．ＵＥが、第２のノードによって送信されたシステムメッセージを受信する。このシステムメッセージは、第１のノードセルのシステムメッセージ及び第２のノードセルのシステムメッセージを受信するようにＵＥに指示するために使用される。
【０４９０】
Ｓ３０２４ｂ．ＵＥが、第１のノードセルで、第１のノードセルのシステムメッセージを、第２のノードによって送信されたシステムメッセージに応じて受信すると共に、第２のノードセルで、第２のノードセルのシステムメッセージを、第２のノードによって送信されたシステムメッセージに応じて受信する。
【０４９１】
本発明のこの実施形態では、第２のノードによって送信されたシステムメッセージを受信後、ＵＥは、システムメッセージ又は更新されたシステムメッセージを第１のノードセル及び第２のノードセル内で受信することができ、その場合、第１のノードセルのシステムメッセージを第１のノードセル内で受信するか、又は第１のノードセルの更新されたシステムメッセージを第１のノードセル内で受信することができる。
【０４９２】
本発明における実現方式３及び実現方式４では、ＵＥによって受信された第１のメッセージはシステムメッセージであり、このシステムメッセージは、第１のノードセルの識別子を含む。この第１のノードセルの識別子は、第１のノードセルのシステムメッセージが更新されていることを示すために、又は第１のノードセルのシステムメッセージを受信するようにＵＥに指示するために、使用される。第１のノードセルのシステムメッセージ又は第１のノードセルの更新されたシステムメッセージをＵＥによって受信する実施過程が、図１１Ｈに示されており、下記のステップを含む。
【０４９３】
Ｓ３０１５．ＵＥが、第１のノードセルの識別子を含むと共に第２のノードセルによって送信されたシステムメッセージを受信する。
【０４９４】
Ｓ３０２５．ＵＥが、第１のノードセルの識別子に対応する第１のノードセル内で、第１のノードセルのシステムメッセージ又は第１のノードセルの更新されたシステムメッセージを、第１のノードセルの識別子に応じて受信する。
【０４９５】
本発明のこの実施形態では、第２のノードによって送信されたシステムメッセージを受信後、ＵＥは、第１のノードセルの更新されたシステムメッセージを、第１のノードセルの識別子に対応する第１のノードセル内で受信するか、第１のノードセルのシステムメッセージを、第１のノードセルの識別子に対応する第１のノードセル内で受信することができる。
【０４９６】
実現方式５
【０４９７】
ＵＥによって受信される第１のメッセージは第２のノードのシステムメッセージであり、この第２のノードのシステムメッセージは、第１のノードセルのシステムメッセージコンテンツ、又は第１のノードセルの更新されたシステムメッセージを含む。実施過程が図１１Ｉ及び図１１Ｊに示されており、下記のステップを含む。
【０４９８】
Ｓ３０１６ａ．ＵＥが、第２のノードによって送信された第２のノードのシステムメッセージを受信し、この第２のノードのシステムメッセージは、第１のノードセルのシステムメッセージコンテンツを含む。
【０４９９】
Ｓ３０２６ａ．ＵＥが、第１のノードセルのシステムメッセージを、第２のノードセルのシステムメッセージに含まれる第１のノードセルのシステムメッセージコンテンツに応じて取得する。
【０５００】
Ｓ３０１６ｂ．ＵＥが、第２のノードによって送信された第２のノードのシステムメッセージを受信し、この第２のノードのシステムメッセージは、第１のノードセルの更新されたシステムメッセージを含む。
【０５０１】
Ｓ３０２６ｂ．ＵＥが、第１のノードセルの更新されたシステムメッセージを、第２のノードセルのシステムメッセージに含まれる第１のノードセルの更新されたシステムメッセージコンテンツに応じて取得する。
【０５０２】
本発明のこの実施形態では、第１のノードはマイクロ基地局とすること、第１のノードセルはマイクロセルとすること、第２のノードはマクロ基地局とすること、また第２のノードセルはマクロセルとすることができることに留意されたい。
【０５０３】
本発明のこの実施形態においてＵＥ側により実行される図１１Ａから図１１Ｊに示された方法過程は、図９Ａから図９Ｉに示された方法過程に適用可能であることにさらに留意されたい。したがって、本発明のこの実施形態においてＵＥ側により実行されるメッセージ処理方法の過程において説明されていない詳細については、図９Ａから図９Ｉ、及び図９Ａから図９Ｉの関連する方法実施形態についての説明を参照されたい。これらの詳細について本明細書では再度説明しない。
【０５０４】
図１２Ａは、本発明の一実施形態において提供される、ＵＥ側の別のメッセージ処理方法の流れ図である。図１２Ａに示されるように、この方法は下記のステップを含む。
【０５０５】
Ｓ４０１．ＵＥが、第２のノードによって送信された第５のメッセージと、第１のノード情報とを受信する。この第５のメッセージは、具体的にはページングメッセージであり得る。本明細書の後に続く内容における多くの実施形態では、第５のメッセージがページングメッセージであるという例が、本発明のコンテンツを説明するために使用される。当然、第５のメッセージはまた別のタイプのメッセージとすること、たとえば、ＲＲＣメッセージ、ＭＡＣメッセージ、又は物理層メッセージなどの様々な実現可能なシグナリングとすることもできる。これは、本発明の本明細書では限定されない。
【０５０６】
本発明のこの実施形態では、第２のノードによって送信されたページングメッセージは、ＵＥをページングしてネットワークにアクセスするために使用され、第１のノード情報は、第１のノードについての情報をＵＥに提供するために使用される。
【０５０７】
本発明のこの実施形態では、ＵＥは、ページングメッセージ及び第１のノード情報を不必要に同時に受信するが、ページングメッセージ及び第１のノード情報を続けて受信することができる、ということに留意されたい。たとえば、ページングメッセージが最初に受信されてよく、次いで第１のノード情報が受信されるか、或いは第１のノード情報が最初に受信されてよく、次いでページングメッセージが受信される。これは、本発明のこの実施形態では具体的に限定されない。
【０５０８】
本発明のこの実施形態では、第１のノード情報は、第１のノードセルの識別子、第１のノードの識別子、第１のノードセルのアクセス構成、第１のノードのＲＲＣ構成、第１のノードのパケットデータコンバージェンスプロトコル（Ｐａｃｋｅｔ  Ｄａｔａ  Ｃｏｎｖｅｒｇｅｎｃｅ  Ｐｒｏｔｏｃｏｌ，ＰＤＣＰ）、第１のノードの無線リンク制御層プロトコル（Ｒａｄｉｏ  Ｌｉｎｋ  Ｃｏｎｔｒｏｌ，ＲＬＣ）構成、第１のノードのメディアアクセス制御（Ｍｅｄｉａ  Ａｃｃｅｓｓ  Ｃｏｎｔｒｏｌ，ＭＡＣ）構成、又は第１のノードの物理層構成、のうちの少なくとも１つとすることができる。第１のノード情報について、下記で、本発明のこの実施形態に関する例を使用することにより説明するが、本発明のこの実施形態のコンテンツだけには限定されない。
【０５０９】
Ｓ４０２．ＵＥが、受信されたページングメッセージ及び第１のノード情報に応じて第１のノードにアクセスする。
【０５１０】
本発明のこの実施形態では、ＵＥは、第２のノードによって送信されたページングメッセージに応じて、ＵＥがページングされてネットワークにアクセスすることを判定し、第１のノード情報に応じて、第１のノードへのアクセスに関連した情報を取得することができ、したがって、第１のノードセルへのランダムアクセスを開始し、第１のノードにアクセスすることができる。第１のノードセルが活性化されないというシナリオでは、ＵＥが第１のノードセルへのランダムアクセスを開始して第１のノードセルを活性化し、それによって第１のノードにアクセスする。
【０５１１】
本発明のこの実施形態では、第１のノードにアクセス後、ＵＥは、たとえばＲＲＣ接続を確立でき、次いでネットワークと通信することができる。
【０５１２】
本発明のこの実施形態では、第２のノードで判定された第１のノード情報についての情報に対応して、第１のノードにアクセスする異なる実現方式があり得るので、本発明のこの実施形態では、これらの実現方式が下記で１つずつ説明される。
【０５１３】
実現方式１
【０５１４】
ユーザ機器は、第２のノードによって送信されたページングメッセージを受信する。このページングメッセージは、第１のノードの識別子及び／又は第１のノードセルの識別子を含み、或いは第１のノード情報が第１のノードセルの識別子を含み、この第１のノードセルの識別子は第２のメッセージに含まれる。
【０５１５】
任意選択で、本発明のこの実施形態では、第２のメッセージは第５のメッセージとすることができる。すなわち、第２のメッセージはページングメッセージとすることができる。第２のメッセージが、ＵＥをページングしてネットワークにアクセスするために第２のノードで使用されるページングメッセージであるという例が、下記で、本発明のこの実施形態についての説明のために使用される。実施過程が図１２Ｂに示されており、下記のステップを含む。
【０５１６】
Ｓ４０１１．ＵＥが、第１のノードセルの識別子を含むと共に第２のノードセルによって送信されたページングメッセージを受信する。ページングメッセージは、ＵＥをページングするために使用される。
【０５１７】
Ｓ４０２１ａ．ＵＥが、ページングメッセージに含まれる第１のノードセルの識別子又は第１のノードの識別子に応じて、第１のノードセルのシステムメッセージを、その識別子に対応する第１のノードセル内でリッスンする。
【０５１８】
たとえば、ＵＥは、ページングメッセージに含まれる第１のノードセルの識別子に応じて、第１のノードセルのシステムメッセージを、第１のノードセルの識別子に対応する第１のノードセル内でリッスンする。
【０５１９】
Ｓ４０２１ｂ．ＵＥが、第１のノードのアクセス構成を、第１のノードセルの受信されたシステムメッセージに応じて取得する。
【０５２０】
Ｓ４０２１ｃ．ＵＥが、第１のノードの取得されたアクセス構成に応じて第１のノードにアクセスする。
【０５２１】
当然、第１のノードセルの識別子又は第１のノードの識別子を含み、かつ第２のノードによって送信されたページングメッセージを受信後に、ＵＥがどのように第１のノードセルにアクセスするかに関して、別の方式があり得る。これは、本発明において限定されない。たとえば、ＵＥが第１のノードセルのアクセス構成を取得した可能性もまたあり（具体的には、ＵＥはアクセス構成を第２のノードから取得することができるか、又はアクセス構成を別のノードから取得することができる。これは本発明においては限定されない。）、それによってＵＥは、アクセス構成に応じて第１のノードにアクセスする。
【０５２２】
実現方式２
【０５２３】
ＵＥによって受信される第１のノード情報は第１のノードのアクセス構成を含み、この第１のノードのアクセス構成は第２のメッセージに含まれる。
【０５２４】
本発明のこの実施形態では、第２のメッセージは、第２のノード、第１のノード又は第３のノードによりＵＥへ送信される第２のメッセージとすることができる。本発明のこの実施形態では、第３のノードとは、第１のノード及び第２のノードとは異なるノードである（第３のノードのデバイスタイプは第１のノード又は第２のノードの定義と類似しており、本明細書では繰り返して言わない）。
【０５２５】
任意選択で、本発明のこの実施形態では、第２のメッセージは第５のメッセージとすることができる。すなわち、第２のメッセージは、ページングメッセージであってもページングメッセージでなくてもよい。第２のメッセージがページングメッセージではないという例が、下記で、本発明のこの実施形態についての説明のために使用される。実施過程が図１２Ｃに示されており、下記のステップを含む。
【０５２６】
Ｓ４０１２．ＵＥが、第２のノードによって送信されたページングメッセージと、第１のノードのアクセス構成を含み、かつ第２のノード、第１のノード又は第３のノードによって送信された第２のメッセージとを受信する。
【０５２７】
第２のノードによって送信されたページングメッセージは、ＵＥをページングするために（すなわち、ページング情報をアイドル状態のＵＥへ送信するためにｔｏ  ｔｒａｎｓｍｉｔ  ｐａｇｉｎｇ  ｉｎｆｏｒｍａｔｉｏｎ  ｔｏ  ａ  ＵＥ  ｉｎ  ＲＲＣ＿ＩＤＬＥ）使用される。具体的には、ページング情報は上位層から提供されることができ、それによってＵＥは、ＲＲＣ接続確立手順を始動することができる。たとえば、ページングメッセージは、ＵＥが呼び出しを受信したことを通知するために使用される（Ｔｈｅ  ｐａｇｉｎｇ  ｉｎｆｏｒｍａｔｉｏｎ  ｉｓ  ｐｒｏｖｉｄｅｄ  ｔｏ  ｕｐｐｅｒ  ｌａｙｅｒｓ，  ｗｈｉｃｈ  ｉｎ  ｒｅｓｐｏｎｓｅ  ｍａｙ  ｉｎｉｔｉａｔｅ  ＲＲＣ  ｃｏｎｎｅｃｔｉｏｎ  ｅｓｔａｂｌｉｓｈｍｅｎｔ，  ｅ．ｇ．  ｔｏ  ｒｅｃｅｉｖｅ  ａｎ  ｉｎｃｏｍｉｎｇ  ｃａｌｌ．）。本発明のこの実施形態では、第１のノードセルの識別子は、たとえばＰＣＩ又はＥＣＧＩであり得る。
【０５２８】
Ｓ４０２２ａ．ＵＥが、ＵＥがページングされていることを、第２のノードによって送信されたページングメッセージに応じて判定する。
【０５２９】
Ｓ４０２２ｂ．ＵＥが、第２のメッセージに含まれる第１のノードのアクセス構成に応じて第１のノードにアクセスする。
【０５３０】
本発明のこの実施形態では、ＵＥによって受信されるページングメッセージ及び第２のメッセージは、同時に受信されてもよいし、又は続けて受信されてもよいことに留意されたい。たとえば、ページングメッセージが最初に受信されてよく、次いで第２のメッセージが受信されるか、或いは第２のメッセージが最初に受信されてよく、次いでページングメッセージが受信される。ページングメッセージ及び第２のメッセージが受信される時間順は、本発明の本明細書では限定されない。
【０５３１】
具体的には、たとえばＵＥは、第２のメッセージを最初に受信することができ、第２のメッセージに含まれる第１のノードのアクセス構成を取得する。ページングメッセージを引き続き受信後、ＵＥは、ＵＥがネットワークにアクセスする必要のあることを判定する。ＵＥは、取得された第２のメッセージに含まれる第１のノードのアクセス構成に応じて第１のノードにアクセスすることによって、通信のためにネットワークにアクセスする。
【０５３２】
本発明のこの実施形態では、第２のメッセージが第２のノードによって送信される場合、第２のメッセージは第５のメッセージとすることができる。すなわち、第２のメッセージはページングメッセージとすることができる。
【０５３３】
本発明のこの実施形態において、第２のメッセージがページングメッセージである実施過程では、第２のノードはページングメッセージを判定する必要しかなく、第２のメッセージを別個に判定及び送信することを必要とせずに、第１のノードのアクセス構成をページングメッセージに含めることに留意されたい。具体的な実施過程の詳細については、本明細書では再度説明しない。
【０５３４】
実現方式３
【０５３５】
ＵＥによって受信される第１のノード情報は、第１のノードセルの識別子及び／又は第１のノードの識別子を含む第１のノード情報、並びに第１のノードのアクセス構成を含む。第１のノードセルの識別子及び／又は第１のノードの識別子は、第２のノードによって送信されたページングメッセージに含まれ、第１のノードのアクセス構成は第２のメッセージに含まれる。
【０５３６】
任意選択で、本発明のこの実施形態では、第２のメッセージは第５のメッセージとすることができる。すなわち、第２のメッセージは、ページングメッセージであってもページングメッセージでなくてもよい。第２のメッセージがページングメッセージではないという例が、下記で、本発明のこの実施形態についての説明のために使用される。実施過程が図１２Ｄに示されている。
【０５３７】
Ｓ４０１３．ＵＥが、第１のノードセルの識別子又は第１のノードの識別子を含むページングメッセージと、第１のノードのアクセス構成を含む第２のメッセージとを受信する。
【０５３８】
本発明のこの実施形態では、ＵＥによって受信されるページングメッセージ及び第２のメッセージは、同時に受信されてもよいし、又は続けて受信されてもよいことに留意されたい。たとえば、ページングメッセージが最初に受信されてよく、次いで第２のメッセージが受信されるか、或いは第２のメッセージが最初に受信されてよく、次いでページングメッセージが受信される。ページングメッセージ及び第２のメッセージが受信される時間順は、本発明の本明細書では限定されない。
【０５３９】
Ｓ４０２３ａ．ＵＥが、ＵＥがアクセスする必要のあるノードが第１のノードセルの識別子に対応する第１のノードであることを、ページングメッセージに含まれる第１のノードセルの識別子に応じて判定する。
【０５４０】
Ｓ４０２３ｂ．ＵＥが、第２のメッセージに含まれる第１のノードのアクセス構成に応じて第１のノードにアクセスする。
【０５４１】
本発明のこの実施形態では、ページングメッセージと第２のメッセージはまた、同じメッセージとすることもでき、このメッセージは、第１のノードセルの識別子又は第１のノードの識別子を含み、かつ第１のノードのアクセス構成を含むことに留意されたい。第２のメッセージとページングメッセージが同じメッセージである実施過程では、第２のノードは、ページングメッセージを判定する必要しかなく、第２のメッセージを別個に判定及び送信することを必要とせずに、第１のノードのアクセス構成をページングメッセージに含める。具体的な実施過程の詳細については、本明細書では再度説明しない。
【０５４２】
実現方式４
【０５４３】
ＵＥによって受信される第１のノード情報は、第２のメッセージに含まれる第１のノードのアクセス構成を含む。実施過程が図１２Ｅに示されている。
【０５４４】
Ｓ４０１４ａ．ＵＥが、第２のノードによって送信されたページングメッセージを受信する。
【０５４５】
Ｓ４０１４ｂ．ＵＥが、第２のノードによって送信されたページングメッセージに応じて第２のノードにアクセスする。又は、
ＵＥは、第２のノードによって送信されたページングメッセージに応じて、ユーザ機器がページングされる、若しくはページングされてネットワークにアクセスする、若しくはページングされてＲＲＣ接続を確立することを判定するか、又はＵＥがネットワークにアクセスする必要のあることを判定するか、又はＵＥがＲＲＣ接続を確立する必要のあることを判定する。
【０５４６】
Ｓ４０１４ｃ．ＵＥが、第２のノードによって送信された第２のメッセージを受信し、この第２のメッセージは、第１のノードのアクセス構成を含む。
【０５４７】
Ｓ４０２４．ＵＥが、第２のメッセージに含まれる第１のノードのアクセス構成に応じて第１のノードにアクセスする。
【０５４８】
本発明のこの実施形態において提供されるメッセージ処理方法によって、第２のノードに存在するＵＥは、第１のノード情報を取得することができ、第２のノードがページングメッセージを送信後、ＵＥは、第１のノードへのアクセスに関連した情報を取得し、第１のノードにアクセスすることができる。したがって、本発明のこの実施形態によって、ＵＥが第１のノードによって送信されたページングメッセージを受信する必要なしに、ＵＥは、第２のノードに存在すること、及び第２のノードによりページングされることが可能になる。また第１のノードは、ページングをする必要がなく、それによってエアインタフェースリソースを節減する。
【０５４９】
本発明のこの実施形態では、第１のノードはマイクロ基地局とすること、第１のノードセルはマイクロセルとすること、第２のノードはマクロ基地局とすること、また第２のノードセルはマクロセルとすることができることに留意されたい。
【０５５０】
本発明のこの実施形態においてＵＥ側により実行される図１２Ａから図１２Ｅに示された方法過程は、図１０Ａから図１０Ｄに示された方法過程に適用可能であることにさらに留意されたい。したがって、本発明のこの実施形態においてＵＥ側により実行されるメッセージ処理方法の過程において説明されていない詳細については、図１０Ａから図１０Ｄ、及び図１０Ａから図１０Ｄの関連する方法実施形態についての説明を参照されたい。これらの詳細について本明細書では再度説明しない。
【０５５１】
下記では、本発明の実施形態において提供されるメッセージ処理方法を、本発明の実施形態において、具体的な適用シナリオと併せて例を用いて説明する。
【０５５２】
本発明の実施形態では、第１のノードがマクロ基地局であり、第２のノードがマイクロ基地局であり、マクロ基地局のセルがマクロセルであり、マイクロ基地局のセルがマイクロセルであり、ＵＥがマクロセルにとどまり、マイクロセルのシステムメッセージを受信するがマイクロセルのページングメッセージを受信しない、という適用シナリオが説明のための例として用いられる。
【０５５３】
下記の複数の実施形態では（図１３Ａから図１３Ｅ、図１４Ａから図１４Ｃと、図１３Ａから図１３Ｅ及び図１４Ａから図１４Ｃの関連する方法実施形態についての説明とを参照）、第１のノードがマイクロ基地局であり、第２のノードがマクロ基地局であるという例が説明のために用いられることに留意されたい。マクロ基地局のセルはマクロセルであり、マイクロ基地局のセルはマイクロセルである。したがって、諸実施形態では、実行本体として、マクロセルはまたマクロ基地局と置き換えることもでき、またマイクロセルはマイクロ基地局と置き換えることができる。当然、第１のノード又は第２のノードのデバイスタイプは、本発明において限定されない。
【０５５４】
本発明の実施形態では、マクロセルが、マイクロセルのシステムメッセージが更新されていることをＵＥに通知するか、又はマイクロセルのシステムメッセージを受信するようにＵＥに指示する必要があることをマクロセルが判定すると、マクロセルはインジケーションメッセージをＵＥへ送信して、マイクロセルのシステムメッセージが更新されていることをＵＥに通知するか、又はマイクロセルのシステムメッセージを受信するようにＵＥに指示する。
【０５５５】
本発明の実施形態では、マクロセルによりＵＥへ送信されるインジケーションメッセージは、ページングメッセージ、構成メッセージ、又はシステムメッセージとすることができる。
【０５５６】
本発明の一実施形態では、マクロセルによりＵＥへ送信されるインジケーションメッセージはページングメッセージとすることができ、ＵＥへ送信されるページングメッセージはマイクロセルの識別子を含む。マイクロセルの識別子を含むページングメッセージを使用することにより、ＵＥは、マイクロセルのシステムメッセージが更新されていることを通知され、或いはＵＥは、マイクロセルのシステムメッセージを受信するように指示され、それによりＵＥは、マイクロセルのシステムメッセージ、又はマイクロセルの更新されたシステムメッセージを、マクロセルにより送信された、受信済みのページングメッセージに応じて受信する。対話過程は図１３Ａに示されている。
【０５５７】
Ｓ５０１ａ．マイクロセルが、第３のメッセージをマクロセルへ送信する。この第３のメッセージは、マイクロセルのシステムメッセージが更新されていることを示すために使用されるか、又はマイクロセルのシステムメッセージを受信するようにＵＥに指示するために使用される。
【０５５８】
具体的には、第３のメッセージはマイクロセルの識別子を含み得る。
【０５５９】
本発明のこの実施形態では、Ｓ５０１は任意選択のステップであることに留意されたい。すなわち、マイクロセルは不必要に第３のメッセージをマクロセルへ送信することができる。
【０５６０】
Ｓ５０２ａ．マクロセルが、ページングメッセージをＵＥへ送信する。このページングメッセージは、マイクロセルのシステムメッセージが更新されていることをＵＥに通知するために、又はマイクロセルのシステムメッセージを受信するようにＵＥに指示するために、使用される。
【０５６１】
具体的には、ページングメッセージはマイクロセルの識別子を含み、それによりＵＥは、マイクロセルの識別子に応じて、マイクロセルのシステムメッセージを更新するか、又はマイクロセルのシステムメッセージを受信する。本発明では、ページングメッセージは説明のための例として用いられているにすぎず、ページングメッセージはまた、他のメッセージとすることもできる。これは本発明においては限定されない。
【０５６２】
Ｓ５０３ａ．ＵＥが、マイクロセルの識別子を含むと共にマクロセルによって送信されたページングメッセージを受信し、ＵＥが、マイクロセルの識別子に応じて、マイクロセルのシステムメッセージ又はマイクロセルの更新されたシステムメッセージを、ページングメッセージに含まれるマイクロセルの識別子に対応するマイクロセル内で受信する。
【０５６３】
本発明の一実施形態では、マクロセルによりＵＥへ送信されるインジケーションメッセージは第４のメッセージとすることができ、この第４のメッセージはページング構成パラメータを含む。ＵＥは、ページング構成パラメータを含む第４のメッセージを使用することにより、マクロセルによって送信されたページングメッセージを受信するためのページング時間を判定する。このページングメッセージは、マイクロセルのシステムメッセージが更新されていることをＵＥに通知するために、又はマイクロセルのシステムメッセージを受信するようにＵＥに指示するために、使用される。対話過程は図１３Ｂに示されている。
【０５６４】
Ｓ５０１ｂ．マクロセルが、第４のメッセージをＵＥへ送信する。この第４のメッセージは、ページング構成パラメータを含み、このページング構成パラメータは、マクロセルによって送信されたページングメッセージを受信するためのページング時間を判定するためにＵＥによって使用され、このページングメッセージは、マイクロセルのシステムメッセージが更新されていることをＵＥに通知するために、又はマイクロセルのシステムメッセージを受信するようにＵＥに指示するために、使用される。
【０５６５】
本発明のこの実施形態では、ページング構成パラメータは、マクロセルによってそれ自体で構成すること、又はマイクロセルとの対話によって取得することができる。
【０５６６】
Ｓ５０２ｂ．ＵＥが、ページング構成パラメータを含むと共にマクロセルによって送信された第４のメッセージを受信する。
【０５６７】
Ｓ５０３ｂ．ＵＥが、ページング時間をページング構成パラメータに応じて判定する。
【０５６８】
Ｓ５０４ｂ．マクロセルが、ページングメッセージをＵＥへ送信する。このページングメッセージは、マイクロセルのシステムメッセージが更新されていることをＵＥに通知するために、又はマイクロセルのシステムメッセージを受信するようにＵＥに指示するために、使用される。
【０５６９】
Ｓ５０５ｂ．ＵＥが、マクロセルによって送信されたページングメッセージを、判定されたページング時間内に受信する。
【０５７０】
Ｓ５０６ｂ．ページングメッセージが受信された後に、マイクロセルのシステムメッセージを受信するか、又はマイクロセルの更新されたシステムメッセージを受信する。
【０５７１】
加えて、別の実現可能な実施形態もある。本発明のこの実施形態では、マクロセルによりＵＥへ送信されるインジケーションメッセージは構成メッセージとすることができ、この構成メッセージは、マイクロセルのページング構成パラメータを含む。ＵＥは、マイクロセルのページング構成パラメータを含む構成メッセージを使用することにより、マイクロセルによって送信されたページングメッセージを受信するためのページング時間を判定する。このページングメッセージは、マイクロセルのシステムメッセージが更新されていることをＵＥに通知するために、又はマイクロセルのシステムメッセージを受信するようにＵＥに指示するために、使用される。
【０５７２】
Ｓ５０１ｂ．マクロセルが、構成メッセージをＵＥへ送信する。この構成メッセージは、マイクロセルのページング構成パラメータを含み、このマイクロセルのページング構成パラメータは、マイクロセルによって送信されたページングメッセージを受信するためのページング時間を判定するためにＵＥによって使用され、このページングメッセージは、マイクロセルのシステムメッセージが更新されていることをＵＥに通知するために、又はマイクロセルのシステムメッセージを受信するようにＵＥに指示するために、使用される。本発明のこの実施形態では、マイクロセルのページング構成パラメータは、マクロセルによってそれ自体で構成すること、又はマイクロセルとの対話を介して取得することができる。
【０５７３】
Ｓ５０２ｂ．ＵＥが、マイクロセルのページング構成パラメータを含むと共にマクロセルによって送信された構成メッセージを受信する。
【０５７４】
Ｓ５０３ｂ．ＵＥが、ページング時間をページング構成パラメータに応じて判定する。
【０５７５】
Ｓ５０４ｂ．マイクロセルが、ページングメッセージをＵＥへ送信する。このページングメッセージは、マイクロセルのシステムメッセージが更新されていることをＵＥに通知するために、又はマイクロセルのシステムメッセージを受信するようにＵＥに指示するために、使用される。
【０５７６】
Ｓ５０５ｂ．ＵＥが、マイクロセルによって送信されたページングメッセージを、判定されたページング時間内に受信する。
【０５７７】
Ｓ５０６ｂ．ページングメッセージが受信された後に、マイクロセルのシステムメッセージを受信するか、又はマイクロセルの更新されたシステムメッセージを受信する。
【０５７８】
本発明のこの実施形態では、マクロセルによりＵＥへ送信されるインジケーションメッセージはシステムメッセージとすることができる。システムメッセージを使用することにより、マクロセルは、マイクロセルのシステムメッセージが更新されていることをＵＥに通知するか、又はマイクロセルのシステムメッセージを受信するようにＵＥに指示する。特定の実施過程では、システムメッセージは、マイクロセルのシステムメッセージが更新されていることをＵＥに示すために、又はマイクロセルのシステムメッセージを受信するようにＵＥに指示するために、専ら使用されることができ、それによりＵＥは、マイクロセルのシステムメッセージをマイクロセル内で受信するか、又はマイクロセルの更新されたシステムメッセージをマイクロセル内で受信する。対話過程が図１３Ｃに示されている。
【０５７９】
Ｓ５０１ｃ．マイクロセルが、第３のメッセージをマクロセルへ送信する。この第３のメッセージは、マイクロセルのシステムメッセージが更新されていることを示すために使用されるか、又はマイクロセルのシステムメッセージを受信するようにＵＥに指示するために使用される。
【０５８０】
任意選択で、第３のメッセージはインジケーションメッセージを含み、このインジケーションメッセージは多くの形を有し得る。たとえば、第３のメッセージは、マイクロセルのシステムメッセージ更新識別子、又はマイクロセルのセル識別子を含み得る。
【０５８１】
本発明のこの実施形態では、Ｓ５０１ｃは任意選択のステップであることに留意されたい。すなわち、マイクロセルは不必要に第３のメッセージをマクロセルに送信することができる。
【０５８２】
Ｓ５０２ｃ．マクロセルが、システムメッセージをＵＥへ送信する。このシステムメッセージは、マイクロセルのシステムメッセージが更新されていることを示すために使用されるか、又はマイクロセルのシステムメッセージを受信するようにＵＥに指示するために使用される。
【０５８３】
具体的には、システムメッセージは、マイクロセルのシステムメッセージ識別子を含み得る。
【０５８４】
Ｓ５０３ｃ．ＵＥが、マクロセルによって送信されたシステムメッセージを受信する。
【０５８５】
具体的には、たとえばシステムメッセージは、マイクロセルのシステムメッセージインジケータを含むことができ、それによってＵＥは、マイクロセルのシステムメッセージ又はマイクロセルの更新されたシステムメッセージを、マイクロセルのシステムメッセージインジケータに応じて受信する。マイクロセルのシステムメッセージインジケータは、マイクロセルのセル識別子とすることができ、又はマイクロセルのシステムメッセージインジケータ（ｉｎｄｉｃａｔｏｒ）とすることができ、又はマイクロセルのセル識別子及びマイクロセルのシステムメッセージインジケータ（ｉｎｄｉｃａｔｏｒ）とすることができ、又はインジケーション情報の他の形とすることができる。要約すると、マイクロセルのシステムメッセージインジケータは、マイクロセルのシステムメッセージが更新されていることを示すために、又はマイクロセルのシステムメッセージを受信するようにＵＥに指示するために、マクロセルの受信されたシステムメッセージからインジケーションを取得するようにＵＥによって使用される。
【０５８６】
Ｓ５０４ｃ．ＵＥが、マイクロセルのシステムメッセージ又はマイクロセルの更新されたシステムメッセージをマイクロセル内で受信する。
【０５８７】
本発明の一実施形態では、マクロセルによって送信されたシステムメッセージはまた、マイクロセルのシステムメッセージが更新されていること、及びマクロセルのシステムメッセージが更新されていることを示すために使用されるか、又はマクロセルのシステムメッセージ及びマイクロセルのシステムメッセージを受信するようにＵＥに指示するために使用されることができ、それによりＵＥは、システムメッセージ又は更新されたシステムメッセージをマイクロセル及びマクロセル内で受信する。対話過程が図１３Ｄに示されている。
【０５８８】
Ｓ５０１ｄ．マイクロセルが、第３のメッセージをマクロセルへ送信する。この第３のメッセージは、マイクロセルのシステムメッセージが更新されていることを示すために使用されるか、又はマイクロセルのシステムメッセージを受信するように指示するために使用される。
【０５８９】
具体的には、たとえば第３のメッセージは、マイクロセルのシステムメッセージ更新識別子、又はマイクロセルのセル識別子を含み得る。
【０５９０】
本発明のこの実施形態では、Ｓ５０１は任意選択のステップであることに留意されたい。すなわち、マイクロセルは不必要に第３のメッセージをマクロセルへ送信することができる。
【０５９１】
Ｓ５０２ｄ．マクロセルが、システムメッセージをＵＥへ送信する。このシステムメッセージは、マイクロセルのシステムメッセージが更新されていること、及びマクロセルのシステムメッセージが更新されていることを示すために使用されるか、又はマイクロセルのシステムメッセージを受信するようにＵＥに指示するために、及びマクロセルのシステムメッセージを受信するようにＵＥに指示するために使用される。
【０５９２】
Ｓ５０３ｄ．ＵＥが、マクロセルによって送信されたシステムメッセージを受信する。
【０５９３】
具体的には、たとえばシステムメッセージは、メッセージインジケーションを含むことができ、それによってＵＥは、マイクロセルのシステムメッセージ又はマイクロセルの更新されたシステムメッセージを、メッセージインジケーションに応じて受信する。メッセージインジケーションは、マイクロセルのセル識別子とすることができ、又はマイクロセルのシステムメッセージインジケータ（ｉｎｄｉｃａｔｏｒ）とすることができ、又はマイクロセルのセル識別子及びマイクロセルのシステムメッセージインジケータ（ｉｎｄｉｃａｔｏｒ）とすることができ、又はインジケーション情報の他の形とすることができる。要約すると、メッセージインジケーションは、マイクロセルのシステムメッセージが更新されていることを示すために、又はマイクロセルのシステムメッセージを受信するようにＵＥに指示するために、マクロセルの受信されたシステムメッセージからインジケーションを取得するようにＵＥによって使用される。
【０５９４】
Ｓ５０４ｄ．ＵＥが、マクロセルのシステムメッセージ又はマクロセルの更新されたシステムメッセージをマクロセル内で受信する。
【０５９５】
Ｓ５０５ｄ．ＵＥが、マイクロセルのシステムメッセージ又はマイクロセルの更新されたシステムメッセージをマイクロセル内で受信する。
【０５９６】
ステップ５０４ｄ及びステップ５０５ｄが実行される順序は本発明では限定されず、特定の実施態様に応じて決定することができる。たとえば、ステップＳ５０４ｄが最初に実行されるか、又はＳ５０５ｄが最初に実行されるか、又はこれら２つのステップが同時に実行される。
【０５９７】
本発明の一実施形態では、マクロセルによりＵＥへ送信されるインジケーションメッセージはシステムメッセージとすることができる。システムメッセージは、マイクロセルのシステムメッセージコンテンツ又はマイクロセルの更新されたシステムメッセージコンテンツを含み、それによりＵＥは、マイクロセルのシステムメッセージコンテンツ又はマイクロセルの更新されたシステムメッセージコンテンツを直接的に取得する。対話過程が図１３Ｅに示されている。
【０５９８】
Ｓ５０１ｅ．マイクロセルが、第３のメッセージをマクロセルへ送信する。この第３のメッセージは、マイクロセルのシステムメッセージ又はマイクロセルの更新されたシステムメッセージコンテンツを含む。
【０５９９】
Ｓ５０２ｅ．マクロセルが、システムメッセージをＵＥへ送信する。
【０６００】
具体的には、システムメッセージは、他の局（マクロセル以外の局）のセルのシステムメッセージコンテンツ又は更新されたシステムメッセージコンテンツを含み得る。別の局は、マクロ基地局以外の１つ又は複数の局（たとえばｎ局、ここでｎは１より大きい自然数）とすることができる。たとえば、システムメッセージは、下記の、第１のマイクロ局のセル１のシステムメッセージコンテンツ又は更新されたシステムメッセージコンテンツ、第１のマイクロ局のセル２のシステムメッセージコンテンツ又は更新されたシステムメッセージコンテンツ、第２のマイクロ局のセル３のシステムメッセージコンテンツ又は更新されたシステムメッセージコンテンツ、第３のマイクロ局のセル４のシステムメッセージコンテンツ又は更新されたシステムメッセージコンテンツ、第２のマクロ局のセル５のシステムメッセージコンテンツ又は更新されたシステムメッセージコンテンツなど、のうちの１つ以上を含む。
【０６０１】
当然、任意選択で、システムメッセージはさらに、マクロセルのシステムメッセージコンテンツ又はマクロセルの更新されたシステムメッセージコンテンツを含み得る。これは本発明においては限定されない。
【０６０２】
この実施形態では、マクロセルがシステムメッセージをＵＥへ送信し、このシステムメッセージがマイクロセルのシステムメッセージコンテンツ又は更新されたシステムメッセージコンテンツを含むという例が、本発明のコンテンツについて説明するのに使用される。
【０６０３】
Ｓ５０３ｅ．ＵＥが、マイクロセルのシステムメッセージコンテンツ又はマイクロセルの更新されたシステムメッセージコンテンツを含むシステムメッセージをマクロセル内で受信する。
【０６０４】
本発明のこの実施形態において提供されるメッセージ処理方法によって、マクロセル内に存在するＵＥは、マイクロセルのシステムメッセージ又はマイクロセルの更新されたシステムメッセージを取得する。ネットワークがそのＵＥをページングしてネットワークにアクセスするとき、ＵＥは、ランダムアクセスをマイクロセル内で、取得されたシステムメッセージに応じて開始することができ（たとえば、システムメッセージは、マイクロセルの最新の構成情報、たとえばアクセス構成情報を含む）、マイクロセルは、ＵＥにページングを行う必要がなく、それによってエアインタフェースリソースを節減する。
【０６０５】
本発明の実施形態の別の具体的な適用シナリオは、たとえば、第１のノードがマクロ基地局であり、第２のノードがマイクロ基地局であり、マクロ基地局のセルがマクロセルであり、マイクロ基地局のセルがマイクロセルであること、ＵＥがマクロセルにとどまること、マクロセルがページングメッセージをＵＥへ送信すること、であり得る。このページングメッセージはＵＥをページングするために使用され、ＵＥは、第１のノード情報をＵＥへ、マクロセルを使用することにより送信することができ、ここで、この第１のノード情報はマイクロセルに関連した情報であり（下記では「マイクロセル関連情報」と呼ばれる）、その結果ＵＥは、マイクロセルにアクセスすることができる。
【０６０６】
下記の複数の実施形態では（図１４Ａから図１４Ｃと、図１４Ａから図１４Ｃの関連する方法実施形態についての説明とを参照）、第１のノードがマイクロ基地局であり、第２のノードがマクロ基地局であるという例が説明のために用いられることに留意されたい。マクロ基地局のセルはマクロセルであり、マイクロ基地局のセルはマイクロセルである。したがって、諸実施形態では、実行本体として、マクロセルはまたマクロ基地局と置き換えることもでき、またマイクロセルはマイクロ基地局と置き換えることができる。当然、第１のノード又は第２のノードのデバイスタイプは、本発明において限定されない。
【０６０７】
本発明の実施形態では、マクロセルによりＵＥへ送信されるマイクロセル関連情報は、マイクロセルの識別子、マイクロセルのアクセス構成、マイクロセルの識別子とマイクロセルのアクセス構成などであり得る。
【０６０８】
本発明の一実施形態において、マクロセルによりＵＥへ送信されるマイクロセル関連情報がマイクロセルの識別子である実施過程については、図１４Ａを参照されたい。
【０６０９】
Ｓ６０１ａ．マクロセルが、ページングメッセージをＵＥへ送信し、このページングメッセージはマイクロセルの識別子を含む。
【０６１０】
Ｓ６０２ａ．ＵＥが、マクロセルによって送信されたページングメッセージを受信し、ＵＥがネットワークにアクセスする必要のあることを判定する。
【０６１１】
Ｓ６０３ａ．ＵＥが、ページングメッセージに含まれるマイクロセルの識別子に応じて、マイクロセルのシステムメッセージを、マイクロセルの識別子に対応するマイクロセル内でリッスンする。
【０６１２】
Ｓ６０４ａ．ＵＥが、マイクロセルのアクセス構成をマイクロセル内で取得し、そのマイクロセルにアクセスする。
【０６１３】
本発明の一実施形態において、マクロセルによりＵＥへ送信されるマイクロセル関連情報がマイクロセルのアクセス構成である実施過程については、図１４Ｂを参照されたい。
【０６１４】
Ｓ６０１ｂ．ＵＥが、マイクロセルのアクセス構成を受信する。マイクロセルのアクセス構成は、マクロセルによって送信されることができるか、又はマクロセル以外の他のセル、又は他のノードによって送信されることができる。マイクロセルのアクセス構成がマクロセルによって送信されるという例が、説明のために図中に用いられている。
【０６１５】
本発明のこの実施形態では、マイクロセルのアクセス構成は、たとえばＲＲＣ接続再構成メッセージ、又はマクロセルのシステムメッセージに含まれることができる。これは本発明においては限定されない。
【０６１６】
Ｓ６０２ｂ．マクロセルが、ページングメッセージをＵＥへ送信する。
【０６１７】
Ｓ６０３ｂ．ＵＥが、マクロセルによって送信されたページングメッセージを受信し、ＵＥがネットワークにアクセスする必要のあることを判定する。
【０６１８】
Ｓ６０１ｂが相対的に独立したステップであること、並びにステップＳ６０１ｂ、ステップＳ６０２ｂ、及びステップＳ６０３ｂが実行される時間順は限定されないことに留意されたい。たとえば、ステップＳ６０１ｂが不必要にステップＳ６０２ｂの前に実行される。たとえばステップＳ６０１ｂは、ステップＳ６０１ｂ又はＳ６０２ｂの後に行われてよい。たとえばＳ６０３ｂは、ステップＳ６０１ｂ又はＳ６０２ｂと同時に行われてよい。
【０６１９】
Ｓ６０４ｂ．ＵＥが、取得されたマイクロセルのアクセス構成に応じてマイクロセルにアクセスする。
【０６２０】
本発明のこの実施形態では、マイクロセルのアクセス構成は、たとえばＲＲＣ接続再構成メッセージ、又はマクロセルのシステムメッセージに含まれることができる。これは本発明においては限定されない。
【０６２１】
本発明の一実施形態において、マクロセルによりＵＥへ送信されるマイクロセル関連情報がマイクロセルの識別子及び／又はマイクロセルのアクセス構成である実施過程については、図１４Ｃを参照されたい。
【０６２２】
Ｓ６０１ｃ．マクロセルが、ページングメッセージをＵＥへ送信し、任意選択で、このページングメッセージはマイクロセルの識別子を含む。
【０６２３】
Ｓ６０２ｃ．ＵＥが、マクロセルによって送信されたページングメッセージを受信すると共に、ＵＥがマイクロセルの識別子に対応するマイクロセルにアクセスする必要のあることを判定する。
【０６２４】
Ｓ６０３ｃ．ＵＥが、マイクロセルのアクセス構成を取得する。
【０６２５】
本発明のこの実施形態では、マイクロセルのアクセス構成は、マクロセルによって送信されることができるか、又はマクロセル以外の他のセルによって送信されることができる。マイクロセルのアクセス構成がマクロセルによって送信されるという例が、説明のために図中に用いられている。
【０６２６】
具体的には、本発明のこの実施形態では、マクロセルによって送信されたページングメッセージを受信後、Ｓ６０３ｃで、ＵＥはマクロセルにアクセスし、次に、マイクロセルのアクセス構成を含むメッセージ（たとえば、マクロセルのＲＲＣメッセージ、又はマクロセルのシステムメッセージ）をマクロセル内で受信する。
【０６２７】
Ｓ６０４ｃ．ＵＥが、受信されたマイクロセルのアクセス構成に応じてマイクロセルにアクセスする。
【０６２８】
本発明のこの実施形態において提供される上記のメッセージ処理方法は、ＵＥがマイクロセルのシステムメッセージをリアルタイムでリッスンしないというシナリオに適用することができる。ＵＥがそのマイクロセルにアクセスする必要があるとき、ＵＥはマイクロセルのアクセス構成を、マクロセルによって送信されたマイクロセルの識別子又はマイクロセルのアクセス構成を使用することにより取得し、マイクロセルにアクセスする。
【０６２９】
本発明の実施形態では、実施形態及び図に示されたステップ参照番号は、ステップが実行される時間順を限定しないことに留意されたい。
【０６３０】
本発明の実施形態では、マクロセル及びマイクロセルが、本発明のコンテンツを説明するための例として使用されていることに留意されたい。マクロセルは、第１のセル若しくは一次セル、又は第１のノード若しくは第１のノードセルと置き換えることができ、マイクロセルは、第２のセル若しくは二次セル、又は第２のノード若しくは第２のノードセルと置き換えることができる。本発明における第１のノードは、マイクロ基地局、ｅＮＢ、マクロ基地局、中継局（Ｒｅｌａｙ）、ｐｉｃｏ  ｅＮＢ、ｓｍａｌｌ  ｃｅｌｌ、ＳｅＮＢ、ＨｅＮＢ、特定のネットワーク要素装置などであり得る。これは本発明においては限定されない。同様に、第２のノードは、マクロ基地局、中継局（Ｒｅｌａｙ）、ｐｉｃｏ  ｅＮＢ、ｓｍａｌｌ  ｃｅｌｌ、ＳｅＮＢ、ＨｅＮＢ、マイクロ基地局、特定のネットワーク要素装置などであり得る。これは本発明においては限定されない。
【０６３１】
当業者には、本発明の諸実施形態を方法、システム、又はコンピュータプログラム製品として提供できることが理解されるはずである。したがって、本発明は、ハードウェアだけの実施形態、ソフトウェアだけの実施形態、又はソフトウェアとハードウェアの組み合わせによる実施形態の形を用いることができる。さらに、本発明は、コンピュータ使用可能プログラムコードを含む１つ又は複数のコンピュータ使用可能記憶媒体（それだけには限らないが、ディスクメモリ、ＣＤ−ＲＯＭ、光メモリなどを含む）上に実装されるコンピュータプログラム製品の形を使用することもできる。
【０６３２】
本発明は、方法、装置（システム）及びコンピュータプログラム製品の流れ図及び／又はブロック図を参照して、本発明の実施形態によって説明されている。コンピュータプログラム命令を使用することにより、流れ図及び／又はブロック図中の各処理及び／又は各ブロックと、流れ図及び／又はブロック図中の処理及び／又はブロックの組み合わせとを実施できることを理解されたい。これらのコンピュータプログラム命令は、汎用コンピュータ、専用コンピュータ、埋込プロセッサ、又は機械を生み出すための任意の他のプログラム可能データ処理装置のプロセッサに提供されることができ、それにより、コンピュータ、又は任意の他のプログラム可能データ処理装置のプロセッサによって実行される命令は、流れ図中の１つ又は複数の処理において、及び／又はブロック図中の１つ又は複数のブロックにおいて特定の機能を実施するための装置を生み出す。
【０６３３】
これらのコンピュータプログラム命令は、コンピュータ又は任意の他のプログラム可能データ処理装置に指示して特定の方式で動作させることができるコンピュータ読み取り可能なメモリに記憶されることができ、それにより、コンピュータ読み取り可能なメモリに記憶された命令は、命令装置を含む人工物を生み出す。命令装置は、流れ図中の１つ又は複数の処理における、及び／又はブロック図中の１つ又は複数のブロックにおける、特定の機能を実施する。
【０６３４】
これらのコンピュータプログラム命令は、コンピュータ又は他のプログラム可能データ処理装置にロードされることができ、それにより、一連の動作及びステップがコンピュータ又は他のプログラム可能装置上で実行され、それによって、コンピュータにより実施される処理が生み出される。したがって、コンピュータ又は他のプログラム可能装置上で実行される命令は、流れ図中の１つ又は複数の処理において、及び／又はブロック図中の１つ又は複数のブロックにおいて特定の機能を実施するためのステップを提供する。
【０６３５】
本発明のいくつかの好ましい実施形態を説明したが、当業者には、これらの実施形態に変更及び修正を加えることが、基本的な発明の概念を理解すれば可能である。したがって、添付の特許請求の範囲は、好ましい実施形態、並びに本発明の範囲内に入るすべての変更及び修正を包含すると解釈されることが意図される。
【０６３６】
明らかに、当業者には、様々な修正形態及び変形形態を本発明の実施形態に加えることが、本発明の実施形態の趣旨及び範囲から逸脱することなく可能である。本発明は、これらの修正形態及び変形形態を、それが添付の請求項及びその等価の技術によって画定される保護の範囲内に入るならば、包含することが意図される。
【図１】
2018500850.tif 000004
【図２】
2018500850.tif 000005
【図３】
2018500850.tif 000006
【図４】
2018500850.tif 000007
【図５Ａ】
2018500850.tif 000008
【図５Ｂ】
2018500850.tif 000009
【図６】
2018500850.tif 000010
【図７Ａ】
2018500850.tif 000011
【図７Ｂ】
2018500850.tif 000012
【図８】
2018500850.tif 000013
【図９Ａ】
2018500850.tif 000014
【図９Ｂ】
2018500850.tif 000015
【図９Ｃ】
2018500850.tif 000016
【図９Ｄ】
2018500850.tif 000017
【図９Ｅ】
2018500850.tif 000018
【図９Ｆ】
2018500850.tif 000019
【図９Ｇ】
2018500850.tif 000020
【図９Ｈ】
2018500850.tif 000021
【図９Ｉ】
2018500850.tif 000022
【図１０Ａ】
2018500850.tif 000023
【図１０Ｂ】
2018500850.tif 000024
【図１０Ｃ】
2018500850.tif 000025
【図１０Ｄ】
2018500850.tif 000026
【図１１Ａ】
2018500850.tif 000027
【図１１Ｂ】
2018500850.tif 000028
【図１１Ｃ】
2018500850.tif 000029
【図１１Ｄ】
2018500850.tif 000030
【図１１Ｅ】
2018500850.tif 000031
【図１１Ｆ】
2018500850.tif 000032
【図１１Ｇ】
2018500850.tif 000033
【図１１Ｈ】
2018500850.tif 000034
【図１１Ｉ】
2018500850.tif 000035
【図１１Ｊ】
2018500850.tif 000036
【図１２Ａ】
2018500850.tif 000037
【図１２Ｂ】
2018500850.tif 000038
【図１２Ｃ】
2018500850.tif 000039
【図１２Ｄ】
2018500850.tif 000040
【図１２Ｅ】
2018500850.tif 000041
【図１３Ａ】
2018500850.tif 000042
【図１３Ｂ】
2018500850.tif 000043
【図１３Ｃ】
2018500850.tif 000044
【図１３Ｄ】
2018500850.tif 000045
【図１３Ｅ】
2018500850.tif 000046
【図１４Ａ】
2018500850.tif 000047
【図１４Ｂ】
2018500850.tif 000048
【図１４Ｃ】
2018500850.tif 000049
【手続補正書】
【提出日】平成29年8月18日(2017.8.18)
【手続補正１】
【補正対象書類名】特許請求の範囲
【補正対象項目名】全文
【補正方法】変更
【補正の内容】
【特許請求の範囲】
【請求項１】
ノード装置であって、
第１のメッセージを判定するように構成された判定ユニットであって、前記第１のメッセージが、第１のノードセルのシステムメッセージを受信するようにユーザ機器に指示するために使用されるか、又は第１のノードセルのシステムメッセージが更新されていることを示すために使用される、判定ユニットと、
前記判定ユニットによって判定された前記第１のメッセージを前記ユーザ機器へ送信するように構成された送信ユニットと
を備える、ノード装置。
【請求項２】
前記第１のメッセージが、下記の
前記第１のノードセルのページング構成パラメータ、第１のノードの識別子、前記第１のノードセルの識別子、前記第１のノードセルのシステムメッセージインジケータ、前記第１のノードセルのシステムメッセージコンテンツ、又は前記第１のノードセルの更新されたシステムメッセージコンテンツ、のうちの少なくとも１つを含む、請求項１に記載のノード装置。
【請求項３】
前記第１のメッセージが、構成メッセージ、ページングメッセージ、又はシステムメッセージである、請求項１又は２に記載のノード装置。
【請求項４】
前記第１のメッセージがページングメッセージであり、前記ページングメッセージが、下記の
第１のノードの識別子、前記第１のノードセルの識別子、又は前記第１のノードセルのシステムメッセージインジケータ、のうちの少なくとも１つを含む、請求項１に記載のノード装置。
【請求項５】
前記第１のメッセージがページングメッセージであり、
前記送信ユニットがさらに、前記第１のメッセージを前記ユーザ機器へ送信する前に、第４のメッセージを前記ユーザ機器へ送信するように構成され、前記第４のメッセージがページング構成パラメータを含む、請求項１から４のいずれか一項に記載のノード装置。
【請求項６】
前記第１のメッセージが構成メッセージ又はシステムメッセージであり、前記構成メッセージ又は前記システムメッセージが前記第１のノードセルのページング構成パラメータを含む、請求項１に記載のノード装置。
【請求項７】
前記第１のメッセージがさらに、
当該ノード装置に対応する第２のノードセルのシステムメッセージが更新されていることを示すために使用されるか、又は当該ノード装置に対応する第２のノードセルのシステムメッセージを受信するように前記ユーザ機器に指示するために使用される、請求項１に記載のノード装置。
【請求項８】
当該ノード装置がさらに、
前記判定ユニットが前記第１のメッセージを判定する前に、第１のノードによって送信された第３のメッセージを受信するように構成された受信ユニットを備え、前記第３のメッセージが、前記第１のノードセルの前記システムメッセージが更新されていることを示すために使用されるか、又は前記第１のノードセルの前記システムメッセージを受信するように前記ユーザ機器に指示するために使用される、請求項１から７のいずれか一項に記載のノード装置。
【請求項９】
前記第３のメッセージが、前記第１のノードセルのページング構成パラメータ、前記第１のノードの識別子、前記第１のノードセルの識別子、前記第１のノードセルのシステムメッセージインジケータ、前記第１のノードセルのシステムメッセージコンテンツ、又は前記第１のノードセルの更新されたシステムメッセージコンテンツ、のうちの少なくとも１つを含む、請求項８に記載のノード装置。
【請求項１０】
前記ユーザ機器が、当該ノード装置に対応する第２のノードセルにとどまる、請求項１から９のいずれか一項に記載のノード装置。
【請求項１１】
前記ユーザ機器がページングメッセージを、当該ノード装置に対応する第２のノードセルからのみ受信するか、又は
前記ユーザ機器がページングメッセージを当該ノード装置に対応する前記第２のノードセル内で受信し、また前記ユーザ機器がページングメッセージを前記第１のノードセル内で受信し、
前記ユーザ機器によって前記第１のノードセル内で受信される前記ページングメッセージが、下記の
第１の地震津波警報システムＥＴＷＳ関連通報及び／又は第２のＥＴＷＳ関連通報を通知するために使用されるページングメッセージ、又は
商業モバイル警報サービスＣＭＡＳ通報を知らせるために使用されるページングメッセージ、のうちの少なくとも１つを含む、請求項１から１０のいずれか一項に記載のノード装置。
【請求項１２】
前記ユーザ機器が前記第１のノードセルの前記システムメッセージを受信するか、かつ／又は
前記ユーザ機器が前記第１のノードセルを測定する、請求項１、１０、又は１１に記載のノード装置。
【請求項１３】
ノード装置であって、
第１のノード情報及び第５のメッセージを判定するように構成された判定ユニットであって、前記第５のメッセージが、ユーザ機器をページングするために使用されるか、又はネットワークにアクセスするようにユーザ機器に指示するために使用されるか、又は無線リソース制御ＲＲＣ接続を確立するようにユーザ機器に指示するために使用され、また前記第１のノード情報が、第１のノードについての情報を前記ユーザ機器に提供するために使用される、判定ユニットと、
前記判定ユニットによって判定された前記第１のノード情報及び前記第５のメッセージを前記ユーザ機器へ送信するように構成された送信ユニットと
を備える、ノード装置。
【請求項１４】
前記第１のノード情報が、第１のノードセルの識別子、前記第１のノードの識別子、第１のノードセルのアクセス構成、前記第１のノードのＲＲＣ構成、前記第１のノードのパケットデータコンバージェンスプロトコルＰＤＣＰ構成、前記第１のノードの無線リンク制御ＲＬＣ層プロトコル構成、前記第１のノードのメディアアクセス制御ＭＡＣ構成、又は前記第１のノードの物理層構成、のうちの少なくとも１つを含む、請求項１３に記載のノード装置。
【請求項１５】
前記第１のノード情報が、第１のノードセルの識別子、又は前記第１のノードの識別子を含み、また前記第１のノード情報が第２のメッセージに含まれる、請求項１３に記載のノード装置。
【請求項１６】
前記第１のノード情報が前記第１のノードのアクセス構成を含み、前記第１のノードの前記アクセス構成が、当該ノード装置により前記ユーザ機器へ送信される第２のメッセージに含まれる、請求項１３又は１５に記載のノード装置。
【請求項１７】
前記第２のメッセージが前記第５のメッセージである、請求項１５又は１６に記載のノード装置。
【請求項１８】
前記第５のメッセージがページングメッセージである、請求項１３から１７のいずれか一項に記載のノード装置。
【請求項１９】
前記第２のメッセージが、
無線リソース制御ＲＲＣ接続再構成メッセージ又はシステムメッセージを含む、請求項１５又は１６に記載のノード装置。
【請求項２０】
前記ユーザ機器が、当該ノード装置に対応する第２のノードセルにとどまる、請求項１３から１９のいずれか一項に記載のノード装置。
【請求項２１】
前記ユーザ機器がページングメッセージを、当該ノード装置に対応する第２のノードセルからのみ受信するか、又は
前記ユーザ機器がページングメッセージを当該ノード装置に対応する前記第２のノードセル内で受信し、また前記ユーザ機器がページングメッセージを第１のノードセル内で受信し、
前記ユーザ機器によって前記第１のノードセル内で受信される前記ページングメッセージが、下記の
第１の地震津波警報システムＥＴＷＳ関連通報及び／又は第２のＥＴＷＳ関連通報を通知するために使用されるページングメッセージ、又は
商業モバイル警報サービスＣＭＡＳ通報を知らせるために使用されるページングメッセージ、のうちの少なくとも１つを含む、請求項１３から２０のいずれか一項に記載のノード装置。
【請求項２２】
前記ユーザ機器が第１のノードセルのシステムメッセージを受信するか、かつ／又は
前記ユーザ機器が前記第１のノードセルを測定する、請求項１３、２０、又は２１に記載のノード装置。
【請求項２３】
ユーザ機器であって、
第２のノードによって送信された第１のメッセージを受信するように構成された第１の受信ユニットであって、前記第１のメッセージが、第１のノードセルのシステムメッセージを受信するように当該ユーザ機器に指示するために使用されるか、又は第１のノードセルの更新されたシステムメッセージを受信するように当該ユーザ機器に指示するために使用される、第１の受信ユニットと、
前記第１の受信ユニットで受信された前記第１のメッセージに応じて、前記第１のノードセルの前記システムメッセージを受信するように、又は前記第１のノードセルの前記更新されたシステムメッセージを受信するように構成された第２の受信ユニットと
を備える、ユーザ機器。
【請求項２４】
前記第１のメッセージが、前記第１のノードセルのページング構成パラメータ、第１のノードの識別子、前記第１のノードセルの識別子、前記第１のノードセルのシステムメッセージインジケータ、前記第１のノードセルのシステムメッセージコンテンツ、又は前記第１のノードセルの更新されたシステムメッセージコンテンツ、のうちの少なくとも１つを含む、請求項２３に記載のユーザ機器。
【請求項２５】
前記第１のメッセージが、構成メッセージ、ページングメッセージ、又はシステムメッセージである、請求項２３又は２４に記載のユーザ機器。
【請求項２６】
前記第１のメッセージがページングメッセージであり、前記ページングメッセージが下記の、第１のノードの識別子、前記第１のノードセルの識別子、又は前記第１のノードセルのシステムメッセージインジケータ、のうちの少なくとも１つを含み、
前記第２の受信ユニットが、
前記第１のノードセルの前記システムメッセージ又は前記第１のノードセルの前記更新されたシステムメッセージを前記第１のノードセル内で、前記ページングメッセージに応じて受信するように構成される、請求項２３に記載のユーザ機器。
【請求項２７】
前記第１のメッセージがページングメッセージであり、
前記第１の受信ユニットがさらに、
前記第２の受信ユニットが、前記第１のメッセージに応じて、前記第１のノードセルの前記システムメッセージを受信するか、又は前記第１のノードセルの前記更新されたシステムメッセージを受信する前に、前記第２のノードによって送信された第４のメッセージを受信するように構成され、前記第４のメッセージが、前記第１のノードセルのページング構成パラメータを含み、
当該ユーザ機器がさらに、
ページング時間を前記第１のノードセルの前記ページング構成パラメータに応じて判定するように構成された判定ユニットを備え、
前記第１の受信ユニットがさらに、
ページングメッセージを第２のノードセル内で、前記判定ユニットによって判定された前記ページング時間内に受信するように構成され、前記ページングメッセージが、第１のノードのシステムメッセージが更新されていることを示すために使用されるか、又は前記第１のノードセルの前記システムメッセージを受信するように当該ユーザ機器に指示するために使用される、請求項２３から２６のいずれか一項に記載のユーザ機器。
【請求項２８】
前記第１のメッセージが構成メッセージ又はシステムメッセージであり、前記構成メッセージ又は前記システムメッセージが、前記第１のノードセルのページング構成パラメータを含み、
当該ユーザ機器がさらに、
前記第２の受信ユニットが、前記第１のメッセージに応じて、前記第１のノードセルの前記システムメッセージを受信するか、又は前記第１のノードセルの前記更新されたシステムメッセージを受信する前に、ページング時間を前記第１のノードセルの前記ページング構成パラメータに応じて判定するように構成された判定ユニットを備え、
前記第１の受信ユニットがさらに、
ページングメッセージを第１のノードセル内で、前記判定ユニットによって判定された前記ページング時間内に受信するように構成され、前記ページングメッセージが、第１のノードのシステムメッセージが更新されていることを示すために使用されるか、又は前記第１のノードセルの前記システムメッセージを受信するように当該ユーザ機器に指示するために使用される、請求項２３に記載のユーザ機器。
【請求項２９】
前記第２の受信ユニットがさらに、
第２のノードセルの更新されたシステムメッセージ又は前記第２のノードセルのシステムメッセージを前記第２のノードセル内で、前記第１のメッセージに応じて受信するように構成される、請求項２３から２８のいずれか一項に記載のユーザ機器。
【請求項３０】
当該ユーザ機器が、前記第２のノードに対応する第２のノードセルにとどまる、請求項２３から２９のいずれか一項に記載のユーザ機器。
【請求項３１】
当該ユーザ機器がページングメッセージを前記第２のノードに対応する第２のノードセルからのみ受信するか、又は
当該ユーザ機器がページングメッセージを前記第２のノードに対応する前記第２のノードセル内で受信し、また当該ユーザ機器がページングメッセージを前記第１のノードセル内で受信し、
当該ユーザ機器によって前記第１のノードセル内で受信される前記ページングメッセージが、下記の
第１の地震津波警報システムＥＴＷＳ関連通報及び／又は第２のＥＴＷＳ関連通報を通知するために使用されるページングメッセージ、又は
商業モバイル警報サービスＣＭＡＳ通報を知らせるために使用されるページングメッセージ、のうちの少なくとも１つを含む、請求項２３から３０のいずれか一項に記載のユーザ機器。
【請求項３２】
当該ユーザ機器が前記第１のノードセルの前記システムメッセージを受信するか、かつ／又は
当該ユーザ機器が前記第１のノードセルを測定する、請求項２３、３０、又は３１に記載のユーザ機器。
【請求項３３】
ユーザ機器であって、
第２のノードによって送信された第５のメッセージと、第１のノード情報とを受信するように構成された受信ユニットであって、前記第５のメッセージが、ユーザ機器をページングするために使用されるか、又はネットワークにアクセスするように当該ユーザ機器に指示するために使用されるか、又は無線リソース制御ＲＲＣ接続を確立するように当該ユーザ機器に指示するために使用され、前記第１のノード情報が、第１のノードについての情報を当該ユーザ機器に提供するために使用される、受信ユニットと、
前記受信ユニットで受信された前記第１のノード情報及び前記第５のメッセージに応じて前記第１のノードにアクセスするように構成されたアクセスユニットと
を備える、ユーザ機器。
【請求項３４】
前記第１のノード情報が、第１のノードセルの識別子、前記第１のノードの識別子、前記第１のノードのアクセス構成、前記第１のノードのＲＲＣ構成、前記第１のノードのパケットデータコンバージェンスプロトコルＰＤＣＰ構成、前記第１のノードの無線リンク制御ＲＬＣ層プロトコル構成、前記第１のノードのメディアアクセス制御ＭＡＣ構成、又は前記第１のノードの物理層構成、のうちの少なくとも１つを含む、請求項３３に記載のユーザ機器。
【請求項３５】
前記第１のノード情報が、第１のノードセルの識別子、又は前記第１のノードの識別子を含み、また前記第１のノード情報が第２のメッセージに含まれる、請求項３３に記載のユーザ機器。
【請求項３６】
前記アクセスユニットが、前記第５のメッセージ及び前記第１のノード情報に応じて、下記の
前記第５のメッセージに含まれる前記第１のノードの前記識別子又は前記第１のノードセルの前記識別子に応じて、前記第１のノードセルを判定する、
前記第１のノードセルのシステムメッセージを前記第１のノードセル内でリッスンする、
前記第１のノードのアクセス構成を、前記第１のノードセルの前記受信されたシステムメッセージに応じて取得する、かつ
前記第１のノードの前記取得されたアクセス構成に応じて前記第１のノードにアクセスする
方式で前記第１のノードにアクセスするように構成される、請求項３５に記載のユーザ機器。
【請求項３７】
前記第１のノード情報が前記第１のノードのアクセス構成を含み、前記第１のノードの前記アクセス構成が第２のメッセージに含まれる、請求項３４又は３５に記載のユーザ機器。
【請求項３８】
前記アクセスユニットが、前記第５のメッセージ及び前記第１のノード情報に応じて、下記の
前記第５のメッセージに応じて当該ユーザ機器がページングされること、又はページングされてネットワークにアクセスすること、又はページングされてＲＲＣ接続を確立することを判定する、かつ
前記第２のメッセージに含まれる前記第１のノードの前記アクセス構成に応じて前記第１のノードにアクセスする
方式で前記第１のノードにアクセスするように構成される、請求項３７に記載のユーザ機器。
【請求項３９】
前記アクセスユニットが、前記第５のメッセージ及び前記第１のノード情報に応じて、下記の
前記第５のメッセージに含まれる前記第１のノードセルの前記識別子又は前記第１のノードの前記識別子に応じて、当該ユーザ機器がアクセスする必要があるノードが、前記第１のノードセルの前記識別子又は前記第１のノードの前記識別子に対応する前記第１のノードであることを判定する、かつ
前記第２のメッセージに含まれる前記第１のノードの前記アクセス構成に応じて前記第１のノードにアクセスする
方式で前記第１のノードにアクセスするように構成される、請求項３７に記載のユーザ機器。
【請求項４０】
前記アクセスユニットが、前記第５のメッセージ及び前記第１のノード情報に応じて、下記の
前記第５のメッセージに応じて、当該ユーザ機器がページングされること、又はページングされてネットワークにアクセスすること、又はページングされてＲＲＣ接続を確立することを判定する、
前記第１のノードの前記アクセス構成を含む前記第２のメッセージを受信する、かつ
前記第２のメッセージに含まれる前記第１のノードの前記アクセス構成に応じて前記第１のノードにアクセスする
方式で前記第１のノードにアクセスするように構成される、請求項３７に記載のユーザ機器。
【請求項４１】
前記第２のメッセージが前記第５のメッセージである、請求項３５又は３７に記載のユーザ機器。
【請求項４２】
前記第５のメッセージがページングメッセージである、請求項３３から４１のいずれか一項に記載のユーザ機器。
【請求項４３】
前記第２のメッセージが当該ユーザ機器へ、前記第１のノード、前記第２のノード、又は第３のノードによって送信される、請求項３５又は３７に記載のユーザ機器。
【請求項４４】
当該ユーザ機器が、前記第２のノードに対応する第２のノードセルにとどまる、請求項３３から４３のいずれか一項に記載のユーザ機器。
【請求項４５】
当該ユーザ機器がページングメッセージを前記第２のノードに対応する第２のノードセルからのみ受信するか、又は
当該ユーザ機器がページングメッセージを前記第２のノードに対応する前記第２のノードセル内で受信し、また当該ユーザ機器がページングメッセージを第１のノードセル内で受信し、
当該ユーザ機器によって前記第１のノードセル内で受信される前記ページングメッセージが、下記の
第１の地震津波警報システムＥＴＷＳ関連通報及び／又は第２のＥＴＷＳ関連通報を通知するために使用されるページングメッセージ、又は
商業モバイル警報サービスＣＭＡＳ通報を知らせるために使用されるページングメッセージ、のうちの少なくとも１つを含む、請求項３３から４４のいずれか一項に記載のユーザ機器。
【請求項４６】
当該ユーザ機器が第１のノードセルのシステムメッセージを受信するか、かつ／又は
当該ユーザ機器が前記第１のノードセルを測定する、請求項３３、４４、又は４５に記載のユーザ機器。
【請求項４７】
メッセージ処理方法であって、
第２のノードにより、第１のメッセージを判定するステップであって、前記第１のメッセージが、第１のノードセルのシステムメッセージを受信するようにユーザ機器に指示するために使用されるか、又は第１のノードセルのシステムメッセージが更新されていることを示すために使用される、ステップと、
前記第２のノードにより、前記第１のメッセージを前記ユーザ機器へ送信するステップと
を含む、方法。
【請求項４８】
前記第１のメッセージが、下記の
前記第１のノードセルのページング構成パラメータ、第１のノードの識別子、前記第１のノードセルの識別子、前記第１のノードセルのシステムメッセージインジケータ、前記第１のノードセルのシステムメッセージコンテンツ、又は前記第１のノードセルの更新されたシステムメッセージコンテンツ、のうちの少なくとも１つを含む、請求項４７に記載の方法。
【請求項４９】
前記第１のメッセージが、構成メッセージ、ページングメッセージ、又はシステムメッセージである、請求項４７又は４８に記載の方法。
【請求項５０】
前記第１のメッセージがページングメッセージであり、前記ページングメッセージが、下記の
第１のノードの識別子、前記第１のノードセルの識別子、又は前記第１のノードセルのシステムメッセージインジケータ、のうちの少なくとも１つを含む、請求項４７に記載の方法。
【請求項５１】
前記第１のメッセージがページングメッセージであり、
前記第２のノードにより、前記第１のメッセージを前記ユーザ機器へ送信する前記ステップの前に、当該方法がさらに、
前記第２のノードにより、第４のメッセージを前記ユーザ機器へ送信するステップを含み、前記第４のメッセージがページング構成パラメータを含む、請求項４７から５０のいずれか一項に記載の方法。
【請求項５２】
前記第１のメッセージが構成メッセージ又はシステムメッセージであり、前記構成メッセージ又は前記システムメッセージが前記第１のノードセルのページング構成パラメータを含む、請求項４７に記載の方法。
【請求項５３】
前記第１のメッセージがさらに、
第２のノードセルのシステムメッセージが更新されていることを示すために使用されるか、又は第２のノードセルのシステムメッセージを受信するように前記ユーザ機器に指示するために使用される、請求項４７に記載の方法。
【請求項５４】
第２のノードにより、第１のメッセージを判定する前記ステップの前に、当該方法がさらに、
前記第２のノードにより、第１のノードによって送信された第３のメッセージを受信するステップを含み、前記第３のメッセージが、前記第１のノードセルの前記システムメッセージが更新されていることを示すために使用されるか、又は前記第１のノードセルの前記システムメッセージを受信するように前記ユーザ機器に指示するために使用される、請求項４７から５３のいずれか一項に記載の方法。
【請求項５５】
前記第３のメッセージが、前記第１のノードセルのページング構成パラメータ、前記第１のノードの識別子、前記第１のノードセルの識別子、前記第１のノードセルのシステムメッセージインジケータ、前記第１のノードセルのシステムメッセージコンテンツ、又は前記第１のノードセルの更新されたシステムメッセージコンテンツ、のうちの少なくとも１つを含む、請求項５４に記載の方法。
【請求項５６】
前記ユーザ機器が、前記第２のノードに対応する第２のノードセルにとどまる、請求項４７から５５のいずれか一項に記載の方法。
【請求項５７】
前記ユーザ機器がページングメッセージを前記第２のノードに対応する第２のノードセルからのみ受信するか、又は
前記ユーザ機器がページングメッセージを前記第２のノードに対応する前記第２のノードセル内で受信し、また前記ユーザ機器がページングメッセージを前記第１のノードセル内で受信し、
前記ユーザ機器によって前記第１のノードセル内で受信される前記ページングメッセージが、下記の
第１の地震津波警報システムＥＴＷＳ関連通報及び／又は第２のＥＴＷＳ関連通報を通知するために使用されるページングメッセージ、又は
商業モバイル警報サービスＣＭＡＳ通報を知らせるために使用されるページングメッセージ、のうちの少なくとも１つを含む、請求項４７から５６のいずれか一項に記載の方法。
【請求項５８】
前記ユーザ機器が前記第１のノードセルの前記システムメッセージを受信するか、かつ／又は
前記ユーザ機器が前記第１のノードセルを測定する、請求項４７、５６、又は５７に記載の方法。
【請求項５９】
メッセージ処理方法であって、
第２のノードにより、第１のノード情報及び第５のメッセージを判定するステップであって、前記第５のメッセージが、ユーザ機器をページングするために使用されるか、又はネットワークにアクセスするように前記ユーザ機器に指示するために使用されるか、又は無線リソース制御ＲＲＣ接続を確立するように前記ユーザ機器に指示するために使用され、また前記第１のノード情報が、第１のノードについての情報を前記ユーザ機器に提供するために使用される、ステップと、
前記第２のノードにより、前記第１のノード情報及び前記第５のメッセージを前記ユーザ機器へ送信するステップと
を含む、方法。
【請求項６０】
前記第１のノード情報が、第１のノードセルの識別子、前記第１のノードの識別子、第１のノードセルのアクセス構成、前記第１のノードのＲＲＣ構成、前記第１のノードのパケットデータコンバージェンスプロトコルＰＤＣＰ構成、前記第１のノードの無線リンク制御ＲＬＣ層プロトコル構成、前記第１のノードのメディアアクセス制御ＭＡＣ構成、又は前記第１のノードの物理層構成、のうちの少なくとも１つを含む、請求項５９に記載の方法。
【請求項６１】
前記第１のノード情報が、第１のノードセルの識別子、又は前記第１のノードの識別子を含み、また前記第１のノード情報が第２のメッセージに含まれる、請求項５９に記載の方法。
【請求項６２】
前記第１のノード情報が前記第１のノードのアクセス構成を含み、前記第１のノードの前記アクセス構成が、前記第２のノードにより前記ユーザ機器へ送信される第２のメッセージに含まれる、請求項５９又は６１に記載の方法。
【請求項６３】
前記第２のメッセージが前記第５のメッセージである、請求項６１又は６２に記載の方法。
【請求項６４】
前記第５のメッセージがページングメッセージである、請求項５９から６３のいずれか一項に記載の方法。
【請求項６５】
前記第２のメッセージが、
無線リソース制御ＲＲＣ接続再構成メッセージ又はシステムメッセージを含む、請求項６１又は６２に記載の方法。
【請求項６６】
前記ユーザ機器が、前記第２のノードに対応する第２のノードセルにとどまる、請求項５９から６５のいずれか一項に記載の方法。
【請求項６７】
前記ユーザ機器がページングメッセージを前記第２のノードに対応する第２のノードセルからのみ受信するか、又は
前記ユーザ機器がページングメッセージを前記第２のノードに対応する前記第２のノードセル内で受信し、また前記ユーザ機器がページングメッセージを第１のノードセル内で受信し、
前記ユーザ機器によって前記第１のノードセル内で受信される前記ページングメッセージが、下記の
第１の地震津波警報システムＥＴＷＳ関連通報及び／又は第２のＥＴＷＳ関連通報を通知するために使用されるページングメッセージ、又は
商業モバイル警報サービスＣＭＡＳ通報を知らせるために使用されるページングメッセージ、のうちの少なくとも１つを含む、請求項５９から６６のいずれか一項に記載の方法。
【請求項６８】
前記ユーザ機器が第１のノードセルのシステムメッセージを受信するか、かつ／又は
前記ユーザ機器が前記第１のノードセルを測定する、請求項５９、６６、又は６７に記載の方法。
【請求項６９】
メッセージ処理方法であって、
ユーザ機器により、第２のノードによって送信された第１のメッセージを受信するステップであって、前記第１のメッセージが、第１のノードセルのシステムメッセージを受信するように前記ユーザ機器に指示するために使用される、ステップと、
前記ユーザ機器により、前記第１のノードセルの前記システムメッセージを前記第１のメッセージに応じて受信するステップとを含むか、又は
ユーザ機器により、第２のノードによって送信された第１のメッセージを受信するステップであって、前記第１のメッセージが、第１のノードセルの更新されたシステムメッセージを受信するように前記ユーザ機器に指示するために使用される、ステップと、
前記ユーザ機器により、前記第１のノードセルの前記更新されたシステムメッセージを前記第１のメッセージに応じて受信するステップとを含む、方法。
【請求項７０】
前記第１のメッセージが、前記第１のノードセルのページング構成パラメータ、第１のノードの識別子、前記第１のノードセルの識別子、前記第１のノードセルのシステムメッセージインジケータ、前記第１のノードセルのシステムメッセージコンテンツ、又は前記第１のノードセルの更新されたシステムメッセージコンテンツ、のうちの少なくとも１つを含む、請求項６９に記載の方法。
【請求項７１】
前記第１のメッセージが、構成メッセージ、ページングメッセージ、又はシステムメッセージである、請求項６９又は７０に記載の方法。
【請求項７２】
前記第１のメッセージがページングメッセージであり、前記ページングメッセージが下記の、第１のノードの識別子、前記第１のノードセルの識別子、又は前記第１のノードセルのシステムメッセージインジケータ、のうちの少なくとも１つを含み、
前記ユーザ機器が、前記第１のノードセルの前記システムメッセージ又は前記第１のノードセルの前記更新されたシステムメッセージを前記第１のノードセル内で、前記ページングメッセージに応じて受信する、請求項６９に記載の方法。
【請求項７３】
前記第１のメッセージがページングメッセージであり、
前記ユーザ機器により、前記第１のメッセージに応じて、前記第１のノードセルの前記システムメッセージを受信するか、又は前記第１のノードセルの前記更新されたシステムメッセージを受信する前に、当該方法がさらに、
前記ユーザ機器により、前記前記第２のノードによって送信された第４のメッセージを受信するステップであって、前記第４のメッセージが前記第１のノードセルのページング構成パラメータを含む、ステップと、
ページング時間を前記第１のノードセルの前記ページング構成パラメータに応じて判定するステップと、
前記ユーザ機器により、ページングメッセージを第２のノードセル内で、前記ページング時間内に受信するステップであって、前記ページングメッセージが、第１のノードのシステムメッセージが更新されていることを示すために使用されるか、又は前記第１のノードセルの前記システムメッセージを受信するように前記ユーザ機器に指示するために使用される、ステップとを含む、請求項６９から７２のいずれか一項に記載の方法。
【請求項７４】
前記第１のメッセージが構成メッセージ又はシステムメッセージであり、前記構成メッセージ又は前記システムメッセージが、前記第１のノードセルのページング構成パラメータを含み、
前記ユーザ機器により、前記第１のメッセージに応じて、前記第１のノードセルの前記システムメッセージを受信するか、又は前記第１のノードセルの前記更新されたシステムメッセージを受信する前に、当該方法がさらに、
ページング時間を前記第１のノードセルの前記ページング構成パラメータに応じて判定するステップと、
前記ユーザ機器により、ページングメッセージを第１のノードセル内で、前記ページング時間内に受信するステップであって、前記ページングメッセージが、第１のノードのシステムメッセージが更新されていることを示すために使用されるか、又は前記第１のノードセルの前記システムメッセージを受信するように前記ユーザ機器に指示するために使用される、ステップとを含む、請求項６９に記載の方法。
【請求項７５】
当該方法がさらに、
前記ユーザ機器により、第２のノードセルの更新されたシステムメッセージ又は前記第２のノードセルのシステムメッセージを前記第２のノードセル内で、前記第１のメッセージに応じて受信するステップを含む、請求項６９から７４のいずれか一項に記載の方法。
【請求項７６】
前記ユーザ機器が、前記第２のノードに対応する第２のノードセルにとどまる、請求項６９から７５のいずれか一項に記載の方法。
【請求項７７】
前記ユーザ機器がページングメッセージを前記第２のノードに対応する第２のノードセルからのみ受信するか、又は
前記ユーザ機器がページングメッセージを前記第２のノードに対応する前記第２のノードセル内で受信し、また前記ユーザ機器がページングメッセージを前記第１のノードセル内で受信し、
前記ユーザ機器によって前記第１のノードセル内で受信される前記ページングメッセージが、下記の
第１の地震津波警報システムＥＴＷＳ関連通報及び／又は第２のＥＴＷＳ関連通報を通知するために使用されるページングメッセージ、又は
商業モバイル警報サービスＣＭＡＳ通報を知らせるために使用されるページングメッセージ、のうちの少なくとも１つを含む、請求項６９から７６のいずれか一項に記載の方法。
【請求項７８】
前記ユーザ機器が前記第１のノードセルの前記システムメッセージを受信するか、かつ／又は
前記ユーザ機器が前記第１のノードセルを測定する、請求項６９、７６、又は７７に記載の方法。
【請求項７９】
メッセージ処理方法であって、
ユーザ機器により、第２のノードによって送信された第５のメッセージと、第１のノード情報とを受信するステップであって、前記第５のメッセージが、前記ユーザ機器をページングするために使用されるか、又はネットワークにアクセスするように前記ユーザ機器に指示するために使用されるか、又は無線リソース制御ＲＲＣ接続を確立するように前記ユーザ機器に指示するために使用され、前記第１のノード情報が、第１のノードについての情報を前記ユーザ機器に提供するために使用される、ステップと、
前記ユーザ機器により、前記第１のノード情報及び前記第５のメッセージに応じて前記第１のノードにアクセスするステップと
を含む、方法。
【請求項８０】
前記第１のノード情報が、第１のノードセルの識別子、前記第１のノードの識別子、前記第１のノードのアクセス構成、前記第１のノードのＲＲＣ構成、前記第１のノードのパケットデータコンバージェンスプロトコルＰＤＣＰ構成、前記第１のノードの無線リンク制御ＲＬＣ層プロトコル構成、前記第１のノードのメディアアクセス制御ＭＡＣ構成、又は前記第１のノードの物理層構成、のうちの少なくとも１つを含む、請求項７９に記載の方法。
【請求項８１】
前記第１のノード情報が、第１のノードセルの識別子、又は前記第１のノードの識別子を含み、また前記第１のノード情報が第２のメッセージに含まれる、請求項７９に記載の方法。
【請求項８２】
前記ユーザ機器により、前記第５のメッセージ及び前記第１のノード情報に応じて前記第１のノードにアクセスする前記ステップが、
前記ユーザ機器により、前記第１のノードセルを、前記第５のメッセージに含まれる前記第１のノードの前記識別子又は前記第１のノードセルの前記識別子に応じて判定するステップと、
前記ユーザ機器により、前記第１のノードセルのシステムメッセージを前記第１のノードセル内でリッスンするステップと、
前記ユーザ機器により、前記第１のノードのアクセス構成を、前記第１のノードセルの前記受信されたシステムメッセージに応じて取得するステップと、
前記ユーザ機器により、前記第１のノードの前記取得されたアクセス構成に応じて前記第１のノードにアクセスするステップとを含む、請求項８１に記載の方法。
【請求項８３】
前記第１のノード情報が前記第１のノードのアクセス構成を含み、前記第１のノードの前記アクセス構成が第２のメッセージに含まれる、請求項８０又は８１に記載の方法。
【請求項８４】
前記ユーザ機器により、前記第５のメッセージ及び前記第１のノード情報に応じて前記第１のノードにアクセスする前記ステップが、
前記ユーザ機器により、前記第５のメッセージに応じて、前記ユーザ機器がページングされること、又はページングされてネットワークにアクセスすること、又はページングされてＲＲＣ接続を確立することを判定するステップと、
前記ユーザ機器により、前記第２のメッセージに含まれる前記第１のノードの前記アクセス構成に応じて前記第１のノードにアクセスするステップとを含む、請求項８３に記載の方法。
【請求項８５】
前記ユーザ機器により、前記第５のメッセージ及び前記第１のノード情報に応じて前記第１のノードにアクセスする前記ステップが、
前記ユーザ機器により、前記第５のメッセージに含まれる前記第１のノードセルの前記識別子又は前記第１のノードの前記識別子に応じて、前記ユーザ機器がアクセスする必要のあるノードが前記第１のノードセルの前記識別子又は前記第１のノードの前記識別子に対応する前記第１のノードであることを判定するステップと、
前記ユーザ機器により、前記第２のメッセージに含まれる前記第１のノードの前記アクセス構成に応じて前記第１のノードにアクセスするステップとを含む、請求項８３に記載の方法。
【請求項８６】
前記ユーザ機器により、前記第５のメッセージ及び前記第１のノード情報に応じて前記第１のノードにアクセスする前記ステップが、
前記ユーザ機器により、前記第５のメッセージに応じて、前記ユーザ機器がページングされること、又はページングされてネットワークにアクセスすること、又はページングされてＲＲＣ接続を確立することを判定するステップと、
前記ユーザ機器により、前記第２のノードによって送信された前記第２のメッセージを受信するステップであって、前記第２のメッセージが前記第１のノードの前記アクセス構成を含む、ステップと、
前記ユーザ機器により、前記第２のメッセージに含まれる前記第１のノードの前記アクセス構成に応じて前記第１のノードにアクセスするステップとを含む、請求項８３に記載の方法。
【請求項８７】
前記第２のメッセージが前記第５のメッセージである、請求項８１又は８３に記載の方法。
【請求項８８】
前記第５のメッセージがページングメッセージである、請求項７９から８７のいずれか一項に記載の方法。
【請求項８９】
前記第２のメッセージが前記ユーザ機器へ、前記第１のノード、前記第２のノード、又は第３のノードによって送信される、請求項８１又は８３に記載の方法。
【請求項９０】
前記ユーザ機器が、前記第２のノードに対応する第２のノードセルにとどまる、請求項７９から８９のいずれか一項に記載の方法。
【請求項９１】
前記ユーザ機器がページングメッセージを前記第２のノードに対応する第２のノードセルからのみ受信するか、又は
前記ユーザ機器がページングメッセージを前記第２のノードに対応する前記第２のノードセル内で受信し、また前記ユーザ機器がページングメッセージを第１のノードセル内で受信し、
前記ユーザ機器によって前記第１のノードセル内で受信される前記ページングメッセージが、下記の
第１の地震津波警報システムＥＴＷＳ関連通報及び／又は第２のＥＴＷＳ関連通報を通知するために使用されるページングメッセージ、又は
商業モバイル警報サービスＣＭＡＳ通報を知らせるために使用されるページングメッセージ、のうちの少なくとも１つを含む、請求項７９から９０のいずれか一項に記載の方法。
【請求項９２】
前記ユーザ機器が第１のノードセルのシステムメッセージを受信するか、かつ／又は
前記ユーザ機器が前記第１のノードセルを測定する、請求項７９、９０、又は９１に記載の方法。
【請求項９３】
コンピュータ記憶媒体であって、プログラムを記憶することができ、前記プログラムが実行される場合に、請求項４７から９２のいずれか一項に記載の方法のうちの一部又は全部のステップが実施されることができるコンピュータ記憶媒体。
【手続補正２】
【補正対象書類名】明細書
【補正対象項目名】０００２
【補正方法】変更
【補正の内容】
【０００２】
ロングタームエボリューション（ＬＴＥ）技術の持続的な発展により、基地局間の協調サービスは、多様な異なるサービス要件を満たすように見受けられる。
【手続補正３】
【補正対象書類名】明細書
【補正対象項目名】０００３
【補正方法】変更
【補正の内容】
【０００３】
新規ネットワーク配置としての異種ネットワーク（ＨｅｔＮｅｔ）配置が、次世代先進無線ネットワークに徐々に導入されている。ＨｅｔＮｅｔでは、いくつかの低出力ノードが、マクロセルが属するマクロ基地局のカバレッジ内又はカバレッジの縁に配置され、これら低出力ノードのカバレッジは、マクロ基地局のカバレッジよりも小さい。低出力ノードとは、たとえば、遠隔無線ヘッド（ＲＲＨ）、小型基地局（Ｐｉｃｏ  ｅＮｏｄｅＢ（Ｐｉｃｏ  ｅＮＢ））、ホーム基地局（Ｈｏｍｅ  ｅＮｏｄｅＢ（Ｈ  ｅＮＢ））、中継装置（ｒｅｌａｙ  ｎｏｄｅ（ＲＮ））、アクセスポイント（ＡＰ）、又は端末のことである。これらの低出力ノードのカバレッジは、マクロ基地局のカバレッジよりも小さいので、低出力局はまた、異種ネットワーク内のミニ基地局又はマイクロ基地局と呼ばれることもある。ＨｅｔＮｅｔでは、マイクロ基地局とマクロ基地局は、共同でユーザ機器（ＵＥ）向けのサービスを提供することができる。
【手続補正４】
【補正対象書類名】明細書
【補正対象項目名】０００４
【補正方法】変更
【補正の内容】
【０００４】
マイクロ基地局もマクロ基地局も配置される異種ネットワーク内では、ＵＥがマイクロ基地局に存在する可能性が非常に高い。２つ以上のマイクロ基地局がトラッキングエリア（ＴＡ）内にある。アイドル状態のＵＥをページングするには、全トラッキングエリア（ＴＡ）内のすべてのマクロ基地局及びマイクロ基地局がページングメッセージを送信する必要がある。したがって、大量のメッセージがエアインタフェースを介して送信される必要があり、結果としてエアインタフェースリソースの浪費をもたらし、またネットワーク負荷が増大する。
【手続補正５】
【補正対象書類名】明細書
【補正対象項目名】００１６
【補正方法】変更
【補正の内容】
【００１６】
第１の態様、又は第１の態様の第１の実現方式から第１の態様の第９の実現方式までのいずれか１つに関連して、第１０の実現方式では、ユーザ機器はページングメッセージをノード装置に対応する第２のノードセルからのみ受信するか、又は
ユーザ機器はページングメッセージをノード装置に対応する第２のノードセル内で受信し、またユーザ機器はページングメッセージを第１のノードセル内で受信し、
ユーザ機器によって第１のノードセル内で受信されるこのページングメッセージは、下記の
第１の地震津波警報システム（ＥＴＷＳ）関連通報及び／又は第２のＥＴＷＳ関連通報を通知するために使用されるページングメッセージ、又は
商業モバイル警報サービス（ＣＭＡＳ）通報を知らせるために使用されるページングメッセージ、のうちの少なくとも１つを含む。
【手続補正６】
【補正対象書類名】明細書
【補正対象項目名】００１８
【補正方法】変更
【補正の内容】
【００１８】
第２の態様によれば、ノード装置が、送信機、メモリ、及びプロセッサを含めて提供され、
メモリは、プロセッサにより実行されるプログラムコードを記憶するように構成され、
プロセッサは、メモリに記憶されたプログラムを呼び出して、第１のノード情報及び第５のメッセージを判定すると共に、送信機を制御して第１のノード情報及び第５のメッセージをユーザ機器へ送信するように構成される。この第５のメッセージは、ユーザ機器をページングするために使用されるか、又はネットワークにアクセスするようにユーザ機器に指示するために使用されるか、又は無線リソース制御（ＲＲＣ）接続を確立するようにユーザ機器に指示するために使用され、また第１のノード情報は、第１のノードについての情報をユーザ機器に提供するために使用される。
【手続補正７】
【補正対象書類名】明細書
【補正対象項目名】００１９
【補正方法】変更
【補正の内容】
【００１９】
第２の態様に関連して、第１の実現方式では、第１のノード情報は、第１のノードセルの識別子、第１のノードの識別子、第１のノードセルのアクセス構成、第１のノードのＲＲＣ構成、第１のノードのパケットデータコンバージェンスプロトコル（ＰＤＣＰ）構成、第１のノードの無線リンク制御（ＲＬＣ）層プロトコル構成、第１のノードのメディアアクセス制御（ＭＡＣ）構成、又は第１のノードの物理層構成、のうちの少なくとも１つを含む。
【手続補正８】
【補正対象書類名】明細書
【補正対象項目名】００２４
【補正方法】変更
【補正の内容】
【００２４】
第２の態様の第２の実現方式、又は第２の態様の第３の実現方式に関連して、第６の実現方式では、第２のメッセージは、
無線リソース制御（ＲＲＣ）接続再構成メッセージ又はシステムメッセージを含む。
【手続補正９】
【補正対象書類名】明細書
【補正対象項目名】００２６
【補正方法】変更
【補正の内容】
【００２６】
第２の態様、又は第２の態様の第１の実現方式から第２の態様の第７の実現方式までのいずれか１つに関連して、第８の実現方式では、ユーザ機器はページングメッセージをノード装置に対応する第２のノードセルからのみ受信するか、又は
ユーザ機器はページングメッセージをノード装置に対応する第２のノードセル内で受信し、またユーザ機器はページングメッセージを第１のノードセル内で受信し、
ユーザ機器によって第１のノードセル内で受信されるこのページングメッセージは、下記の
第１の地震津波警報システム（ＥＴＷＳ）関連通報及び／又は第２のＥＴＷＳ関連通報を通知するために使用されるページングメッセージ、又は
商業モバイル警報サービス（ＣＭＡＳ）通報を知らせるために使用されるページングメッセージ、のうちの少なくとも１つを含む。
【手続補正１０】
【補正対象書類名】明細書
【補正対象項目名】００３６
【補正方法】変更
【補正の内容】
【００３６】
第３の態様、又は第３の態様の第１の実現方式から第３の態様の第７の実現方式までのいずれか１つに関連して、第８の実現方式では、ユーザ機器はページングメッセージを第２のノードに対応する第２のノードセルからのみ受信するか、又は
ユーザ機器はページングメッセージを第２のノードに対応する第２のノードセル内で受信し、またユーザ機器はページングメッセージを第１のノードセル内で受信し、
ユーザ機器によって第１のノードセル内で受信されるこのページングメッセージは、下記の
第１の地震津波警報システム（ＥＴＷＳ）関連通報及び／又は第２のＥＴＷＳ関連通報を通知するために使用されるページングメッセージ、又は
商業モバイル警報サービス（ＣＭＡＳ）通報を知らせるために使用されるページングメッセージ、のうちの少なくとも１つを含む。
【手続補正１１】
【補正対象書類名】明細書
【補正対象項目名】００３８
【補正方法】変更
【補正の内容】
【００３８】
第４の態様によれば、ユーザ機器が、受信機、メモリ、及びプロセッサを含めて提供され、
メモリは、プロセッサにより実行されるプログラムコードを記憶するように構成され、
プロセッサは、メモリに記憶されたプログラムを呼び出して、受信機を使用することにより、第２のノードによって送信された第５のメッセージと、第１のノード情報とを受信するように、かつ、ユーザ機器を制御して、第１のノード情報及び第５のメッセージに応じて第１のノードにアクセスするように構成される。第５のメッセージは、ユーザ機器をページングするために使用されるか、又はネットワークにアクセスするようにユーザ機器に指示するために使用されるか、又は無線リソース制御（ＲＲＣ）接続を確立するようにユーザ機器に指示するために使用され、第１のノード情報は、第１のノードについての情報をユーザ機器に提供するために使用される。
【手続補正１２】
【補正対象書類名】明細書
【補正対象項目名】００３９
【補正方法】変更
【補正の内容】
【００３９】
第４の態様に関連して、第１の実現方式では、第１のノード情報は、第１のノードセルの識別子、第１のノードの識別子、第１のノードセルのアクセス構成、第１のノードのＲＲＣ構成、第１のノードのパケットデータコンバージェンスプロトコル（ＰＤＣＰ）構成、第１のノードの無線リンク制御（ＲＬＣ）層プロトコル構成、第１のノードのメディアアクセス制御（ＭＡＣ）構成、又は第１のノードの物理層構成、のうちの少なくとも１つを含む。
【手続補正１３】
【補正対象書類名】明細書
【補正対象項目名】００５０
【補正方法】変更
【補正の内容】
【００５０】
第４の態様、又は第４の態様の第１の実現方式から第４の態様の第１１の実現方式までのいずれか１つに関連して、第１２の実現方式では、
ユーザ機器はページングメッセージを第２のノードに対応する第２のノードセルからのみ受信するか、又は
ユーザ機器はページングメッセージを第２のノードに対応する第２のノードセル内で受信し、またユーザ機器はページングメッセージを第１のノードセル内で受信し、
ユーザ機器によって第１のノードセル内で受信されるこのページングメッセージは、下記の
第１の地震津波警報システム（ＥＴＷＳ）関連通報及び／又は第２のＥＴＷＳ関連通報を通知するために使用されるページングメッセージ、又は
商業モバイル警報サービス（ＣＭＡＳ）通報を知らせるために使用されるページングメッセージ、のうちの少なくとも１つを含む。
【手続補正１４】
【補正対象書類名】明細書
【補正対象項目名】００６２
【補正方法】変更
【補正の内容】
【００６２】
第５の態様、又は第５の態様の第１の実現方式から第５の態様の第９の実現方式までのいずれか１つに関連して、第１０の実現方式では、
ユーザ機器はページングメッセージをノード装置に対応する第２のノードセルからのみ受信するか、又は
ユーザ機器はページングメッセージをノード装置に対応する第２のノードセル内で受信し、またユーザ機器はページングメッセージを第１のノードセル内で受信し、
ユーザ機器によって第１のノードセル内で受信されるこのページングメッセージは、下記の
第１の地震津波警報システム（ＥＴＷＳ）関連通報及び／又は第２のＥＴＷＳ関連通報を通知するために使用されるページングメッセージ、又は
商業モバイル警報サービス（ＣＭＡＳ）通報を知らせるために使用されるページングメッセージ、のうちの少なくとも１つを含む。
【手続補正１５】
【補正対象書類名】明細書
【補正対象項目名】００６４
【補正方法】変更
【補正の内容】
【００６４】
第６の態様によれば、ノード装置が提供され、これは、
第１のノード情報及び第５のメッセージを判定するように構成された判定ユニットであって、この第５のメッセージが、ユーザ機器をページングするために使用されるか、又はネットワークにアクセスするようにユーザ機器に指示するために使用されるか、又は無線リソース制御（ＲＲＣ）接続を確立するようにユーザ機器に指示するために使用され、また第１のノード情報が、第１のノードについての情報をユーザ機器に提供するために使用される、判定ユニットと、
判定ユニットによって判定された第１のノード情報及び第５のメッセージをユーザ機器へ送信するように構成された送信ユニットと
を含む。
【手続補正１６】
【補正対象書類名】明細書
【補正対象項目名】００６５
【補正方法】変更
【補正の内容】
【００６５】
第６の態様に関連して、第１の実現方式では、第１のノード情報は、第１のノードセルの識別子、第１のノードの識別子、第１のノードセルのアクセス構成、第１のノードのＲＲＣ構成、第１のノードのパケットデータコンバージェンスプロトコル（ＰＤＣＰ）構成、第１のノードの無線リンク制御（ＲＬＣ）層プロトコル構成、第１のノードのメディアアクセス制御（ＭＡＣ）構成、又は第１のノードの物理層構成、のうちの少なくとも１つを含む。
【手続補正１７】
【補正対象書類名】明細書
【補正対象項目名】００７０
【補正方法】変更
【補正の内容】
【００７０】
第６の態様の第２の実現方式、又は第６の態様の第３の実現方式に関連して、第６の実現方式では、第２のメッセージは、
無線リソース制御（ＲＲＣ）接続再構成メッセージ又はシステムメッセージを含む。
【手続補正１８】
【補正対象書類名】明細書
【補正対象項目名】００７２
【補正方法】変更
【補正の内容】
【００７２】
第６の態様、又は第６の態様の第１の実現方式から第６の態様の第７の実現方式までのいずれか１つに関連して、第８の実現方式では、ユーザ機器はページングメッセージをノード装置に対応する第２のノードセルからのみ受信するか、又は
ユーザ機器はページングメッセージをノード装置に対応する第２のノードセル内で受信し、またユーザ機器はページングメッセージを第１のノードセル内で受信し、
ユーザ機器によって第１のノードセル内で受信されるこのページングメッセージは、下記の
第１の地震津波警報システム（ＥＴＷＳ）関連通報及び／又は第２のＥＴＷＳ関連通報を通知するために使用されるページングメッセージ、又は
商業モバイル警報サービス（ＣＭＡＳ）通報を知らせるために使用されるページングメッセージ、のうちの少なくとも１つを含む。
【手続補正１９】
【補正対象書類名】明細書
【補正対象項目名】００８２
【補正方法】変更
【補正の内容】
【００８２】
第７の態様、又は第７の態様の第１の実現方式から第７の態様の第７の実現方式までのいずれか１つに関連して、第８の実現方式では、ユーザ機器はページングメッセージを第２のノードに対応する第２のノードセルからのみ受信するか、又は
ユーザ機器はページングメッセージを第２のノードに対応する第２のノードセル内で受信し、またユーザ機器はページングメッセージを第１のノードセル内で受信し、
ユーザ機器によって第１のノードセル内で受信されるこのページングメッセージは、下記の
第１の地震津波警報システム（ＥＴＷＳ）関連通報及び／又は第２のＥＴＷＳ関連通報を通知するために使用されるページングメッセージ、又は
商業モバイル警報サービス（ＣＭＡＳ）通報を知らせるために使用されるページングメッセージ、のうちの少なくとも１つを含む。
【手続補正２０】
【補正対象書類名】明細書
【補正対象項目名】００８４
【補正方法】変更
【補正の内容】
【００８４】
第８の態様によれば、ユーザ機器が提供され、これは、
第２のノードによって送信された第５のメッセージと、第１のノード情報とを受信するように構成された受信ユニットであって、この第５のメッセージが、ユーザ機器をページングするために使用されるか、又はネットワークにアクセスするようにユーザ機器に指示するために使用されるか、又は無線リソース制御（ＲＲＣ）接続を確立するようにユーザ機器に指示するために使用され、第１のノード情報が、第１のノードについての情報をユーザ機器に提供するために使用される、受信ユニットと、
受信ユニットで受信された第１のノード情報及び第５のメッセージに応じて第１のノードにアクセスするように構成されたアクセスユニットと
を含む。
【手続補正２１】
【補正対象書類名】明細書
【補正対象項目名】００８５
【補正方法】変更
【補正の内容】
【００８５】
第８の態様に関連して、第１の実現方式では、第１のノード情報は、第１のノードセルの識別子、第１のノードの識別子、第１のノードのアクセス構成、第１のノードのＲＲＣ構成、第１のノードのパケットデータコンバージェンスプロトコル（ＰＤＣＰ）構成、第１のノードの無線リンク制御（ＲＬＣ）層プロトコル構成、第１のノードのメディアアクセス制御（ＭＡＣ）構成、又は第１のノードの物理層構成、のうちの少なくとも１つを含む。
【手続補正２２】
【補正対象書類名】明細書
【補正対象項目名】００９６
【補正方法】変更
【補正の内容】
【００９６】
第８の態様、又は第８の態様の第１の実現方式から第８の態様の第１１の実現方式までのいずれか１つに関連して、第１２の実現方式では、
ユーザ機器はページングメッセージを第２のノードに対応する第２のノードセルからのみ受信するか、又は
ユーザ機器はページングメッセージを第２のノードに対応する第２のノードセル内で受信し、またユーザ機器はページングメッセージを第１のノードセル内で受信し、
ユーザ機器によって第１のノードセル内で受信されるこのページングメッセージは、下記の
第１の地震津波警報システム（ＥＴＷＳ）関連通報及び／又は第２のＥＴＷＳ関連通報を通知するために使用されるページングメッセージ、又は
商業モバイル警報サービス（ＣＭＡＳ）通報を知らせるために使用されるページングメッセージ、のうちの少なくとも１つを含む。
【手続補正２３】
【補正対象書類名】明細書
【補正対象項目名】０１０８
【補正方法】変更
【補正の内容】
【０１０８】
第９の態様、又は第９の態様の第１の実現方式から第９の態様の第９の実現方式までのいずれか１つに関連して、第１０の実現方式では、ユーザ機器はページングメッセージを第２のノードに対応する第２のノードセルからのみ受信するか、又は
ユーザ機器はページングメッセージを第２のノードに対応する第２のノードセル内で受信し、またユーザ機器はページングメッセージを第１のノードセル内で受信し、
ユーザ機器によって第１のノードセル内で受信されるこのページングメッセージは、下記の
第１の地震津波警報システム（ＥＴＷＳ）関連通報及び／又は第２のＥＴＷＳ関連通報を通知するために使用されるページングメッセージ、又は
商業モバイル警報サービス（ＣＭＡＳ）通報を知らせるために使用されるページングメッセージ、のうちの少なくとも１つを含む。
【手続補正２４】
【補正対象書類名】明細書
【補正対象項目名】０１１０
【補正方法】変更
【補正の内容】
【０１１０】
第１０の態様によれば、メッセージ処理方法が提供され、これは、
第２のノードにより、第１のノード情報及び第５のメッセージを判定するステップであって、この第５のメッセージが、ユーザ機器をページングするために使用されるか、又はネットワークにアクセスするようにユーザ機器に指示するために使用されるか、又は無線リソース制御（ＲＲＣ）接続を確立するようにユーザ機器に指示するために使用され、また第１のノード情報が、第１のノードについての情報をユーザ機器に提供するために使用される、ステップと、
第２のノードにより、第１のノード情報及び第５のメッセージをユーザ機器へ送信するステップと
を含む。
【手続補正２５】
【補正対象書類名】明細書
【補正対象項目名】０１１１
【補正方法】変更
【補正の内容】
【０１１１】
第１０の態様に関連して、第１の実現方式では、第１のノード情報は、第１のノードセルの識別子、第１のノードの識別子、第１のノードセルのアクセス構成、第１のノードのＲＲＣ構成、第１のノードのパケットデータコンバージェンスプロトコル（ＰＤＣＰ）構成、第１のノードの無線リンク制御（ＲＬＣ）層プロトコル構成、第１のノードのメディアアクセス制御（ＭＡＣ）構成、又は第１のノードの物理層構成、のうちの少なくとも１つを含む。
【手続補正２６】
【補正対象書類名】明細書
【補正対象項目名】０１１６
【補正方法】変更
【補正の内容】
【０１１６】
第１０の態様の第２の実現方式、又は第１０の態様の第３の実現方式に関連して、第６の実現方式では、第２のメッセージは、
無線リソース制御（ＲＲＣ）接続再構成メッセージ又はシステムメッセージを含む。
【手続補正２７】
【補正対象書類名】明細書
【補正対象項目名】０１１８
【補正方法】変更
【補正の内容】
【０１１８】
第１０の態様、又は第１０の態様の第１の実現方式から第１０の態様の第７の実現方式までのいずれか１つに関連して、第８の実現方式では、ユーザ機器はページングメッセージを第２のノードに対応する第２のノードセルからのみ受信するか、又は
ユーザ機器はページングメッセージを第２のノードに対応する第２のノードセル内で受信し、またユーザ機器はページングメッセージを第１のノードセル内で受信し、
ユーザ機器によって第１のノードセル内で受信されるこのページングメッセージは、下記の
第１の地震津波警報システム（ＥＴＷＳ）関連通報及び／又は第２のＥＴＷＳ関連通報を通知するために使用されるページングメッセージ、又は
商業モバイル警報サービス（ＣＭＡＳ）通報を知らせるために使用されるページングメッセージ、のうちの少なくとも１つを含む。
【手続補正２８】
【補正対象書類名】明細書
【補正対象項目名】０１２８
【補正方法】変更
【補正の内容】
【０１２８】
第１１の態様、又は第１１の態様の第１の実現方式から第１１の態様の第７の実現方式までのいずれか１つに関連して、第８の実現方式では、ユーザ機器はページングメッセージを第２のノードに対応する第２のノードセルからのみ受信するか、又は
ユーザ機器はページングメッセージを第２のノードに対応する第２のノードセル内で受信し、またユーザ機器はページングメッセージを第１のノードセル内で受信し、
ユーザ機器によって第１のノードセル内で受信されるこのページングメッセージは、下記の
第１の地震津波警報システム（ＥＴＷＳ）関連通報及び／又は第２のＥＴＷＳ関連通報を通知するために使用されるページングメッセージ、又は
商業モバイル警報サービス（ＣＭＡＳ）通報を知らせるために使用されるページングメッセージ、のうちの少なくとも１つを含む。
【手続補正２９】
【補正対象書類名】明細書
【補正対象項目名】０１３０
【補正方法】変更
【補正の内容】
【０１３０】
第１２の態様によれば、メッセージ処理方法が提供され、これは、
ユーザ機器により、第２のノードによって送信された第５のメッセージと、第１のノード情報とを受信するステップであって、この第５のメッセージが、ユーザ機器をページングするために使用されるか、又はネットワークにアクセスするようにユーザ機器に指示するために使用されるか、又は無線リソース制御（ＲＲＣ）接続を確立するようにユーザ機器に指示するために使用され、第１のノード情報が、第１のノードについての情報をユーザ機器に提供するために使用される、ステップと、
ユーザ機器により、第１のノード情報及び第５のメッセージに応じて第１のノードにアクセスするステップと
を含む。
【手続補正３０】
【補正対象書類名】明細書
【補正対象項目名】０１３１
【補正方法】変更
【補正の内容】
【０１３１】
第１２の態様に関連して、第１の実現方式では、第１のノード情報は、第１のノードセルの識別子、第１のノードの識別子、第１のノードのアクセス構成、第１のノードのＲＲＣ構成、第１のノードのパケットデータコンバージェンスプロトコル（ＰＤＣＰ）構成、第１のノードの無線リンク制御（ＲＬＣ）層プロトコル構成、第１のノードのメディアアクセス制御（ＭＡＣ）構成、又は第１のノードの物理層構成、のうちの少なくとも１つを含む。
【手続補正３１】
【補正対象書類名】明細書
【補正対象項目名】０１４２
【補正方法】変更
【補正の内容】
【０１４２】
第１２の態様、又は第１２の態様の第１の実現方式から第１２の態様の第１１の実現方式までのいずれか１つに関連して、第１２の実現方式では、
ユーザ機器はページングメッセージを第２のノードに対応する第２のノードセルからのみ受信するか、又は
ユーザ機器はページングメッセージを第２のノードに対応する第２のノードセル内で受信し、またユーザ機器はページングメッセージを第１のノードセル内で受信し、
ユーザ機器によって第１のノードセル内で受信されるこのページングメッセージは、下記の
第１の地震津波警報システム（ＥＴＷＳ）関連通報及び／又は第２のＥＴＷＳ関連通報を通知するために使用されるページングメッセージ、又は
商業モバイル警報サービス（ＣＭＡＳ）通報を知らせるために使用されるページングメッセージ、のうちの少なくとも１つを含む。
【手続補正３２】
【補正対象書類名】明細書
【補正対象項目名】０１４８
【補正方法】変更
【補正の内容】
【０１４８】
本発明の実施形態は、ＵＥが異種ネットワーク内のノードセル（たとえば、第２のノードのセルＡ）にとどまることができるようにするメッセージ処理方法、ノード装置、及びユーザ機器を提供する。ＵＥがとどまらない別のノードのセル（たとえば、第１のノードのセルＢ）では、任意選択で、ＵＥはセルを測定し、かつ／又はシステムメッセージをリッスンすることができる。ＵＥがとどまらない別のノードのセル（たとえば、第１のノードのセルＢ）では、ページングメッセージを送信する機能がサポートされず、或いはただ、第１の地震津波警報システム（ＥＴＷＳ）関連通報及び／又は第２のＥＴＷＳ関連通報を通知するために使用されるページングメッセージ、又は商業モバイル警報サービス（ＣＭＡＳ）通報を知らせるために使用されるページングメッセージだけが送信される。したがって、ＵＥに関しては、ＵＥはノードセルにとどまり、ページングメッセージ及びシステムメッセージをセル内で受信する。加えて、ＵＥがとどまらない別のノードのセル（たとえば、第２のノードセルＢ）では、特に、たとえば信号品質が良好であるセルでは、ＵＥは、このようなセル内でページングメッセージを受信できず、或いはただ、ＥＴＷＳ関連ページングメッセージ及び／又はＣＭＡＳ関連ページングメッセージだけを受信することができる。任意選択で、ＵＥはそのようなセル内で測定を行い、かつ／又はシステムメッセージを受信し、それによって、セルの信号品質を判定する。１つのネットワークがＵＥをページングしてそのネットワークにアクセスするとき、又はＵＥが１つのネットワークにアクセスする必要があるとき、ＵＥは、第２のノードセルＢを使用することによりそのネットワークにアクセスすることができる。こうして、一方でＵＥは、第２のノードセルＡを使用することにより、ネットワークがＵＥをページングすることを示す情報を得る。他方では、ＵＥがネットワークにアクセスする必要があるとき、ＵＥは、良好な信号品質を有する非常駐セルへのアクセスを開始する（たとえば、第１のノードセルＢ。第１のノードセルＢは単に、説明のための一例として用いられており、ＵＥは継続的にノードを切り換えて、良好な信号品質を有するセルを確保することができる）。加えて、ＵＥがとどまらないセル（たとえば、第１のノードセルＢ）では、ページングを送信することができず、或いはただ、第１の地震津波警報システム（ＥＴＷＳ）関連通報及び／又は第２のＥＴＷＳ関連通報を通知するために使用されるページングメッセージ、又は商業モバイル警報サービス（ＣＭＡＳ）通報を知らせるために使用されるページングメッセージだけが送信される。したがって、大量のエアインタフェースシグナリングを節約することができる。本発明の実施形態では、説明を容易にするために、ＵＥがとどまらないセルは第１のノードセルと呼ばれ、ＵＥがとどまるセルは第２のノードセルと呼ばれる。すなわち、ＵＥは、第２のノードに対応する第２のノードセルにとどまる。ＵＥは、ページングメッセージを第２のノードに対応する第２のノードセルからのみ受信する。或いはＵＥはページングメッセージを第２のノードに対応する第２のノードセル内で受信し、またＵＥはページングメッセージを第１のノードセル内で受信する。ＵＥによって第１のノードセル内で受信されるページングメッセージは、下記の、第１の地震津波警報システム（ＥＴＷＳ）関連通報及び／又は第２のＥＴＷＳ関連通報を通知するために使用されるページングメッセージ、又は商業モバイル警報サービス（ＣＭＡＳ）通報を知らせるために使用されるページングメッセージ、のうちの少なくとも１つを含む。ＵＥは第１のノードセルのシステムメッセージを受信するか、かつ／又はＵＥは第１のノードセルを測定する。本発明のコンテンツは上記のシナリオに適用可能であることだけには限定されない、ということに留意されたい。
【手続補正３３】
【補正対象書類名】明細書
【補正対象項目名】０１４９
【補正方法】変更
【補正の内容】
【０１４９】
本発明の実施形態における第２のノードは、マクロ基地局（ｍａｃｒｏ  ｅＮＢ）、遠隔無線ヘッド（ＲＲＨ）、小型基地局（ｐｉｃｏ  ｅＮＢ）、ホーム基地局（ｈｏｍｅ  ｅＮｏｄｅＢ（ＨｅＮＢ））、中継装置（ｒｅｌａｙ  Ｎｏｄｅ（ＲＮ））、アクセスポイント（ＡＰ）、ｅＮＢ、ｓｅｃｏｎｄａｒｙ  ｅＮＢ（ＳｅＮＢ）、ｍａｓｔｅｒ  ｅＮＢ（ＭｅＮＢ）、又は端末などの様々な装置とすることができる。これは本発明においては限定されない。第２のノードセルは、第２のノードのセルであり、たとえば、マイクロセル（ｓｍａｌｌ  ｃｅｌｌ）、マクロセル、ｓｅｃｏｎｄａｒｙ  ｃｅｌｌ（Ｓｃｅｌｌ）、ｐｒｉｍａｒｙ  ｓｅｃｏｎｄａｒｙ  ｃｅｌｌ（ＰＳｃｅｌｌ）、ｐｒｉｍａｒｙ  ｃｅｌｌ（Ｐｃｅｌｌ）、ｓｅｃｏｎｄａｒｙ  ｃｅｌｌ  ｇｒｏｕｐ（ＳＣＧ）、又はｍａｓｔｅｒ  ｃｅｌｌ  ｇｒｏｕｐ（ＭＣＧ）とすることができる。
【手続補正３４】
【補正対象書類名】明細書
【補正対象項目名】０１５０
【補正方法】変更
【補正の内容】
【０１５０】
同様に、本発明の実施形態における第１のノードは、マクロ基地局（ｍａｃｒｏ  ｅＮＢ）、遠隔無線ヘッド（ＲＲＨ）、小型基地局（ｐｉｃｏ  ｅＮｏｄｅＢ（ｐｉｃｏ  ｅＮＢ））、ホーム基地局（ｈｏｍｅ  ｅＮｏｄｅＢ（ＨｅＮＢ））、中継装置（ｒｅｌａｙ  Ｎｏｄｅ（ＲＮ））、アクセスポイント（ＡＰ）、ｅＮＢ、ｓｅｃｏｎｄａｒｙ  ｅＮＢ（ＳｅＮＢ）、ｍａｓｔｅｒ  ｅＮＢ（ＭｅＮＢ）、又は端末などの様々な装置とすることができる。これは本発明においては限定されない。第１のノードセルは、第１のノードのセルであり、たとえば、マイクロセル（ｓｍａｌｌ  ｃｅｌｌ）、マクロセル、ｓｅｃｏｎｄａｒｙ  ｃｅｌｌ（Ｓｃｅｌｌ）、ｐｒｉｍａｒｙ  ｃｅｌｌ（Ｐｃｅｌｌ）、ｓｅｃｏｎｄａｒｙ  ｃｅｌｌ  ｇｒｏｕｐ（ＳＣＧ）、又はｍａｓｔｅｒ  ｃｅｌｌ  ｇｒｏｕｐ（ＭＣＧ）とすることができる。
【手続補正３５】
【補正対象書類名】明細書
【補正対象項目名】０１５１
【補正方法】変更
【補正の内容】
【０１５１】
同様に、第２のノードは、マクロ基地局（ｍａｃｒｏ  ｅＮＢ）、遠隔無線ヘッド（ＲＲＨ）、小型基地局（ｐｉｃｏ  ｅＮｏｄｅＢ（Ｐｉｃｏ  ｅＮＢ））、ホーム基地局（ｈｏｍｅ  ｅＮｏｄｅＢ（ＨｅＮＢ））、中継装置（ｒｅｌａｙ  Ｎｏｄｅ（ＲＮ））、アクセスポイント（ＡＰ）、ｅＮＢ、ｓｅｃｏｎｄａｒｙ  ｅＮＢ（ＳｅＮＢ）、ｍａｓｔｅｒ  ｅＮＢ（ＭｅＮＢ）、又は端末などの様々な装置である。これは本発明においては限定されない。第２のノードセルは、第２のノードのセルであり、たとえば、マクロセル、マイクロセル（ｓｍａｌｌ  ｃｅｌｌ）、ｓｅｃｏｎｄａｒｙ  ｃｅｌｌ（Ｓｃｅｌｌ）、ｐｒｉｍａｒｙ  ｃｅｌｌ（Ｐｃｅｌｌ）、ｓｅｃｏｎｄａｒｙ  ｃｅｌｌ  ｇｒｏｕｐ（ＳＣＧ）、又はｍａｓｔｅｒ  ｃｅｌｌ  ｇｒｏｕｐ（ＭＣＧ）とすることができる。
【手続補正３６】
【補正対象書類名】明細書
【補正対象項目名】０１７０
【補正方法】変更
【補正の内容】
【０１７０】
ユーザ機器によって第１のノードセル内で受信されるページングメッセージは、下記の
第１の地震津波警報システム（ＥＴＷＳ）関連通報及び／又は第２のＥＴＷＳ関連通報を通知するために使用されるページングメッセージ、又は
商業モバイル警報サービス（ＣＭＡＳ）通報を知らせるために使用されるページングメッセージ、のうちの少なくとも１つを含む。
【手続補正３７】
【補正対象書類名】明細書
【補正対象項目名】０１７５
【補正方法】変更
【補正の内容】
【０１７５】
プロセッサ２０３は、メモリ２０２に記憶されたプログラムを呼び出して、第１のノード情報及び第５のメッセージを判定すると共に、送信機２０１を制御して第１のノード情報及び第５のメッセージをユーザ機器へ送信するように構成される。この第５のメッセージは、ユーザ機器をページングするために使用されるか、又はネットワークにアクセスするようにユーザ機器に指示するために使用されるか、又は無線リソース制御（ＲＲＣ）接続を確立するようにユーザ機器に指示するために使用されるか、また第１のノード情報は、第１のノードについての情報をユーザ機器に提供するために使用される。
【手続補正３８】
【補正対象書類名】明細書
【補正対象項目名】０１７６
【補正方法】変更
【補正の内容】
【０１７６】
第１の実現方式では、第１のノード情報は、第１のノードセルの識別子、第１のノードの識別子、第１のノードセルのアクセス構成、第１のノードのＲＲＣ構成、第１のノードのパケットデータコンバージェンスプロトコル（ＰＤＣＰ）構成、第１のノードの無線リンク制御（ＲＬＣ）層プロトコル構成、第１のノードのメディアアクセス制御（ＭＡＣ）構成、又は第１のノードの物理層構成、のうちの少なくとも１つを含む。
【手続補正３９】
【補正対象書類名】明細書
【補正対象項目名】０１８１
【補正方法】変更
【補正の内容】
【０１８１】
第６の実現方式では、第２のメッセージは、
無線リソース制御（ＲＲＣ）接続再構成メッセージ又はシステムメッセージを含む。
【手続補正４０】
【補正対象書類名】明細書
【補正対象項目名】０１８４
【補正方法】変更
【補正の内容】
【０１８４】
ユーザ機器によって第１のノードセル内で受信されるページングメッセージは、下記の
第１の地震津波警報システム（ＥＴＷＳ）関連通報及び／又は第２のＥＴＷＳ関連通報を通知するために使用されるページングメッセージ、又は
商業モバイル警報サービス（ＣＭＡＳ）通報を知らせるために使用されるページングメッセージ、のうちの少なくとも１つを含む。
【手続補正４１】
【補正対象書類名】明細書
【補正対象項目名】０２０３
【補正方法】変更
【補正の内容】
【０２０３】
ユーザ機器３００によって第１のノードセル内で受信されるページングメッセージは、下記の
第１の地震津波警報システム（ＥＴＷＳ）関連通報及び／又は第２のＥＴＷＳ関連通報を通知するために使用されるページングメッセージ、又は
商業モバイル警報サービス（ＣＭＡＳ）通報を知らせるために使用されるページングメッセージ、のうちの少なくとも１つを含む。
【手続補正４２】
【補正対象書類名】明細書
【補正対象項目名】０２０８
【補正方法】変更
【補正の内容】
【０２０８】
プロセッサ４０３は、メモリ４０２に記憶されたプログラムを呼び出して、受信機４０１を使用することにより、第２のノードによって送信された第５のメッセージと、第１のノード情報とを受信するように、かつ、ユーザ機器４００を制御して、第１のノード情報及び第５のメッセージに応じて第１のノードにアクセスするように構成される。この第５のメッセージは、ユーザ機器４００をページングするために使用されるか、又はネットワークにアクセスするようにユーザ機器４００に指示するために使用されるか、又は無線リソース制御（ＲＲＣ）接続を確立するようにユーザ機器４００に指示するために使用され、また第１のノード情報は、第１のノードについての情報をユーザ機器４００に提供するために使用される。
【手続補正４３】
【補正対象書類名】明細書
【補正対象項目名】０２０９
【補正方法】変更
【補正の内容】
【０２０９】
第１の実現方式では、第１のノード情報は、第１のノードセルの識別子、第１のノードの識別子、第１のノードのアクセス構成、第１のノードのＲＲＣ構成、第１のノードのパケットデータコンバージェンスプロトコル（ＰＤＣＰ）構成、第１のノードの無線リンク制御（ＲＬＣ）層プロトコル構成、第１のノードのメディアアクセス制御（ＭＡＣ）構成、又は第１のノードの物理層構成、のうちの少なくとも１つを含む。
【手続補正４４】
【補正対象書類名】明細書
【補正対象項目名】０２２１
【補正方法】変更
【補正の内容】
【０２２１】
ユーザ機器４００によって第１のノードセル内で受信されるページングメッセージは、下記の
第１の地震津波警報システム（ＥＴＷＳ）関連通報及び／又は第２のＥＴＷＳ関連通報を通知するために使用されるページングメッセージ、又は
商業モバイル警報サービス（ＣＭＡＳ）通報を知らせるために使用されるページングメッセージ、のうちの少なくとも１つを含む。
【手続補正４５】
【補正対象書類名】明細書
【補正対象項目名】０２２４
【補正方法】変更
【補正の内容】
【０２２４】
本発明の上記の実施形態におけるメモリは、読み出し専用メモリ（ＲＯＭ）若しくはランダムアクセスメモリ（ＲＡＭ）とすることができ、或いは電気的消去可能プログラム可能読み出し専用メモリ（ＥＥＰＲＯＭ）、磁気ディスク記憶媒体若しくは他の磁気記憶装置、又は、命令若しくはデータ構造の形を有する所望のプログラムコードを保持又は記憶するために使用でき、コンピュータによりアクセスできる任意の他の媒体とすることができるが、これらに限定されないことに留意されたい。たとえば、メモリは、上記のメモリを組み合わせたものとすることができる。
【手続補正４６】
【補正対象書類名】明細書
【補正対象項目名】０２４１
【補正方法】変更
【補正の内容】
【０２４１】
ユーザ機器によって第１のノードセル内で受信されるページングメッセージは、下記の
第１の地震津波警報システム（ＥＴＷＳ）関連通報及び／又は第２のＥＴＷＳ関連通報を通知するために使用されるページングメッセージ、又は
商業モバイル警報サービス（ＣＭＡＳ）通報を知らせるために使用されるページングメッセージ、のうちの少なくとも１つを含む。
【手続補正４７】
【補正対象書類名】明細書
【補正対象項目名】０２４５
【補正方法】変更
【補正の内容】
【０２４５】
判定ユニット６０１は、第１のノード情報及び第５のメッセージを判定するように構成される。この第５のメッセージは、ユーザ機器をページングするために使用されるか、又はネットワークにアクセスするようにユーザ機器に指示するために使用されるか、又は無線リソース制御（ＲＲＣ）接続を確立するようにユーザ機器に指示するために使用され、また第１のノード情報は、第１のノードについての情報をユーザ機器に提供するために使用される。
【手続補正４８】
【補正対象書類名】明細書
【補正対象項目名】０２４７
【補正方法】変更
【補正の内容】
【０２４７】
第１の実現方式では、第１のノード情報は、第１のノードセルの識別子、第１のノードの識別子、第１のノードセルのアクセス構成、第１のノードのＲＲＣ構成、第１のノードのパケットデータコンバージェンスプロトコル（ＰＤＣＰ）構成、第１のノードの無線リンク制御（ＲＬＣ）層プロトコル構成、第１のノードのメディアアクセス制御（ＭＡＣ）構成、又は第１のノードの物理層構成、のうちの少なくとも１つを含む。
【手続補正４９】
【補正対象書類名】明細書
【補正対象項目名】０２５２
【補正方法】変更
【補正の内容】
【０２５２】
第６の実現方式では、第２のメッセージは、
無線リソース制御（ＲＲＣ）接続再構成メッセージ又はシステムメッセージを含む。
【手続補正５０】
【補正対象書類名】明細書
【補正対象項目名】０２５５
【補正方法】変更
【補正の内容】
【０２５５】
ユーザ機器によって第１のノードセル内で受信されるページングメッセージは、下記の
第１の地震津波警報システム（ＥＴＷＳ）関連通報及び／又は第２のＥＴＷＳ関連通報を通知するために使用されるページングメッセージ、又は
商業モバイル警報サービス（ＣＭＡＳ）通報を知らせるために使用されるページングメッセージ、のうちの少なくとも１つを含む。
【手続補正５１】
【補正対象書類名】明細書
【補正対象項目名】０２７７
【補正方法】変更
【補正の内容】
【０２７７】
ユーザ機器７００によって第１のノードセル内で受信されるページングメッセージは、下記の
第１の地震津波警報システム（ＥＴＷＳ）関連通報及び／又は第２のＥＴＷＳ関連通報を通知するために使用されるページングメッセージ、又は
商業モバイル警報サービス（ＣＭＡＳ）通報を知らせるために使用されるページングメッセージ、のうちの少なくとも１つを含む。
【手続補正５２】
【補正対象書類名】明細書
【補正対象項目名】０２８１
【補正方法】変更
【補正の内容】
【０２８１】
受信ユニット８０１は、第２のノードによって送信された第５のメッセージと、第１のノード情報とを受信するように構成される。この第５のメッセージは、ユーザ機器８００をページングするために使用されるか、又はネットワークにアクセスするようにユーザ機器８００に指示するために使用されるか、又は無線リソース制御（ＲＲＣ）接続を確立するようにユーザ機器８００に指示するために使用され、また第１のノード情報は、第１のノードについての情報をユーザ機器８００に提供するために使用される。
【手続補正５３】
【補正対象書類名】明細書
【補正対象項目名】０２８３
【補正方法】変更
【補正の内容】
【０２８３】
第１の実現方式では、第１のノード情報は、第１のノードセルの識別子、第１のノードの識別子、第１のノードのアクセス構成、第１のノードのＲＲＣ構成、第１のノードのパケットデータコンバージェンスプロトコル（ＰＤＣＰ）構成、第１のノードの無線リンク制御（ＲＬＣ）層プロトコル構成、第１のノードのメディアアクセス制御（ＭＡＣ）構成、又は第１のノードの物理層構成、のうちの少なくとも１つを含む。
【手続補正５４】
【補正対象書類名】明細書
【補正対象項目名】０２９５
【補正方法】変更
【補正の内容】
【０２９５】
ユーザ機器８００によって第１のノードセル内で受信されるページングメッセージは、下記の
第１の地震津波警報システム（ＥＴＷＳ）関連通報及び／又は第２のＥＴＷＳ関連通報を通知するために使用されるページングメッセージ、又は
商業モバイル警報サービス（ＣＭＡＳ）通報を知らせるために使用されるページングメッセージ、のうちの少なくとも１つを含む。
【手続補正５５】
【補正対象書類名】明細書
【補正対象項目名】０３１８
【補正方法】変更
【補正の内容】
【０３１８】
本発明のこの実施形態では、第１のノードセルのページング構成パラメータは下記のパラメータ、すなわち、Ｔ（ｄｅｆａｕｌｔＰａｇｉｎｇＣｙｃｌｅ，  ｉｔ  ｉｓ  ａ  ＤＲＸ  ｃｙｃｌｅ  ｏｆ  ＵＥ．  すなわち、ＵＥのＤＲＸ周期）、ｎＢ（Ｐａｒａｍｅｔｅｒ：  ｎＢ  ｉｓ  ｕｓｅｄ  ａｓ  ｏｎｅ  ｏｆ  ｐａｒａｍｅｔｅｒｓ  ｔｏ  ｄｅｒｉｖｅ  ａ  ｐａｇｉｎｇ  ｆｒａｍｅ  ａｎｄ  ａ  ｐａｇｉｎｇ  ｏｃｃａｓｉｏｎ  ａｃｃｏｒｄｉｎｇ  ｔｏ  ＴＳ  ３６．３０４，たとえば、ｎＢの値の範囲は４Ｔ、２Ｔ、Ｔ、Ｔ／２、Ｔ／４、Ｔ／８、Ｔ／１６、又はＴ／３２であり得る）、ページング無線ネットワーク一時的識別子（Ｐ−ＲＮＴＩ）、ページング周期（ｄｅｆａｕｌｔＰａｇｉｎｇＣｙｃｌｅ）、ＵＥの識別子、又は第１のノードセルの識別子、のうちの少なくとも１つとすることができる。第２のノードが第１のノードセルのページング構成パラメータをどのように取得及び判定するかは、本発明のこの実施形態では限定されない。たとえば、第２のノードは、第１のノードセルのページング構成パラメータをそれ自体で構成し、そのページング構成パラメータをＵＥに提供することができる。当然、第２のノードはまた、第１のノードとの対話によって、第１のノードにより提供されるページング構成パラメータを取得することもできる。
【手続補正５６】
【補正対象書類名】明細書
【補正対象項目名】０３２３
【補正方法】変更
【補正の内容】
【０３２３】
具体的には、ページング構成パラメータがページング時間を判定するために使用されるということは、下記のあり得ること、すなわち、ページング構成パラメータがＵＥによって、ページングメッセージを受信するためのページング時間を判定するのに使用される、ページングメッセージを受信するための時間を判定するのに使用される、又はページングメッセージを送信するための時間を判定するのに使用される、のうちの１つであり得る。具体的には、ページング時間は下記のパラメータ、すなわち、ページング周期（たとえばｄｅｆａｕｌｔ  Ｐａｇｉｎｇ  Ｃｙｃｌｅ）、ページングフレーム、又はページングオケージョン、のうちの少なくとも１つであり得る。
【手続補正５７】
【補正対象書類名】明細書
【補正対象項目名】０３２４
【補正方法】変更
【補正の内容】
【０３２４】
ページング周期は、ページングメッセージの周期を示し得る。
【手続補正５８】
【補正対象書類名】明細書
【補正対象項目名】０３２６
【補正方法】変更
【補正の内容】
【０３２６】
ページングフレームは、ページングメッセージの無線フレームとすることができる。
【手続補正５９】
【補正対象書類名】明細書
【補正対象項目名】０３２７
【補正方法】変更
【補正の内容】
【０３２７】
ページングパラメータに関し、ページング構成パラメータは、具体的には下記のパラメータ、すなわち、Ｔ（ｄｅｆａｕｌｔＰａｇｉｎｇＣｙｃｌｅ，  ｉｔ  ｉｓ  ａ  ＤＲＸ  ｃｙｃｌｅ  ｏｆ  ｔｈｅ  ＵＥ．  すなわち、ＵＥのＤＲＸ周期）、ｎＢ（Ｐａｒａｍｅｔｅｒ：  ｎＢ  ｉｓ  ｕｓｅｄ  ａｓ  ｏｎｅ  ｏｆ  ｐａｒａｍｅｔｅｒｓ  ｔｏ  ｄｅｒｉｖｅ  ａ  ｐａｇｉｎｇ  ｆｒａｍｅ  ａｎｄ  ａ  ｐａｇｉｎｇ  ｏｃｃａｓｉｏｎ  ａｃｃｏｒｄｉｎｇ  ｔｏ  ＴＳ  ３６．３０４，たとえば、ｎＢの値の範囲は４Ｔ、２Ｔ、Ｔ、Ｔ／２、Ｔ／４、Ｔ／８、Ｔ／１６、又はＴ／３２であり得る）、ページング無線ネットワーク一時的識別子（ｐａｇｉｎｇ  Ｒａｄｉｏ  Ｎｅｔｗｏｒｋ  Ｔｅｍｐｏｒｙ  Ｉｄｅｎｔｉｔｙ，Ｐ−ＲＮＴＩ）、ページング周期（ｄｅｆａｕｌｔＰａｇｉｎｇＣｙｃｌｅ）、ＵＥの識別子、第１のノードセルの識別子、第１のノードの識別子、又はページングレコード（ＰａｇｉｎｇＲｅｃｏｒｄ）、のうちの少なくとも１つとすることができる。
【手続補正６０】
【補正対象書類名】明細書
【補正対象項目名】０３３３
【補正方法】変更
【補正の内容】
【０３３３】
ページング構成パラメータは下記のパラメータ、すなわち、Ｔ（ｄｅｆａｕｌｔＰａｇｉｎｇＣｙｃｌｅ，  ｉｔ  ｉｓ  ａ  ＤＲＸ  ｃｙｃｌｅ  ｏｆ  ｔｈｅ  ＵＥ．  すなわち、ＵＥのＤＲＸ周期）、ｎＢ（Ｐａｒａｍｅｔｅｒ：  ｎＢ  ｉｓ  ｕｓｅｄ  ａｓ  ｏｎｅ  ｏｆ  ｐａｒａｍｅｔｅｒｓ  ｔｏ  ｄｅｒｉｖｅ  ａ  ｐａｇｉｎｇ  ｆｒａｍｅ  ａｎｄ  ａ  ｐａｇｉｎｇ  ｏｃｃａｓｉｏｎ  ａｃｃｏｒｄｉｎｇ  ｔｏ  ＴＳ  ３６．３０４，たとえば、ｎＢの値の範囲は４Ｔ、２Ｔ、Ｔ、Ｔ／２、Ｔ／４、Ｔ／８、Ｔ／１６、又はＴ／３２であり得る）、ページング無線ネットワーク一時的識別子（ｐａｇｉｎｇ  Ｒａｄｉｏ  Ｎｅｔｗｏｒｋ  Ｔｅｍｐｏｒｙ  Ｉｄｅｎｔｉｔｙ，Ｐ−ＲＮＴＩ）、ページング周期（ｄｅｆａｕｌｔＰａｇｉｎｇＣｙｃｌｅ）、ＵＥの識別子、第１のノードセルの識別子、第１のノードの識別子、又はページングレコード（ＰａｇｉｎｇＲｅｃｏｒｄ）、のうちの少なくとも１つとすることができる。
【手続補正６１】
【補正対象書類名】明細書
【補正対象項目名】０３３６
【補正方法】変更
【補正の内容】
【０３３６】
具体的には、ページング時間は下記のパラメータ、すなわち、ページング周期（たとえばｄｅｆａｕｌｔ  Ｐａｇｉｎｇ  Ｃｙｃｌｅ）、ページングフレーム、又はページングオケージョン、のうちの少なくとも１つであり得る。
【手続補正６２】
【補正対象書類名】明細書
【補正対象項目名】０３３７
【補正方法】変更
【補正の内容】
【０３３７】
ページング周期は、ページングメッセージを送信するための周期を示す。
【手続補正６３】
【補正対象書類名】明細書
【補正対象項目名】０３３９
【補正方法】変更
【補正の内容】
【０３３９】
ページングフレームとは、ページングメッセージを送信するための無線フレームのことを指す。
【手続補正６４】
【補正対象書類名】明細書
【補正対象項目名】０３４２
【補正方法】変更
【補正の内容】
【０３４２】
具体的には、たとえば、第２のノードにより送信される第４のメッセージは、無線リソース制御（ＲＲＣ）接続再構成メッセージ（ＲＲＣ  Ｃｏｎｎｅｃｔｉｏｎ  Ｒｅｃｏｎｆｉｇｕｒａｔｉｏｎ  ｍｅｓｓａｇｅ）とすることができる。
【手続補正６５】
【補正対象書類名】明細書
【補正対象項目名】０３４３
【補正方法】変更
【補正の内容】
【０３４３】
本発明のこの実施形態では、第２のノードは、第１のノードセルのページング構成パラメータをＵＥへ送信し、それによりＵＥは、ページング時間を第１のノードセルのページング構成パラメータに応じて判定できるようになる。ページング構成パラメータがページング時間を判定するために使用されるということは、下記のあり得ること、すなわち、ページング構成パラメータがＵＥによって、ページングメッセージを受信するためのページング時間を判定するのに使用される、ＵＥにより、第２のノードによって送信されたページングメッセージを受信するためのページング時間を判定するのに使用される、ページングメッセージを受信するための時間を判定するのに使用される、ページングメッセージを送信するための時間を決定するのに使用される、又はノードによりページングメッセージを送信するための時間を判定するのに使用される、のうちの１つであり得る。具体的には、ページング時間は下記のパラメータ、すなわち、ページング周期（たとえばｄｅｆａｕｌｔ  ｐａｇｉｎｇ  ｃｙｃｌｅ）、ページングフレーム、又はページングオケージョン、のうちの少なくとも１つであり得る。
【手続補正６６】
【補正対象書類名】明細書
【補正対象項目名】０３４４
【補正方法】変更
【補正の内容】
【０３４４】
ページング周期は、ページングメッセージを送信するための周期を示す。
【手続補正６７】
【補正対象書類名】明細書
【補正対象項目名】０３４６
【補正方法】変更
【補正の内容】
【０３４６】
ページングフレームとは、ページングメッセージを送信するための無線フレームのことを指す。
【手続補正６８】
【補正対象書類名】明細書
【補正対象項目名】０３５０
【補正方法】変更
【補正の内容】
【０３５０】
本発明のこの実施形態では、第２のノードセルに関連した第４のメッセージ（たとえば、メッセージＡ１）を判定することに加えて、第２のノードはさらに、第１のノードセルのページング構成パラメータを含む第４のメッセージ（たとえば、メッセージＡ２）の別の組を判定することができ、それによりＵＥは、第２のノードセル内の２つの組のページング時間に対応し、またＵＥは、第２のノードセルに関連したページングメッセージを、最初の第４のメッセージ（たとえば、メッセージＡ１）に対応する第１のページング時間内に受信し、また、第１のノードセルに関連したページングメッセージを第２のノードセル内で、２番目の第４のメッセージ（たとえば、メッセージＡ２）に対応する第２のページング時間内に受信することができる。この方式では、第２のノードは、一組のページング構成パラメータを追加して構成する必要しかなくて、比較的簡単な実現方式がもたらされる。
【手続補正６９】
【補正対象書類名】明細書
【補正対象項目名】０３５５
【補正方法】変更
【補正の内容】
【０３５５】
本発明のこの実施形態では、第１のノードセルの識別子は、物理的セル識別子（ｐｈｙｓｉｃａｌ  ｃｅｌｌ  ＩＤ（ＰＣＩ））、セルグローバル識別子（Ｅ−ＵＴＲＡＮ  ｃｅｌｌ  ｇｌｏｂａｌ  ｉｄｅｎｔｉｆｉｅｒ（ＥＣＧＩ））などとすることができる。具体的には、たとえば、本発明のこの実施形態では、第２のノードは第１のノードセルの識別子を、第１のノードによって送信されたメッセージを使用することにより取得することができるか、かつ／又は
具体的には、ページングメッセージは第１のノードの識別子を含むことができ、この第１のノードの識別子を含むページングメッセージを使用することにより、ＵＥは、第１のノードセルのシステムメッセージが更新されていることを通知され、又はＵＥは、第１のノードセルのシステムメッセージを受信するように指示されるか、かつ／又は
具体的には、ページングメッセージは、第１のノードセルのシステムメッセージインジケータを含むことができ、この第１のノードセルのシステムメッセージインジケータを含むページングメッセージを使用することにより、ＵＥは、第１のノードセルのシステムメッセージが更新されていることを通知され、又はＵＥは、第１のノードセルのシステムメッセージを受信するように指示される。
【手続補正７０】
【補正対象書類名】明細書
【補正対象項目名】０３５９
【補正方法】変更
【補正の内容】
【０３５９】
任意選択で、ページングメッセージはＵＥの識別子、たとえば、Ｓ一時モバイル加入者識別子（Ｓ−ｔｅｍｐｏｒａｒｙ  ｍｏｂｉｌｅ  ｓｕｂｓｃｒｉｂｅｒ  ｉｄｅｎｔｉｔｙ，Ｓ−ＴＭＳＩ）、又は国際モバイル加入者識別子（ｉｎｔｅｒｎａｔｉｏｎａｌ  ｍｏｂｉｌｅ  ｓｕｂｓｃｒｉｂｅｒ  ｉｄｅｎｔｉｔｙ，ＩＭＳＩ）を含む。
【手続補正７１】
【補正対象書類名】明細書
【補正対象項目名】０３６５
【補正方法】変更
【補正の内容】
【０３６５】
具体的には、第２のノードは、システムメッセージをＵＥへ送信する。このシステムメッセージは、第１のノードセルのシステムメッセージが更新されていることを示すための、又は第１のノードセルのシステムメッセージを受信するようにＵＥに指示するための、インジケーション情報を含む。このインジケーション情報は複数の形を有することができ、たとえば、第１のノードセルのシステムメッセージが更新されていることを示すための、又は第１のノードセルのシステムメッセージを受信するようにＵＥに指示するための、第１のノードセルのセル識別子、及び／又は第１のノードの識別子、及び／又は第１のノードセルのシステムメッセージインジケータとすることができる。
【手続補正７２】
【補正対象書類名】明細書
【補正対象項目名】０３９３
【補正方法】変更
【補正の内容】
【０３９３】
本発明のこの実施形態では、第１のノード情報は、第１のノードセルの識別子、第１のノードセルのアクセス構成、第１のノードのＲＲＣ構成、第１のノードのパケットデータコンバージェンスプロトコル（ＰＤＣＰ）、第１のノードの無線リンク制御（ＲＬＣ）層プロトコル構成、第１のノードのメディアアクセス制御（ＭＡＣ）構成、第１のノードの物理層構成、又は第１のノードのアクセス構成、のうちの少なくとも１つを含み得る。
【手続補正７３】
【補正対象書類名】明細書
【補正対象項目名】０４０５
【補正方法】変更
【補正の内容】
【０４０５】
Ａ．第２のノードは第５のメッセージを判定する。この第５のメッセージは、ユーザ機器をページングするために使用されるか、又はネットワークにアクセスするようにユーザ機器に指示するために使用されるか、又は無線リソース制御（ＲＲＣ）接続を確立するようにユーザ機器に指示するために使用される。
【手続補正７４】
【補正対象書類名】明細書
【補正対象項目名】０４１８
【補正方法】変更
【補正の内容】
【０４１８】
Ｓ２０１１．第２のノードが、ページングメッセージを判定すると共に、第１のノードセルの識別子をページングメッセージに含める。ページングメッセージは、ＵＥをページングするために（すなわち、ページング情報をアイドル状態（ＲＲＣ＿ＩＤＬＥ）のＵＥへ送信するために）使用される。ページング情報は上位層から提供され、それによってＵＥは、ＲＲＣ接続確立手順を始動することができる。たとえば、ページングメッセージは、ＵＥが呼び出しを受信したことを通知するために使用される（ページング情報は上位層に提供され、上位層は呼応して、たとえば着信を受信するためにＲＲＣ接続確立を開始することができる）。本発明のこの実施形態では、第１のノードセルの識別子は、たとえばＰＣＩ又はＥＣＧＩであり得る。
【手続補正７５】
【補正対象書類名】明細書
【補正対象項目名】０４１９
【補正方法】変更
【補正の内容】
【０４１９】
ページングメッセージに関して、ページングメッセージは、ＵＥをページングする（たとえば、アイドル状態のＵＥをページングするか、又はアイドル状態のＵＥにページング情報を送信する）ために使用されることができる。ページングメッセージにはまた他の目的、たとえば、システムメッセージが更新されていることを通知するために使用されるページングメッセージ、第１の地震津波警報システム（ＥＴＷＳ）関連通報及び／又は第２のＥＴＷＳ関連通報を通知するために使用されるページングメッセージ、又は商業モバイル警報サービス（ＣＭＡＳ）通報を知らせるために使用されるページングメッセージ、があり得る。
【手続補正７６】
【補正対象書類名】明細書
【補正対象項目名】０４２２
【補正方法】変更
【補正の内容】
【０４２２】
ページングメッセージは、ＵＥをページングするために（すなわち、ページング情報をアイドル状態（ＲＲＣ＿ＩＤＬＥ）のＵＥへ送信するために）使用される。ページング情報は上位層から提供され、それによってＵＥは、ＲＲＣ接続確立手順を始動することができる。たとえば、ページングメッセージは、ＵＥが呼び出しを受信したことを通知するために使用される（Ｔｈｅ  ｐａｇｉｎｇ  ｉｎｆｏｒｍａｔｉｏｎ  ｉｓ  ｐｒｏｖｉｄｅｄ  ｔｏ  ｕｐｐｅｒ  ｌａｙｅｒｓ，  ｗｈｉｃｈ  ｉｎ  ｒｅｓｐｏｎｓｅ  ｍａｙ  ｉｎｉｔｉａｔｅ  ＲＲＣ  ｃｏｎｎｅｃｔｉｏｎ  ｅｓｔａｂｌｉｓｈｍｅｎｔ，  ｅ．ｇ．  ｔｏ  ｒｅｃｅｉｖｅ  ａｎ  ｉｎｃｏｍｉｎｇ  ｃａｌｌ．）。
【手続補正７７】
【補正対象書類名】明細書
【補正対象項目名】０４３４
【補正方法】変更
【補正の内容】
【０４３４】
本発明のこの実施形態では、第２のメッセージは、無線リソース制御（ＲＲＣ）接続再構成メッセージ、又は第２のノードセルのシステムメッセージであり得る。
【手続補正７８】
【補正対象書類名】明細書
【補正対象項目名】０４７０
【補正方法】変更
【補正の内容】
【０４７０】
Ｓ３０１１．ＵＥが、第２のノードによって送信された第４のメッセージを受信する。この第４のメッセージは、ページング構成パラメータを含み、このページング構成パラメータは、ページング時間を判定するために使用される。ページング構成パラメータがページング時間を判定するために使用されるということは、下記のあり得ること、すなわち、ページング構成パラメータがＵＥによって、ページングメッセージを受信するためのページング時間を判定するのに使用される、ページングメッセージを受信するための時間を判定するのに使用される、ページングメッセージを送信するための時間を判定するのに使用される、又はノードによりページングメッセージを送信するための時間を判定するのに使用される、のうちの１つであり得る。具体的には、ページング時間は下記のパラメータ、すなわち、ページング周期（たとえばｄｅｆａｕｌｔ  ｐａｇｉｎｇ  ｃｙｃｌｅ）、ページングフレーム、又はページングオケージョン、のうちの少なくとも１つであり得る。
【手続補正７９】
【補正対象書類名】明細書
【補正対象項目名】０４８３
【補正方法】変更
【補正の内容】
【０４８３】
Ｓ３０１３．ＵＥが、第２のノードセルによって送信されたシステムメッセージを受信する。このシステムメッセージは、第１のノードセルのシステムメッセージが更新されていることをＵＥに通知するために使用されるか、又は第１のノードセルのシステムメッセージを受信するようにＵＥに指示するために使用される。
【手続補正８０】
【補正対象書類名】明細書
【補正対象項目名】０５０８
【補正方法】変更
【補正の内容】
【０５０８】
本発明のこの実施形態では、第１のノード情報は、第１のノードセルの識別子、第１のノードの識別子、第１のノードセルのアクセス構成、第１のノードのＲＲＣ構成、第１のノードのパケットデータコンバージェンスプロトコル（ＰＤＣＰ）、第１のノードの無線リンク制御（ＲＬＣ）層プロトコル構成、第１のノードのメディアアクセス制御（ＭＡＣ）構成、又は第１のノードの物理層構成、のうちの少なくとも１つとすることができる。第１のノード情報について、下記で、本発明のこの実施形態に関する例を使用することにより説明するが、本発明のこの実施形態のコンテンツだけには限定されない。
【手続補正８１】
【補正対象書類名】明細書
【補正対象項目名】０５２７
【補正方法】変更
【補正の内容】
【０５２７】
第２のノードによって送信されたページングメッセージは、ＵＥをページングするために（すなわち、ページング情報をアイドル状態（ＲＲＣ＿ＩＤＬＥ）のＵＥへ送信するために）使用される。具体的には、ページング情報は上位層から提供されることができ、それによってＵＥは、ＲＲＣ接続確立手順を始動することができる。たとえば、ページングメッセージは、ＵＥが呼び出しを受信したことを通知するために使用される（Ｔｈｅ  ｐａｇｉｎｇ  ｉｎｆｏｒｍａｔｉｏｎ  ｉｓ  ｐｒｏｖｉｄｅｄ  ｔｏ  ｕｐｐｅｒ  ｌａｙｅｒｓ，  ｗｈｉｃｈ  ｉｎ  ｒｅｓｐｏｎｓｅ  ｍａｙ  ｉｎｉｔｉａｔｅ  ＲＲＣ  ｃｏｎｎｅｃｔｉｏｎ  ｅｓｔａｂｌｉｓｈｍｅｎｔ，  ｅ．ｇ．  ｔｏ  ｒｅｃｅｉｖｅ  ａｎ  ｉｎｃｏｍｉｎｇ  ｃａｌｌ．）。本発明のこの実施形態では、第１のノードセルの識別子は、たとえばＰＣＩ又はＥＣＧＩであり得る。
【手続補正８２】
【補正対象書類名】明細書
【補正対象項目名】０５３５
【補正方法】変更
【補正の内容】
【０５３５】
ＵＥによって受信される第１のノード情報は、第１のノードセルの識別子及び／又は第１のノードの識別子、並びに第１のノードのアクセス構成を含む。第１のノードセルの識別子及び／又は第１のノードの識別子は、第２のノードによって送信されたページングメッセージに含まれ、第１のノードのアクセス構成は第２のメッセージに含まれる。
【手続補正８３】
【補正対象書類名】明細書
【補正対象項目名】０５５９
【補正方法】変更
【補正の内容】
【０５５９】
本発明のこの実施形態では、Ｓ５０１は任意選択のステップであることに留意されたい。すなわち、マイクロセルは必ずしも第３のメッセージをマクロセルへ送信する必要はないかもしれない。
【手続補正８４】
【補正対象書類名】明細書
【補正対象項目名】０５８１
【補正方法】変更
【補正の内容】
【０５８１】
本発明のこの実施形態では、Ｓ５０１ｃは任意選択のステップであることに留意されたい。すなわち、マイクロセルは必ずしも第３のメッセージをマクロセルに送信する必要はないかもしれない。
【手続補正８５】
【補正対象書類名】明細書
【補正対象項目名】０５８３
【補正方法】変更
【補正の内容】
【０５８３】
具体的には、システムメッセージは、マイクロセルのシステムメッセージインジケータを含み得る。
【手続補正８６】
【補正対象書類名】明細書
【補正対象項目名】０５８５
【補正方法】変更
【補正の内容】
【０５８５】
具体的には、たとえばシステムメッセージは、マイクロセルのシステムメッセージインジケータを含むことができ、それによってＵＥは、マイクロセルのシステムメッセージ又はマイクロセルの更新されたシステムメッセージを、マイクロセルのシステムメッセージインジケータに応じて受信する。マイクロセルのシステムメッセージインジケータは、マイクロセルのセル識別子とすることができ、又はマイクロセルのシステムメッセージインジケータとすることができ、又はマイクロセルのセル識別子及びマイクロセルのシステムメッセージインジケータとすることができ、又はインジケーション情報の他の形とすることができる。要約すると、マイクロセルのシステムメッセージインジケータは、マイクロセルのシステムメッセージが更新されていることを示すために、又はマイクロセルのシステムメッセージを受信するようにＵＥに指示するために、マクロセルの受信されたシステムメッセージからインジケーションを取得するようにＵＥによって使用される。
【手続補正８７】
【補正対象書類名】明細書
【補正対象項目名】０５９０
【補正方法】変更
【補正の内容】
【０５９０】
本発明のこの実施形態では、Ｓ５０１は任意選択のステップであることに留意されたい。すなわち、マイクロセルは必ずしも第３のメッセージをマクロセルへ送信する必要はないかもしれない。
【手続補正８８】
【補正対象書類名】明細書
【補正対象項目名】０５９３
【補正方法】変更
【補正の内容】
【０５９３】
具体的には、たとえばシステムメッセージは、メッセージインジケーションを含むことができ、それによってＵＥは、マイクロセルのシステムメッセージ又はマイクロセルの更新されたシステムメッセージを、メッセージインジケーションに応じて受信する。メッセージインジケーションは、マイクロセルのセル識別子とすることができ、又はマイクロセルのシステムメッセージインジケータとすることができ、又はマイクロセルのセル識別子及びマイクロセルのシステムメッセージインジケータとすることができ、又はインジケーション情報の他の形とすることができる。要約すると、メッセージインジケーションは、マイクロセルのシステムメッセージが更新されていることを示すために、又はマイクロセルのシステムメッセージを受信するようにＵＥに指示するために、マクロセルの受信されたシステムメッセージからインジケーションを取得するようにＵＥによって使用される。
【手続補正８９】
【補正対象書類名】明細書
【補正対象項目名】０５９８
【補正方法】変更
【補正の内容】
【０５９８】
Ｓ５０１ｅ．マイクロセルが、第３のメッセージをマクロセルへ送信する。この第３のメッセージは、マイクロセルのシステムメッセージコンテンツ又はマイクロセルの更新されたシステムメッセージコンテンツを含む。
【手続補正９０】
【補正対象書類名】明細書
【補正対象項目名】０６１８
【補正方法】変更
【補正の内容】
【０６１８】
Ｓ６０１ｂが相対的に独立したステップであること、並びにステップＳ６０１ｂ、ステップＳ６０２ｂ、及びステップＳ６０３ｂが実行される時間順は限定されないことに留意されたい。たとえば、ステップＳ６０１ｂが必ずしもステップＳ６０２ｂの前に実行される必要はないかもしれない。たとえばステップＳ６０３ｂは、ステップＳ６０１ｂ又はＳ６０２ｂの後に行われてよい。たとえばＳ６０３ｂは、ステップＳ６０１ｂ又はＳ６０２ｂと同時に行われてよい。
【手続補正９１】
【補正対象書類名】明細書
【補正対象項目名】０６３０
【補正方法】変更
【補正の内容】
【０６３０】
本発明の実施形態では、マクロセル及びマイクロセルが、本発明のコンテンツを説明するための例として使用されていることに留意されたい。マクロセルは、第１のセル若しくは一次セル、又は第１のノード若しくは第１のノードセルと置き換えることができ、マイクロセルは、第２のセル若しくは二次セル、又は第２のノード若しくは第２のノードセルと置き換えることができる。本発明における第１のノードは、マイクロ基地局、ｅＮＢ、マクロ基地局、中継局（ｒｅｌａｙ）、ｐｉｃｏ  ｅＮＢ、ｓｍａｌｌ  ｃｅｌｌ、ＳｅＮＢ、ＨｅＮＢ、特定のネットワーク要素装置などであり得る。これは本発明においては限定されない。同様に、第２のノードは、マクロ基地局、中継局（ｒｅｌａｙ）、ｐｉｃｏ  ｅＮＢ、ｓｍａｌｌ  ｃｅｌｌ、ＳｅＮＢ、ＨｅＮＢ、マイクロ基地局、特定のネットワーク要素装置などであり得る。これは本発明においては限定されない。
【国際調査報告】
2018500850.tif 000050
2018500850.tif 000051
2018500850.tif 000052
2018500850.tif 000053